(57)【要約】  本発明の実施形態は、データ伝送方法及び装置を提供する。方法は、端末デバイスにより、ＧＵＬ伝送方式で、第１の時間単位においてネットワークデバイスに第１データパケットを送信する段階であって、第１データパケットは第１のＨＡＲＱプロセス番号に対応し、第１データパケットは第１の新たなデータインジケーション情報に対応する、段階と、端末デバイスにより、ネットワークデバイスにより送信された第１命令情報を受信する段階であって、第１命令情報は、第２の時間単位において第２データパケットを送信するよう端末デバイスに命令するために用いられ、第２データパケットは、第１のＨＡＲＱプロセス番号に対応し、第２データパケットは、ネットワークデバイスにより送信される第２の新たなデータインジケーション情報に対応する、段階と、端末デバイスにより、第１データパケットに対してバッファリング処理を実行する段階、又は、第１の新たなデータインジケーション情報の値及び第２の新たなデータインジケーション情報の値に基づいて、第２データパケットを送信する段階とを含む。そのため、データパケット損失を減らすことができ、データ伝送の信頼性が改善される。
2020522183.tif 000002
【特許請求の範囲】
【請求項１】
データ伝送方法であって、
端末デバイスにより、グラントフリーアップリンクＧＵＬ伝送方式で、第１の時間単位においてネットワークデバイスに第１データパケットを送信する段階であって、前記第１データパケットは第１のハイブリッド自動再送要求ＨＡＲＱプロセス番号に対応し、前記第１データパケットは第１の新たなデータインジケーション情報に対応し、前記第１の新たなデータインジケーション情報は、前記第１データパケットが、初めて伝送されるデータパケットであるか、又は、再伝送されるデータパケットであるかを示すために用いられる、段階と、
前記端末デバイスにより、前記ネットワークデバイスにより送信された第１命令情報を受信する段階であって、前記第１命令情報は、第２の時間単位において第２データパケットを送信するよう前記端末デバイスに命令するために用いられ、前記第２データパケットは前記第１のＨＡＲＱプロセス番号に対応し、前記第２の時間単位は時間の観点から前記第１の時間単位の後に位置し、前記第２データパケットは、前記ネットワークデバイスにより送信される第２の新たなデータインジケーション情報に対応し、前記第２の新たなデータインジケーション情報は、前記第２データパケットが、初めて伝送されるデータパケットであるか、又は、再伝送されるデータパケットであるかを示すために用いられる、段階と、
前記端末デバイスにより、前記第１データパケットに対してバッファリング処理を実行する段階、又は、前記第１の新たなデータインジケーション情報の値及び前記第２の新たなデータインジケーション情報の値に基づいて前記第２データパケットを送信する段階であって、前記第２データパケットは、前記第１データパケットの再伝送されるデータパケットである、又は、前記第２データパケットは、前記第１データパケットとは異なる初めて伝送されるデータパケットである、段階と
を備える方法。
【請求項２】
前記端末デバイスにより、前記第１データパケットに対してバッファリング処理を前記実行する段階、又は、前記第１の新たなデータインジケーション情報の値及び前記第２の新たなデータインジケーション情報の値に基づいて前記第２データパケットを前記送信する段階は、
前記第１の新たなデータインジケーション情報の前記値が前記第２の新たなデータインジケーション情報の前記値と同じである場合、前記端末デバイスにより、前記第１データパケットをバッファ内に保持する段階、又は、前記第２データパケットを送信する段階であって、前記第２データパケットは、前記第１データパケットの再伝送されるデータパケットである、段階を有する、請求項１に記載の方法。
【請求項３】
前記端末デバイスにより、前記第２データパケットを前記送信する段階であって、前記第２データパケットは、前記第１データパケットの再伝送されるデータパケットである、段階は、
前記端末デバイスにより、前記第１命令情報に従って、前記第２の時間単位において前記第２データパケットを送信する段階を有する、請求項２に記載の方法。
【請求項４】
前記端末デバイスにより、前記第１の新たなデータインジケーション情報の値及び前記第２の新たなデータインジケーション情報の値に基づいて前記第２データパケットを前記送信する段階は、
前記第１の新たなデータインジケーション情報の前記値が前記第２の新たなデータインジケーション情報の前記値と同じである場合、かつ、前記第１データパケットに対応するトランスポートブロックサイズＴＢＳが前記第２データパケットに対応するＴＢＳと同じである場合、前記端末デバイスにより、前記第１命令情報に従って、前記第２の時間単位において前記第２データパケットを送信する段階であって、前記第２データパケットは、前記第１データパケットの再伝送されるデータパケットである、段階を有する、請求項１又は２に記載の方法。
【請求項５】
前記方法は、
前記第１の新たなデータインジケーション情報の前記値が前記第２の新たなデータインジケーション情報の前記値と同じである場合、前記端末デバイスにより、前記第１命令情報を無視する段階をさらに備える、請求項１又は２に記載の方法。
【請求項６】
前記方法は、
前記第１の新たなデータインジケーション情報の前記値が前記第２の新たなデータインジケーション情報の前記値と同じである場合、かつ、前記第１データパケットに対応する前記トランスポートブロックサイズＴＢＳが前記第２データパケットに対応する前記ＴＢＳとは異なる場合、前記端末デバイスにより、前記第１命令情報を無視する段階をさらに備える、請求項１、２又は４に記載の方法。
【請求項７】
前記端末デバイスにより、前記第１の新たなデータインジケーション情報の値及び前記第２の新たなデータインジケーション情報の値に基づいて前記第２データパケットを前記送信する段階は、
前記第１の新たなデータインジケーション情報の前記値が前記第２の新たなデータインジケーション情報の前記値とは異なる場合、前記端末デバイスにより、前記第１命令情報に従って、前記第２の時間単位において前記第２データパケットを送信する段階であって、前記第２データパケットは、前記第１データパケットとは異なる初めて伝送されるデータパケットである、段階を有する、請求項１から６のいずれか一項に記載の方法。
【請求項８】
前記方法は、
前記端末デバイスにより、第３データパケットと前記第１データパケットとの間の伝送関係、及び、前記第３データパケットに対応する第３の新たなデータインジケーション情報の値に基づいて、前記第１の新たなデータインジケーション情報の前記値を判定する段階であって、前記伝送関係は、前記第３データパケットが前記第１データパケットとは異なる初めて伝送されるデータパケットであること、又は、前記第３データパケットが前記第１データパケットの再伝送されるデータパケットであることを有し、前記第３の新たなデータインジケーション情報は、前記第３データパケットが、初めて伝送されるデータパケットであるか、又は、再伝送されるデータパケットであるかを示すために用いられ、前記第３データパケットは、前記ネットワークデバイスが、第３の時間単位において送信するように前記端末デバイスをスケジューリングするデータパケットであり、前記第３データパケットは前記第１のＨＡＲＱプロセス番号に対応し、前記第３の時間単位は時間の観点から前記第１の時間単位の前に位置する、段階をさらに備える、請求項１から７のいずれか一項に記載の方法。
【請求項９】
前記端末デバイスにより、第３データパケットと前記第１データパケットとの間の伝送関係、及び、前記第３データパケットに対応する第３の新たなデータインジケーション情報の値に基づいて、前記第１の新たなデータインジケーション情報の前記値を前記判定する段階は、
前記第１データパケットが前記第３データパケットの再伝送されるデータパケットである場合、前記端末デバイスにより、前記第１の新たなデータインジケーション情報の前記値が前記第３の新たなデータインジケーション情報の前記値と同じであると判定する段階、又は、
前記第１データパケットが前記第３データパケットとは異なる初めて伝送されるデータパケットである場合、前記端末デバイスにより、前記第１の新たなデータインジケーション情報の前記値が前記第３の新たなデータインジケーション情報の前記値とは異なると判定する段階
を有する、請求項８に記載の方法。
【請求項１０】
端末デバイスにより、グラントフリーアップリンクＧＵＬ伝送方式で、第１の時間単位においてネットワークデバイスに第１データパケットを前記送信する段階の前に、前記方法は、
前記端末デバイスにより、前記ネットワークデバイスにより送信された制御情報を受信する段階であって、前記制御情報は第４の新たなデータインジケーション情報を有し、前記ＧＵＬ伝送方式で情報を送信するために前記端末デバイスをアクティブ化又は再アクティブ化するのに前記制御情報が用いられる場合、前記第４の新たなデータインジケーション情報の値は第１のプリセット値である、段階と、
前記端末デバイスにより、前記制御情報に基づいて、前記ＧＵＬ伝送方式に対応する半持続的な時間領域リソースを判定する段階であって、前記第１の時間単位は、前記半持続的な時間領域リソースに属する、段階と
をさらに備える、請求項１から９のいずれか一項に記載の方法。
【請求項１１】
第４データパケットの再伝送されるデータパケットをスケジューリングするために前記制御情報が用いられる場合、前記第４の新たなデータインジケーション情報の前記値は第２のプリセット値であり、前記第４データパケットは、前記ＧＵＬ伝送方式で前記端末デバイスにより送信されるデータパケットであり、前記第２のプリセット値は前記第１のプリセット値とは異なる、請求項１０に記載の方法。
【請求項１２】
前記方法は、
前記端末デバイスにより、前記ネットワークデバイスに前記第１の新たなデータインジケーション情報を送信する段階をさらに備える、請求項１から１１のいずれか一項に記載の方法。
【請求項１３】
データ伝送方法であって、
ネットワークデバイスにより、端末デバイスに第１命令情報を送信する段階であって、前記第１命令情報は、第２の時間単位において第２データパケットを送信するよう前記端末デバイスに命令するために用いられ、前記第２データパケットは、第１のＨＡＲＱプロセス番号に対応し、前記第２データパケットは、前記ネットワークデバイスにより送信される第２の新たなデータインジケーション情報に対応し、前記第２の新たなデータインジケーション情報は、前記第２データパケットが、初めて伝送されるデータパケットであるか、又は、再伝送されるデータパケットであるかを示すために用いられ、前記第１のＨＡＲＱプロセス番号は、第１データパケットにさらに対応し、前記第１データパケットは、前記端末デバイスにより、ＧＵＬ伝送方式で、第１の時間単位において前記ネットワークデバイスに送信され、前記第１データパケットは第１の新たなデータインジケーション情報に対応し、前記第１の新たなデータインジケーション情報は、前記第１データパケットが、初めて伝送されるデータパケットであるか、又は、再伝送されるデータパケットであるかを示すために用いられ、前記第２の時間単位は時間の観点から前記第１の時間単位の後に位置する、段階と、
前記ネットワークデバイスにより、前記端末デバイスにより送信された前記第２データパケットを受信する段階であって、前記第２データパケットは、前記第１データパケットの再伝送されるデータパケットである、又は、前記第２データパケットは、前記第１データパケットとは異なる初めて伝送されるデータパケットである、段階と
を備える方法。
【請求項１４】
前記第１の新たなデータインジケーション情報の値が前記第２の新たなデータインジケーション情報の値と同じである場合、前記第２データパケットは、前記第１データパケットの再伝送されるデータパケットである、請求項１３に記載の方法。
【請求項１５】
前記第２データパケットは、前記第２の時間単位において前記端末デバイスにより送信されるデータパケットである、請求項１４に記載の方法。
【請求項１６】
前記第１の新たなデータインジケーション情報の前記値が前記第２の新たなデータインジケーション情報の前記値と同じである場合、かつ、前記第１データパケットに対応するトランスポートブロックサイズＴＢＳが前記第２データパケットに対応するＴＢＳと同じである場合、前記第２データパケットは前記第２の時間単位において前記端末デバイスにより送信されるデータパケットである、請求項１３又は１４に記載の方法。
【請求項１７】
前記第１の新たなデータインジケーション情報の前記値が前記第２の新たなデータインジケーション情報の前記値とは異なる場合、前記第２データパケットは、前記第１データパケットとは異なる初めて伝送されるデータパケットである、請求項１３から１６のいずれか一項に記載の方法。
【請求項１８】
前記第１データパケットが第３データパケットの再伝送されるデータパケットである場合、前記第１の新たなデータインジケーション情報の前記値は、前記第３データパケットに対応する第３の新たなデータインジケーション情報の値と同じであり、前記第３の新たなデータインジケーション情報は、前記第３データパケットが、初めて伝送されるデータパケットであるか、又は、再伝送されるデータパケットであるかを示すために用いられ、前記第３データパケットは、前記ネットワークデバイスが、第３の時間単位において送信するように前記端末デバイスをスケジューリングするデータパケットであり、前記第３データパケットは前記第１のＨＡＲＱプロセス番号に対応し、前記第３の時間単位は時間の観点から前記第１の時間単位の前に位置する、又は、
前記第１データパケットが第３データパケットとは異なる初めて伝送されるデータパケットである場合、前記第１の新たなデータインジケーション情報の前記値は、前記第３データパケットに対応する第３の新たなデータインジケーション情報の値とは異なり、前記第３の新たなデータインジケーション情報は、前記第３データパケットが、初めて伝送されるデータパケットであるか、又は、再伝送されるデータパケットであるかを示すために用いられ、前記第３データパケットは、前記ネットワークデバイスが、第３の時間単位において送信するように前記端末デバイスをスケジューリングするデータパケットであり、前記第３データパケットは前記第１のＨＡＲＱプロセス番号に対応し、前記第３の時間単位は時間の観点から前記第１の時間単位の前に位置する、請求項１３から１７のいずれか一項に記載の方法。
【請求項１９】
前記ネットワークデバイスが前記第１データパケットを検出した場合、前記ネットワークデバイスは、前記第１データパケットの受信状態と前記第１の新たなデータインジケーション情報とに基づいて、前記第２の新たなデータインジケーション情報を判定する、請求項１３から１８のいずれか一項に記載の方法。
【請求項２０】
前記方法は、
前記ネットワークデバイスにより、前記端末デバイスに制御情報を送信する段階であって、前記制御情報は第４の新たなデータインジケーション情報を有し、前記ＧＵＬ伝送方式で情報を送信するために前記端末デバイスをアクティブ化又は再アクティブ化するのに前記制御情報が用いられる場合、前記第４の新たなデータインジケーション情報の値は第１のプリセット値であり、前記第１の時間単位は、前記ＧＵＬ伝送方式に対応する半持続的な時間領域リソースに属する、段階をさらに備える、請求項１３から１９のいずれか一項に記載の方法。
【請求項２１】
第４データパケットの再伝送されるデータパケットをスケジューリングするために前記制御情報が用いられる場合、前記第４の新たなデータインジケーション情報の前記値は第２のプリセット値であり、前記第４データパケットは、前記ＧＵＬ伝送方式で前記端末デバイスにより送信されるデータパケットであり、前記第２のプリセット値は前記第１のプリセット値とは異なる、請求項２０に記載の方法。
【請求項２２】
前記方法は、
前記ネットワークデバイスにより、前記端末デバイスにより送信された前記第１の新たなデータインジケーション情報を受信する段階をさらに備える、請求項１３から２１のいずれか一項に記載の方法。
【請求項２３】
データ伝送装置であって、
グラントフリーアップリンクＧＵＬ伝送方式で、第１の時間単位においてネットワークデバイスに第１データパケットを送信するように構成される送信ユニットであって、前記第１データパケットは第１のハイブリッド自動再送要求ＨＡＲＱプロセス番号に対応し、前記第１データパケットは第１の新たなデータインジケーション情報に対応し、前記第１の新たなデータインジケーション情報は、前記第１データパケットが、初めて伝送されるデータパケットであるか、又は、再伝送されるデータパケットであるかを示すために用いられる、送信ユニットと、
前記ネットワークデバイスにより送信された第１命令情報を受信するように構成される受信ユニットであって、前記第１命令情報は、第２の時間単位において第２データパケットを送信するよう前記装置に命令するために用いられ、前記第２データパケットは、前記第１のＨＡＲＱプロセス番号に対応し、前記第２の時間単位は時間の観点から前記第１の時間単位の後に位置し、前記第２データパケットは、前記ネットワークデバイスにより送信される第２の新たなデータインジケーション情報に対応し、前記第２の新たなデータインジケーション情報は、前記第２データパケットが、初めて伝送されるデータパケットであるか、又は、再伝送されるデータパケットであるかを示すために用いられる、受信ユニットと
を備え、
前記送信ユニットは、さらに、前記第１データパケットに対してバッファリング処理を実行する、又は、前記第１の新たなデータインジケーション情報の値及び前記第２の新たなデータインジケーション情報の値に基づいて前記第２データパケットを送信するように構成され、前記第２データパケットは、前記第１データパケットの再伝送されるデータパケットである、又は、前記第２データパケットは、前記第１データパケットとは異なる初めて伝送されるデータパケットである、装置。
【請求項２４】
前記送信ユニットは、具体的には、
前記第１の新たなデータインジケーション情報の前記値が前記第２の新たなデータインジケーション情報の前記値と同じである場合、前記第１データパケットをバッファ内に保持する、又は、前記第２データパケットを送信するように構成され、前記第２データパケットは、前記第１データパケットの再伝送されるデータパケットである、請求項２３に記載の装置。
【請求項２５】
前記送信ユニットは、具体的には、
前記第１命令情報に従って、前記第２の時間単位において前記第２データパケットを送信するように構成される、請求項２４に記載の装置。
【請求項２６】
前記送信ユニットは、具体的には、
前記第１の新たなデータインジケーション情報の前記値が前記第２の新たなデータインジケーション情報の前記値と同じである場合、かつ、前記第１データパケットに対応するトランスポートブロックサイズＴＢＳが前記第２データパケットに対応するＴＢＳと同じである場合、前記第１命令情報に従って、前記第２の時間単位において前記第２データパケットを送信するように構成され、前記第２データパケットは、前記第１データパケットの再伝送されるデータパケットである、請求項２３又は２４に記載の装置。
【請求項２７】
前記装置は、
前記第１の新たなデータインジケーション情報の前記値が前記第２の新たなデータインジケーション情報の前記値と同じである場合、前記第１命令情報を無視するように構成される処理ユニットをさらに備える、請求項２３又は２４に記載の装置。
【請求項２８】
前記装置は、
前記第１の新たなデータインジケーション情報の前記値が前記第２の新たなデータインジケーション情報の前記値と同じである場合、かつ、前記第１データパケットに対応する前記トランスポートブロックサイズＴＢＳが前記第２データパケットに対応する前記ＴＢＳとは異なる場合、前記第１命令情報を無視するように構成される処理ユニットをさらに備える、請求項２３、２４又は２６に記載の装置。
【請求項２９】
前記送信ユニットは、具体的には、
前記第１の新たなデータインジケーション情報の前記値が前記第２の新たなデータインジケーション情報の前記値とは異なる場合、前記第１命令情報に従って、前記第２の時間単位において前記第２データパケットを送信するように構成され、前記第２データパケットは、前記第１データパケットとは異なる初めて伝送されるデータパケットである、請求項２３から２８のいずれか一項に記載の装置。
【請求項３０】
前記装置は、
第３データパケットと前記第１データパケットとの間の伝送関係、及び、前記第３データパケットに対応する第３の新たなデータインジケーション情報の値に基づいて、前記第１の新たなデータインジケーション情報の前記値を判定するように構成される前記処理ユニットであって、前記伝送関係は、前記第３データパケットが前記第１データパケットとは異なる初めて伝送されるデータパケットであること、又は、前記第３データパケットが前記第１データパケットの再伝送されるデータパケットであることを有し、前記第３の新たなデータインジケーション情報は、前記第３データパケットが、初めて伝送されるデータパケットであるか、又は、再伝送されるデータパケットであるかを示すために用いられ、前記第３データパケットは、前記ネットワークデバイスが、第３の時間単位において送信する前記装置をスケジューリングするデータパケットであり、前記第３データパケットは前記第１のＨＡＲＱプロセス番号に対応し、前記第３の時間単位は時間の観点から前記第１の時間単位の前に位置する、処理ユニットをさらに備える、請求項２３から２９のいずれか一項に記載の装置。
【請求項３１】
前記処理ユニットは、具体的には、
前記第１データパケットが前記第３データパケットの再伝送されるデータパケットである場合、前記第１の新たなデータインジケーション情報の前記値が前記第３の新たなデータインジケーション情報の前記値と同じであると判定する、又は、
前記第１データパケットが前記第３データパケットとは異なる初めて伝送されるデータパケットである場合、前記第１の新たなデータインジケーション情報の前記値が前記第３の新たなデータインジケーション情報の前記値とは異なると判定する
ように構成される、請求項３０に記載の装置。
【請求項３２】
前記受信ユニットは、さらに、
前記ネットワークデバイスにより送信された制御情報を受信するように構成され、前記制御情報は第４の新たなデータインジケーション情報を有し、前記ＧＵＬ伝送方式で情報を送信する前記装置をアクティブ化又は再アクティブ化するのに前記制御情報が用いられる場合、前記第４の新たなデータインジケーション情報の値は第１のプリセット値であり、前記装置は、
前記制御情報に基づいて、前記ＧＵＬ伝送方式に対応する半持続的な時間領域リソースを判定するように構成される前記処理ユニットであって、前記第１の時間単位は、前記半持続的な時間領域リソースに属する、前記処理ユニットをさらに備える、請求項２３から３１のいずれか一項に記載の装置。
【請求項３３】
第４データパケットの再伝送されるデータパケットをスケジューリングするために前記制御情報が用いられる場合、前記第４の新たなデータインジケーション情報の前記値は第２のプリセット値であり、前記第４データパケットは、前記ＧＵＬ伝送方式で前記装置により送信されるデータパケットであり、前記第２のプリセット値は前記第１のプリセット値とは異なる、請求項３２に記載の装置。
【請求項３４】
前記送信ユニットは、さらに、
前記ネットワークデバイスに前記第１の新たなデータインジケーション情報を送信するように構成される、請求項２３から３３のいずれか一項に記載の装置。
【請求項３５】
データ伝送装置であって、
端末デバイスに第１命令情報を送信するように構成される送信ユニットであって、前記第１命令情報は、第２の時間単位において第２データパケットを送信するよう前記端末デバイスに命令するために用いられ、前記第２データパケットは、第１のＨＡＲＱプロセス番号に対応し、前記第２データパケットは、前記装置により送信される第２の新たなデータインジケーション情報に対応し、前記第２の新たなデータインジケーション情報は、前記第２データパケットが、初めて伝送されるデータパケットであるか、又は、再伝送されるデータパケットであるかを示すために用いられ、前記第１のＨＡＲＱプロセス番号は、第１データパケットにさらに対応し、前記第１データパケットは、前記端末デバイスにより、ＧＵＬ伝送方式で、第１の時間単位において前記装置に送信され、前記第１データパケットは第１の新たなデータインジケーション情報に対応し、前記第１の新たなデータインジケーション情報は、前記第１データパケットが、初めて伝送されるデータパケットであるか、又は、再伝送されるデータパケットであるかを示すために用いられ、前記第２の時間単位は時間の観点から前記第１の時間単位の後に位置する、送信ユニットと、
前記端末デバイスにより送信された前記第２データパケットを受信するように構成される受信ユニットであって、前記第２データパケットは、前記第１データパケットの再伝送されるデータパケットである、又は、前記第２データパケットは、前記第１データパケットとは異なる初めて伝送されるデータパケットである、受信ユニットと
を備える装置。
【請求項３６】
前記第１の新たなデータインジケーション情報の値が前記第２の新たなデータインジケーション情報の値と同じである場合、前記第２データパケットは、前記第１データパケットの再伝送されるデータパケットである、請求項３５に記載の装置。
【請求項３７】
前記第２データパケットは、前記第２の時間単位において前記端末デバイスにより送信されるデータパケットである、請求項３６に記載の装置。
【請求項３８】
前記第１の新たなデータインジケーション情報の前記値が前記第２の新たなデータインジケーション情報の前記値と同じである場合、かつ、前記第１データパケットに対応するトランスポートブロックサイズＴＢＳが前記第２データパケットに対応するＴＢＳと同じである場合、前記第２データパケットは前記第２の時間単位において前記端末デバイスにより送信されるデータパケットである、請求項３５又は３６に記載の装置。
【請求項３９】
前記第１の新たなデータインジケーション情報の前記値が前記第２の新たなデータインジケーション情報の前記値とは異なる場合、前記第２データパケットは、前記第１データパケットとは異なる初めて伝送されるデータパケットである、請求項３５から３８のいずれか一項に記載の装置。
【請求項４０】
前記第１データパケットが第３データパケットの再伝送されるデータパケットである場合、前記第１の新たなデータインジケーション情報の前記値は、前記第３データパケットに対応する第３の新たなデータインジケーション情報の値と同じであり、前記第３の新たなデータインジケーション情報は、前記第３データパケットが、初めて伝送されるデータパケットであるか、又は、再伝送されるデータパケットであるかを示すために用いられ、前記第３データパケットは、前記装置が、第３の時間単位において送信するように前記端末デバイスをスケジューリングするデータパケットであり、前記第３データパケットは前記第１のＨＡＲＱプロセス番号に対応し、前記第３の時間単位は時間の観点から前記第１の時間単位の前に位置する、又は、
前記第１データパケットが第３データパケットとは異なる初めて伝送されるデータパケットである場合、前記第１の新たなデータインジケーション情報の前記値は、前記第３データパケットに対応する第３の新たなデータインジケーション情報の値とは異なり、前記第３の新たなデータインジケーション情報は、前記第３データパケットが、初めて伝送されるデータパケットであるか、又は、再伝送されるデータパケットであるかを示すために用いられ、前記第３データパケットは、前記装置が、第３の時間単位において送信するように前記端末デバイスをスケジューリングするデータパケットであり、前記第３データパケットは前記第１のＨＡＲＱプロセス番号に対応し、前記第３の時間単位は時間の観点から前記第１の時間単位の前に位置する、請求項３５から３９のいずれか一項に記載の装置。
【請求項４１】
前記装置は、
前記装置が前記第１データパケットを検出した場合、前記第１データパケットの受信状態と前記第１の新たなデータインジケーション情報とに基づいて、前記第２の新たなデータインジケーション情報を判定するように構成される処理ユニットをさらに備える、請求項３５から４０のいずれか一項に記載の装置。
【請求項４２】
前記送信ユニットは、さらに、
前記端末デバイスに制御情報を送信するように構成され、前記制御情報は第４の新たなデータインジケーション情報を有し、前記ＧＵＬ伝送方式で情報を送信するために前記端末デバイスをアクティブ化又は再アクティブ化するのに前記制御情報が用いられる場合、前記第４の新たなデータインジケーション情報の値は第１のプリセット値であり、前記第１の時間単位は、前記ＧＵＬ伝送方式に対応する半持続的な時間領域リソースに属する、請求項４１に記載の装置。
【請求項４３】
第４データパケットの再伝送されるデータパケットをスケジューリングするために前記制御情報が用いられる場合、前記第４の新たなデータインジケーション情報の前記値は第２のプリセット値であり、前記第４データパケットは、前記ＧＵＬ伝送方式で前記端末デバイスにより送信されるデータパケットであり、前記第２のプリセット値は前記第１のプリセット値とは異なる、請求項４２に記載の装置。
【請求項４４】
前記受信ユニットは、さらに、
前記端末デバイスにより送信された前記第１の新たなデータインジケーション情報を受信するように構成される、請求項３５から４３のいずれか一項に記載の装置。
【発明の詳細な説明】
【技術分野】
【０００１】
本願は、２０１７年６月２日に中国特許庁に出願され、「データ伝送方法及び装置」と題する中国特許出願第２０１７１０４０９９４２．９号に対する優先権を主張し、その全体が参照により本明細書に組み込まれる。
【０００２】
本発明の実施形態は、通信分野、より具体的には、データ伝送方法及び装置に関する。
【背景技術】
【０００３】
一般に、スケジューリングフリーベースのグラントフリーアップリンク（Ｇｒａｎｔ  ｆｒｅｅ  ＵｐＬｉｎｋ、ＧＵＬ）伝送メカニズム、又は、自律アップリンク（Ａｕｔｏｎｏｍｏｕｓ  ＵＬ、ＡＵＬ）伝送メカニズムと称される、が知られている。ネットワークデバイスは、端末デバイスにＧＵＬリソースを割り当てる。アップリンク伝送を実行する場合、端末デバイスは、ネットワークデバイスにスケジューリング要求（Ｓｃｈｅｄｕｌｉｎｇ  Ｒｅｑｕｅｓｔ、ＳＲ）を送信して、ネットワークデバイスがアップリンクグラント（Ｕｐ  Ｌｉｎｋ  Ｇｒａｎｔ、ＵＬ  Ｇｒａｎｔ）情報を送信するのを待つ必要はなく、ＧＵＬ伝送リソースを用いてアップリンク伝送を直接実行し得ることで、伝送遅延を減らす。
【０００４】
従来技術では、ＧＵＬ伝送メカニズムを用いてアップリンク伝送が実行される場合、端末デバイスは、ハイブリッド自動再送要求ＨＡＲＱを自律的に選択して、データ（理解及び区別しやすくするために、第１データとして示される）を伝送し、アップリンク制御情報（例えば、グラントフリーアップリンク制御情報）を用いて、第１データに対応するＨＡＲＱプロセスのプロセス番号をネットワークデバイスに報告する。第１データを正しく受信するために、ネットワークデバイスは、ブラインド検出方式でアップリンク制御情報を取得し、第１データに対応するＨＡＲＱプロセスのプロセス番号を判定し得る。
【０００５】
しかしながら、従来技術では、アップリンク制御情報に対してネットワークデバイスにより実行されるブラインド検出が失敗した場合、ネットワークデバイスは、端末デバイスがＨＡＲＱプロセスを用いて、第１データを伝送することを知らないので、第１データを正しく受信することができない。さらに、ネットワークデバイスは、アップリンクグラントＵＬグラント情報を用いて、後続の期間に端末デバイスをスケジューリングして、ＨＡＲＱプロセスを用いて初期伝送を実行する（具体的には、第１データとは異なる第２データを送信するよう端末デバイスに命令する）。ＵＬグラント情報を受信した後、端末デバイスは、ＨＡＲＱプロセスを用いて送信される第１データが、ネットワークデバイスにより正しく受信されたと判断する。この場合、端末デバイスは、第１データをもはや送信することはないが、ＵＬグラント情報に基づいて、ＨＡＲＱプロセスで第２データを送信する。結果として、第１データが失われ、データ伝送の信頼性に深刻な影響を与える。
【０００６】
そのため、データ伝送の信頼性を改善するために、データパケット損失を減らすための技術を提供する必要がある。
【発明の概要】
【０００７】
本発明の実施形態は、データ伝送の信頼性を改善するために、データパケット損失を減らすためのデータ伝送方法及び装置を提供する。
【０００８】
第１態様によれば、データ伝送方法が提供される。方法は、端末デバイスにより、グラントフリーアップリンクＧＵＬ伝送方式で、第１の時間単位においてネットワークデバイスに第１データパケットを送信する段階であって、第１データパケットは第１のハイブリッド自動再送要求ＨＡＲＱプロセス番号に対応し、第１データパケットは第１の新たなデータインジケーション情報に対応し、第１の新たなデータインジケーション情報は、第１データパケットが、初めて伝送されるデータパケットであるか、又は、再伝送されるデータパケットであるかを示すために用いられる、段階と、端末デバイスにより、ネットワークデバイスにより送信された第１命令情報を受信する段階であって、第１命令情報は、第２の時間単位において第２データパケットを送信するよう端末デバイスに命令するために用いられ、第２データパケットは、第１のＨＡＲＱプロセス番号に対応し、第２の時間単位は時間の観点から第１の時間単位の後に位置し、第２データパケットは、ネットワークデバイスにより送信される第２の新たなデータインジケーション情報に対応し、第２の新たなデータインジケーション情報は、第２データパケットが、初めて伝送されるデータパケットであるか、又は、再伝送されるデータパケットであるかを示すために用いられる、段階と、端末デバイスにより、第１データパケットに対してバッファリング処理を実行する段階、又は、第１の新たなデータインジケーション情報の値及び第２の新たなデータインジケーション情報の値に基づいて第２データパケットを送信する段階であって、第２データパケットは、第１データパケットの再伝送されるデータパケットである、又は、第２データパケットは、第１データパケットとは異なる初めて伝送されるデータパケットである、段階とを含む。
【０００９】
そのため、本発明の本実施形態において提供されるデータ伝送方法によれば、第１のＨＡＲＱプロセス番号に対応する第２データパケットを送信するよう端末デバイスに命令するために用いられる第１命令情報を受信した後に、端末デバイスは、第１データパケットに対してバッファリング処理を実行する、又は、第２データパケットに対応する第２の新たなデータインジケーション情報の値と、ＧＵＬ伝送を通じて端末デバイスにより送信される第１データパケットに対応する第１の新たなデータインジケーション情報の値とに基づいて、第２データパケットの伝送タイプを判定して、第２データパケットを送信し、第２データパケットは、第１データパケットの再伝送されるデータパケットである、又は、第２データパケットは、第１データパケットとは異なる初めて伝送されるデータパケットである。特に、ネットワークデバイスが第１データパケットを検出していない場合、かつ、ネットワークデバイスが、第１命令情報を用いて、第１のＨＡＲＱプロセス番号に対応する初めて伝送されるデータパケットを伝送するよう端末デバイスに命令した場合、端末デバイスは、もはや第１命令情報に従って初めて伝送されるデータパケットを伝送することはないが、第１データパケットの再伝送されるデータパケットを送信し、もはやバッファ内の第１データパケットを消去することはないが、第１データパケットをバッファ内に保持する。そのため、第１データパケットの損失が低減され、データ伝送の信頼性が改善され、システムの柔軟性も改善される。
【００１０】
第１態様に関して、第１態様の第１実施例では、端末デバイスにより、第１データパケットに対してバッファリング処理を実行する段階、又は、第１の新たなデータインジケーション情報の値及び第２の新たなデータインジケーション情報の値に基づいて第２データパケットを送信する段階は、
第１の新たなデータインジケーション情報の値が第２の新たなデータインジケーション情報の値と同じである場合、端末デバイスにより、バッファ内に第１データパケットを保持する段階、又は、第２データパケットを送信する段階であって、第２データパケットは第１データパケットの再伝送されるデータパケットである、段階を含む。
【００１１】
第１態様に関して、第１態様の第２実施例では、端末デバイスにより、第２データパケットを送信する段階であって、第２データパケットは、第１データパケットの再伝送されるデータパケットである、段階は、
端末デバイスにより、第１命令情報に従って、第２の時間単位において第２データパケットを送信する段階を含む。
【００１２】
そのため、第１データパケットの再伝送されるデータパケットを送信する場合、端末デバイスは、第１命令情報の命令に従って、第２の時間単位において第１データパケットを直接再伝送し得ることで、現在のシグナリングを有効に活用しつつシグナリングオーバヘッドを減らす。
【００１３】
第１態様に関して、第１態様の第３実施例では、端末デバイスにより、第１の新たなデータインジケーション情報の値及び第２の新たなデータインジケーション情報の値に基づいて第２データパケットを送信する段階は、
第１の新たなデータインジケーション情報の値が第２の新たなデータインジケーション情報の値と同じである場合、かつ、第１データパケットに対応するトランスポートブロックサイズＴＢＳが第２データパケットに対応するＴＢＳと同じである場合、端末デバイスにより、第１命令情報に従って、第２の時間単位において第２データパケットを送信する段階であって、第２データパケットは、第１データパケットの再伝送されるデータパケットである、段階を含む。
【００１４】
そのため、第１の新たなデータインジケーション情報の値が第２の新たなデータインジケーション情報の値と同じである場合、かつ、第１データパケットに対応するトランスポートブロックサイズＴＢＳが第２データパケットに対応するＴＢSと同じである場合、端末デバイスは、第１命令情報に従って、第２の時間単位において第１データパケットの再伝送されるデータパケットを送信する。そのため、現在のシグナリングを有効に活用しつつシグナリングオーバヘッドを減らすことができるだけでなく、第１データパケットの伝送効率も効率的に改善しつつ端末デバイスの複雑性を減らすこともできる。
【００１５】
第１態様に関して、第１態様の第４実施例では、方法は、
第１の新たなデータインジケーション情報の値が第２の新たなデータインジケーション情報の値と同じである場合、端末デバイスにより、第１命令情報を無視する段階をさらに含む。
【００１６】
第１態様に関して、第１態様の第５の可能な実施例では、方法は、
第１の新たなデータインジケーション情報の値が第２の新たなデータインジケーション情報の値と同じである場合、かつ、第１データパケットに対応するトランスポートブロックサイズＴＢＳが第２データパケットに対応するＴＢＳとは異なる場合、端末デバイスにより、第１命令情報を無視する段階をさらに含む。
【００１７】
第１態様に関して、第１態様の第６実施例では、端末デバイスにより、第１の新たなデータインジケーション情報の値及び第２の新たなデータインジケーション情報の値に基づいて第２データパケットを送信する段階は、
第１の新たなデータインジケーション情報の値が第２の新たなデータインジケーション情報の値とは異なる場合、端末デバイスにより、第１命令情報に従って、第２の時間単位において第２データパケットを送信する段階であって、第２データパケットは、第１データパケットとは異なる初めて伝送されるデータパケットである、段階を含む。
【００１８】
第１態様に関して、第１態様の第７実施例では、方法は、
端末デバイスにより、第３データパケットと第１データパケットとの間の伝送関係、及び、第３データパケットに対応する第３の新たなデータインジケーション情報の値に基づいて、第１の新たなデータインジケーション情報の値を判定する段階であって、伝送関係は、第３データパケットが第１データパケットとは異なる初めて伝送されるデータパケットであること、又は、第３データパケットが第１データパケットの再伝送されるデータパケットであることを含み、第３の新たなデータインジケーション情報は、第３データパケットが、初めて伝送されるデータパケットであるか、又は、再伝送されるデータパケットであるかを示すために用いられ、第３データパケットは、ネットワークデバイスが、第３の時間単位において送信するように端末デバイスをスケジューリングするデータパケットであり、第３データパケットは第１のＨＡＲＱプロセス番号に対応し、第３の時間単位は時間の観点から第１の時間単位の前に位置する、段階をさらに含む。
【００１９】
第１態様に関して、第１態様の第８実施例では、端末デバイスにより、第３データパケットと第１データパケットとの間の伝送関係、及び、第３データパケットに対応する第３の新たなデータインジケーション情報の値に基づいて、第１の新たなデータインジケーション情報の値を判定する段階は、
第１データパケットが第３データパケットの再伝送されるデータパケットである場合、端末デバイスにより、第１の新たなデータインジケーション情報の値が第３の新たなデータインジケーション情報の値と同じであると判定する段階、又は、
第１データパケットが第３データパケットとは異なる初めて伝送されるデータパケットである場合、端末デバイスにより、第１の新たなデータインジケーション情報の値が第３の新たなデータインジケーション情報の値とは異なると判定する段階
を含む。
【００２０】
第１態様に関して、第１態様の第９実施例では、端末デバイスにより、グラントフリーアップリンクＧＵＬ伝送方式で、第１の時間単位においてネットワークデバイスに第１データパケットを送信する段階の前に、方法は、
端末デバイスにより、ネットワークデバイスにより送信された制御情報を受信する段階であって、制御情報は第４の新たなデータインジケーション情報を含み、ＧＵＬ伝送方式で情報を送信するために端末デバイスをアクティブ化又は再アクティブ化するのに制御情報が用いられる場合、第４の新たなデータインジケーション情報の値は第１のプリセット値である、段階と、
端末デバイスにより、制御情報に基づいて、ＧＵＬ伝送方式に対応する半持続的な時間領域リソースを判定する段階であって、第１の時間単位は、半持続的な時間領域リソースに属する、段階と
をさらに含む。
【００２１】
第１態様に関して、第１態様の第１０実施例では、第４データパケットの再伝送されるデータパケットをスケジューリングするために制御情報が用いられる場合、第４の新たなデータインジケーション情報の値は第２のプリセット値であり、第４データパケットは、ＧＵＬ伝送方式で端末デバイスにより送信されるデータパケットであり、第２のプリセット値は第１のプリセット値とは異なる。
【００２２】
第１態様に関して、第１態様の第１１実施例では、方法は、
端末デバイスにより、ネットワークデバイスに第１の新たなデータインジケーション情報を送信する段階をさらに含む。
【００２３】
第２態様によれば、データ伝送方法が提供される。方法は、
ネットワークデバイスにより、端末デバイスに第１命令情報を送信する段階であって、第１命令情報は、第２の時間単位において第２データパケットを送信するよう端末デバイスに命令するために用いられ、第２データパケットは、第１のＨＡＲＱプロセス番号に対応し、第２データパケットは、ネットワークデバイスにより送信される第２の新たなデータインジケーション情報に対応し、第２の新たなデータインジケーション情報は、第２データパケットが、初めて伝送されるデータパケットであるか、又は、再伝送されるデータパケットであるかを示すために用いられ、第１のＨＡＲＱプロセス番号は、第１データパケットにさらに対応し、第１データパケットは、端末デバイスにより、ＧＵＬ伝送方式で、第１の時間単位においてネットワークデバイスに送信され、第１データパケットは第１の新たなデータインジケーション情報に対応し、第１の新たなデータインジケーション情報は、第１データパケットが、初めて伝送されるデータパケットであるか、又は、再伝送されるデータパケットであるかを示すために用いられ、第２の時間単位は時間の観点から第１の時間単位の後に位置する、段階と、
ネットワークデバイスにより、端末デバイスにより送信された第２データパケットを受信する段階であって、第２データパケットは、第１データパケットの再伝送されるデータパケットである、又は、第２データパケットは、第１データパケットとは異なる初めて伝送されるデータパケットである、段階と
を含む。
【００２４】
そのため、本発明の本実施形態におけるデータ伝送方法によれば、第１のＨＡＲＱプロセス番号に対応する第２データパケットを送信するよう端末デバイスに命令するために用いられる第１命令情報をネットワークデバイスが送信した後に、端末デバイスは、第１データパケットに対してバッファリング処理を実行する、又は、第２データパケットに対応する第２の新たなデータインジケーション情報の値と、ＧＵＬ伝送を通じて端末デバイスにより送信される第１データパケットに対応する第１の新たなデータインジケーション情報の値とに基づいて、第２データパケットの伝送タイプを判定して、第２データパケットを送信することが可能にされてよく、第２データパケットは、第１データパケットの再伝送されるデータパケットである、又は、第２データパケットは、第１データパケットとは異なる初めて伝送されるデータパケットである。特に、ネットワークデバイスが第１データパケットを検出していない場合、かつ、ネットワークデバイスが、第１命令情報を用いて、第１のＨＡＲＱプロセス番号に対応する初めて伝送されるデータパケットを伝送するよう端末デバイスに命令した場合、端末デバイスは、もはや第１命令情報に従って初めて伝送されるデータパケットを伝送することはないが、第１データパケットの再伝送されるデータパケットを送信し、もはやバッファ内の第１データパケットを消去することはないが、バッファ内に第１データパケットを保持することが可能にされ得る。そのため、第１データパケットの損失が低減され、データ伝送の信頼性が改善され、システムの柔軟性も改善される。
【００２５】
第２態様に関して、第２態様の第１実施例では、第１の新たなデータインジケーション情報の値が第２の新たなデータインジケーション情報の値と同じである場合、第２データパケットは、第１データパケットの再伝送されるデータパケットである。
【００２６】
第２態様に関して、第２態様の第２実施例では、第２データパケットは、第２の時間単位において端末デバイスにより送信されるデータパケットである。
【００２７】
第２態様に関して、第２態様の第３実施例では、第１の新たなデータインジケーション情報の値が第２の新たなデータインジケーション情報の値と同じである場合、かつ、第１データパケットに対応するトランスポートブロックサイズＴＢＳが第２データパケットに対応するＴＢＳと同じである場合、第２データパケットは第２の時間単位において端末デバイスにより送信されるデータパケットである。
【００２８】
第２態様に関して、第２態様の第４実施例では、第１の新たなデータインジケーション情報の値が第２の新たなデータインジケーション情報の値とは異なる場合、第２データパケットは、第１データパケットとは異なる初めて伝送されるデータパケットである。
【００２９】
第２態様に関して、第２態様の第５実施例では、第１データパケットが第３データパケットの再伝送されるデータパケットである場合、第１の新たなデータインジケーション情報の値は、第３データパケットに対応する第３の新たなデータインジケーション情報の値と同じであり、第３の新たなデータインジケーション情報は、第３データパケットが、初めて伝送されるデータパケットであるか、又は、再伝送されるデータパケットであるかを示すために用いられ、第３データパケットは、ネットワークデバイスが、第３の時間単位において送信するように端末デバイスをスケジューリングするデータパケットであり、第３データパケットは第１のＨＡＲＱプロセス番号に対応し、第３の時間単位は時間の観点から第１の時間単位の前に位置する、又は、
第１データパケットが第３データパケットとは異なる初めて伝送されるデータパケットである場合、第１の新たなデータインジケーション情報の値は、第３データパケットに対応する第３の新たなデータインジケーション情報の値とは異なり、第３の新たなデータインジケーション情報は、第３データパケットが、初めて伝送されるデータパケットであるか、又は、再伝送されるデータパケットであるかを示すために用いられ、第３データパケットは、ネットワークデバイスが、第３の時間単位において送信するように端末デバイスをスケジューリングするデータパケットであり、第３データパケットは第１のＨＡＲＱプロセス番号に対応し、第３の時間単位は時間の観点から第１の時間単位の前に位置する。
【００３０】
第２態様に関して、第２態様の第６実施例では、ネットワークデバイスが第１データパケットを検出した場合、ネットワークデバイスは、第１データパケットの受信状態と第１の新たなデータインジケーション情報とに基づいて、第２の新たなデータインジケーション情報を判定する。
【００３１】
第２態様に関して、第２態様の第７実施例では、方法は、
ネットワークデバイスにより、端末デバイスに制御情報を送信する段階であって、制御情報は第４の新たなデータインジケーション情報を含み、ＧＵＬ伝送方式で情報を送信するために端末デバイスをアクティブ化又は再アクティブ化するのに制御情報が用いられる場合、第４の新たなデータインジケーション情報の値は第１のプリセット値であり、第１の時間単位は、ＧＵＬ伝送方式に対応する半持続的な時間領域リソースに属する、段階をさらに含む。
【００３２】
第２態様に関して、第２態様の第８実施例では、第４データパケットの再伝送されるデータパケットをスケジューリングするために制御情報が用いられる場合、第４の新たなデータインジケーション情報の値は第２のプリセット値であり、第４データパケットは、ＧＵＬ伝送方式で端末デバイスにより送信されるデータパケットであり、第２のプリセット値は第１のプリセット値とは異なる。
【００３３】
第２態様に関して、第２態様の第９実施例では、方法は、
ネットワークデバイスにより、端末デバイスにより送信された第１の新たなデータインジケーション情報を受信する段階をさらに含む。
【００３４】
第３態様によれば、データ伝送装置が提供される。装置は、第１態様及び第１態様の任意の可能な実施例における端末デバイスの動作を実行するように構成されてよい。具体的には、装置は、第１態様又は第１態様の任意の可能な実施例における端末デバイスの動作を実行するように構成されるモジュール又はユニットを含んでよい。
【００３５】
第４態様によれば、データ伝送装置が提供される。装置は、第２態様及び第２態様の任意の可能な実施例におけるネットワークデバイスの動作を実行するように構成されてよい。具体的には、装置は、第２態様及び第２態様の任意の可能な実施例におけるネットワークデバイスの動作を実行するように構成されるモジュール又はユニットを含んでよい。
【００３６】
第５態様によれば、端末デバイスが提供される。端末デバイスは、プロセッサ、送受信機及びメモリを含む。プロセッサ、送受信機及びメモリは、内部接続パスを用いて互いに通信する。メモリは、命令を格納するように構成され、プロセッサは、メモリに格納される命令を実行するように構成される。メモリに格納される命令をプロセッサが実行する場合、当該実行は、端末デバイスが第１態様又は第１態様の任意の可能な実施例における方法を実行することを可能にする、又は、当該実行は、端末デバイスが、第３態様において提供される装置を実装することを可能にする。
【００３７】
第６態様によれば、ネットワークデバイスが提供される。ネットワークデバイスは、プロセッサ、送受信機及びメモリを含む。プロセッサ、送受信機及びメモリは、内部接続パスを用いて互いに通信する。メモリは、命令を格納するように構成され、プロセッサは、メモリに格納される命令を実行するように構成される。メモリに格納される命令をプロセッサが実行する場合、当該実行は、ネットワークデバイスが第２態様又は第２態様の任意の可能な実施例における方法を実行することを可能にする、又は、当該実行は、ネットワークデバイスが第４態様において提供される装置を実装することを可能にする。
【００３８】
第７態様によれば、コンピュータ可読記憶媒体が提供される。コンピュータ可読記憶媒体は、コンピュータプログラムを格納するように構成され、コンピュータプログラムは、第１態様及び第１態様の任意の可能な実施例における方法を実行するために用いられる命令を含む。
【００３９】
第８態様によれば、コンピュータ可読記憶媒体が提供される。コンピュータ可読記憶媒体は、コンピュータプログラムを格納するように構成され、コンピュータプログラムは、第２態様及び第２態様の任意の可能な実施例における方法を実行するために用いられる命令を含む。
【００４０】
上述した実装例のいくつかでは、ネットワークデバイスが第１データパケットを検出し、第１データパケットの受信に成功した場合、第２の新たなデータインジケーション情報の値は、第１の新たなデータインジケーション情報の値とは異なる、又は、
ネットワークデバイスが第１データパケットを検出していない場合、又は、ネットワークデバイスが第１データパケットを検出しており、第１データパケットの受信に成功しなかった場合、第２の新たなデータインジケーション情報の値は、第１の新たなデータインジケーション情報の値と同じである。
【００４１】
上述した実装例のいくつかでは、端末デバイスにより、グラントフリーアップリンクＧＵＬ伝送方式で、第１の時間単位においてネットワークデバイスに第１データパケットを送信する段階の前に、方法は、
端末デバイスにより、ネットワークデバイスにより送信された制御情報を受信する段階であって、制御情報は第４の新たなデータインジケーション情報を含み、ＧＵＬ伝送方式で情報を送信するために端末デバイスをアクティブ化又は再アクティブ化するのに制御情報が用いられる場合、第４の新たなデータインジケーション情報の値は第１のプリセット値である、段階と、
端末デバイスが第１の新たなデータインジケーション情報を判定する場合、端末デバイスにより、第４の新たなデータインジケーション情報を無視する段階と
をさらに含む。
【００４２】
上述した実装例のいくつかでは、第２データパケットは、第１の時間単位の後に送信するようにネットワークデバイスが端末デバイスをスケジューリングし、かつ、第１のＨＡＲＱプロセス番号に対応する次のデータパケット又は最新のデータパケットである。
【００４３】
上述した実装例のいくつかでは、第３データパケットは、第１の時間単位の前に送信するようにネットワークデバイスが端末デバイスをスケジューリングし、かつ、第１のＨＡＲＱプロセス番号に対応する前のデータパケット又は最新のデータパケットである。
【図面の簡単な説明】
【００４４】
【図１】本発明の実施形態が適用されるデータ伝送通信システムの概略図である。
【００４５】
【図２】本発明の実施形態に係るデータ伝送方法の概略的な相互作用図である。
【００４６】
【図３】本発明の実施形態に係るデータ伝送手順におけるネットワークデバイス及び端末デバイスの動作の概略図である。
【図４】本発明の実施形態に係るデータ伝送手順におけるネットワークデバイス及び端末デバイスの動作の概略図である。
【図５】本発明の実施形態に係るデータ伝送手順におけるネットワークデバイス及び端末デバイスの動作の概略図である。
【図６】本発明の実施形態に係るデータ伝送手順におけるネットワークデバイス及び端末デバイスの動作の概略図である。
【図７】本発明の実施形態に係るデータ伝送手順におけるネットワークデバイス及び端末デバイスの動作の概略図である。
【図８】本発明の実施形態に係るデータ伝送手順におけるネットワークデバイス及び端末デバイスの動作の概略図である。
【図９】本発明の実施形態に係るデータ伝送手順におけるネットワークデバイス及び端末デバイスの動作の概略図である。
【図１０】本発明の実施形態に係るデータ伝送手順におけるネットワークデバイス及び端末デバイスの動作の概略図である。
【図１１】本発明の実施形態に係るデータ伝送手順におけるネットワークデバイス及び端末デバイスの動作の概略図である。
【図１２】本発明の実施形態に係るデータ伝送手順におけるネットワークデバイス及び端末デバイスの動作の概略図である。
【００４７】
【図１３】本発明の実施形態に係るデータ伝送装置の概略ブロック図である。
【００４８】
【図１４】本発明の実施形態に係るデータ伝送装置の概略ブロック図である。
【発明を実施するための形態】
【００４９】
以下では、添付の図面を参照して、本発明の実施形態における技術的解決手段を説明する。
【００５０】
本明細書で用いられる「コンポーネント」、「モジュール」及び「システム」などの用語は、コンピュータ関連エンティティ、ハードウェア、ファームウェア、ハードウェアとソフトウェアとの組み合わせ、ソフトウェア、又は、実行されるソフトウェアを示すために用いられる。例えば、コンポーネントは、限定されるものではないが、プロセッサ上で動作するプロセス、プロセッサ、オブジェクト、実行可能なファイル、実行のスレッド、プログラム及び／又はコンピュータであってよい。図に示されるように、コンピューティングデバイス及びコンピューティングデバイス上で動作するアプリケーションは両方ともコンポーネントであり得る。１又は複数のコンポーネントは、プロセス及び／又は実行のスレッド内に存在してよく、コンポーネントは、１つのコンピュータに位置してよい、及び／又は、２つ又はそれより多いコンピュータ間に分散されてよい。さらに、これらのコンポーネントは、様々なデータ構造を格納する様々なコンピュータ可読媒体から実行され得る。コンポーネントは、例えば、ローカル及び／又はリモート処理を用いて、１又は複数のデータパケット（例えば、ローカルシステム、分散システムにおいて及び／又は、信号を用いて他のシステムとインタラクトするインターネットのようなネットワークにわたって、別のコンポーネントとインタラクトする２つのコンポーネントからのデータ）を有する信号に基づいて、通信してよい。
【００５１】
本発明の実施形態は、様々な通信システム、例えば、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ（登録商標））、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム及びＬＴＥシステムのようなシステムに適用されてよく、サポートされる通信は、主に音声及びデータ通信であることを理解されたい。通常、従来の基地局は、制限された数の接続をサポートしており、実装しやすい。
【００５２】
次世代モバイル通信システムは、将来のモバイルデータトラフィックを増大させており、大規模なモノのインターネット、多様な新サービス及び多様なアプリケーションシナリオが可能である。ユニバーサル接続フレームワークとしての機能を果たすことに加えて、新しい世代のセルラネットワークの基本的な５Ｇ新無線（５ｔｈ  Ｇｅｎｅｒａｔｉｏｎ  Ｎｅｗ  Ｒａｄｉｏ、５Ｇ  ＮＲ）は、データ速度、容量、信頼性、効率及びカバレッジを改善し、最新の水準に対するレイテンシを減らして、利用可能なスペクトルリソースの各ビットを十分に用いることが期待されている。さらに、直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）新無線設計に基づく５Ｇは、国際的な基準となり、５Ｇデバイス及び多様な展開をサポートして、（低帯域及び高帯域をカバーすることを含む）多様なスペクトルをカバーするだけでなく、多様なサービス及び端末をサポートする必要がある。
【００５３】
本発明の実施形態は、端末デバイスに関して説明される。端末デバイスは、ユーザ機器（Ｕｓｅｒ  Ｅｑｕｉｐｍｅｎｔ、ＵＥ）、アクセス端末、加入者ユニット、加入者ステーション、移動局、リモートステーション、リモート端末、モバイルデバイス、ユーザ端末、端末、無線通信デバイス、ユーザエージェント又はユーザ装置とも称され得る。端末デバイスは、無線ローカルエリアネットワーク（Ｗｉｒｅｌｅｓｓ  Ｌｏｃａｌ  Ａｒｅａ  Ｎｅｔｗｏｒｋｓ、ＷＬＡＮ）における局（Ｓｔａｔｉｏｎ、ＳＴ）、携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）デバイス、無線通信機能を有するハンドヘルドデバイス、コンピューティングデバイス、無線モデムに接続される別の処理デバイス、車載デバイス、ウェアラブルデバイス、将来の５Ｇネットワークにおける端末デバイス、又は、将来の進化型ＰＬＭＮネットワークなどにおける端末デバイスであってよい。
【００５４】
さらに、本発明の実施形態は、ネットワークデバイスに関して説明される。ネットワークデバイスは、モバイルデバイスと通信するように構成されるデバイスであってよい。ネットワークデバイスは、ＷＬＡＮにおけるアクセスポイント（ＡＣＣＥＳＳ  ＰＯＩＮＴ、ＡＰ）又はＧＳＭ（登録商標）におけるベーストランシーバ基地局（Ｂａｓｅ  Ｔｒａｎｓｃｅｉｖｅｒ  Ｓｔａｔｉｏｎ、ＢＴＳ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）であってよく、又は、ＷＣＤＭＡ（登録商標）におけるノードＢ（ＮｏｄｅＢ、ＮＢ）であってよく、又は、ＬＴＥにおける進化型ノードＢ（Ｅｖｏｌｕｔｉｏｎａｌ  Ｎｏｄｅ  Ｂ、ｅＮＢ又はｅＮｏｄｅＢ）であってよく、又は、リレー局又はアクセスポイント又は車載デバイス、ウェアラブルデバイス、将来の５Ｇネットワークにおけるネットワークデバイス、将来の進化型ＰＬＭＮネットワークなどにおけるネットワークデバイスであってよい。
【００５５】
本発明の実施形態において提供される方法及び装置は、端末デバイス又はネットワークデバイスに適用され得る。端末デバイス又はネットワークデバイスは、ハードウェアレイヤ、ハードウェアレイヤ上で実行するオペレーティングシステムレイヤ、及び、オペレーティングシステムレイヤ上で実行するアプリケーションレイヤを含む。ハードウェアレイヤは、中央演算処理装置（Ｃｅｎｔｒａｌ  Ｐｒｏｃｅｓｓｉｎｇ  Ｕｎｉｔ、ＣＰＵ）、メモリ管理ユニット（Ｍｅｍｏｒｙ  Ｍａｎａｇｅｍｅｎｔ  Ｕｎｉｔ、ＭＭＵ）及びメモリ（メインメモリとも称される）などのハードウェアを含む。オペレーティングシステムは、プロセス（Ｐｒｏｃｅｓｓ）を用いてサービス処理を実施する任意の１又は複数のコンピュータオペレーティングシステム、例えば、Ｌｉｎｕｘ（登録商標）オペレーティングシステム、Ｕｎｉｘ（登録商標）オペレーティングシステム、Ａｎｄｒｏｉｄ（登録商標）オペレーティングシステム、ｉＯＳオペレーティングシステム又はＷｉｎｄｏｗｓ（登録商標）オペレーティングシステムであってよい。アプリケーションレイヤは、ブラウザ、アドレスブック、文書作成ソフトウェア及びインスタントメッセージソフトウェアなどのアプリケーションを含む。さらに、本発明の実施形態では、制御情報伝送方法の実行本体についての特定の構造は、本発明の実施形態に特に限定されるわけではないが、ただし、本発明の実施形態における制御情報伝送方法のコードを記録するプログラムを実行することにより、本発明の実施形態における制御情報伝送方法に基づいて、通信を実行できる。例えば、本発明の実施形態における無線通信方法は、端末デバイス又はネットワークデバイス、又は、端末デバイス又はネットワークデバイスにあり、かつ、プログラムを呼び出して実行できる機能モジュールにより実行されてよい。
【００５６】
さらに、本発明の実施形態の態様又は機能は、標準的なプログラミング及び／又はエンジニアリング技術を用いる方法、装置又は製品として実装され得る。本発明の実施形態で用いられる用語「製品」は、任意のコンピュータ可読コンポーネント、キャリア又は媒体からアクセスされ得るコンピュータプログラムをカバーする。例えば、コンピュータ可読媒体は、限定されることはないが、磁気的な記憶コンポーネント（例えば、ハードディスク、フロッピーディスク又は磁気テープ）、光ディスク（例えば、コンパクトディスク（Ｃｏｍｐａｃｔ  Ｄｉｓｃ、ＣＤ）、デジタル多用途ディスク（Ｄｉｇｉｔａｌ  Ｖｅｒｓａｔｉｌｅ  Ｄｉｓｃ、ＤＶＤ））、スマートカード及びフラッシュメモリコンポーネント（例えば、消去可能プログラマブルリードオンリメモリ（Ｅｒａｓａｂｌｅ  Ｐｒｏｇｒａｍｍａｂｌｅ  Ｒｅａｄ‐Ｏｎｌｙ  Ｍｅｍｏｒｙ、ＥＰＲＯＭ）、カード、スティック又はキードライブ）を含み得る。さらに、本明細書において説明される様々な記憶媒体は、情報を格納するように構成される１又は複数のデバイス及び／又は他の機械可読媒体を示してよい。用語「機械可読媒体」は、限定されることはないが、無線チャネル、命令及び／又はデータを格納、包含及び／又は保持できる様々な他の媒体を含み得る。
【００５７】
図１は、本発明の実施形態が適用されるデータ伝送通信システムの概略図である。図１に示されるように、通信システム１００は、ネットワークデバイス１０２を含む。ネットワークデバイス１０２は、複数のアンテナ、例えば、アンテナ１０４、１０６、１０８、１１０、１１２及び１１４を含んでよい。さらに、ネットワークデバイス１０２は、送信機チェーン及び受信機チェーンをさらに含んでよい。当業者であれば、送信機チェーン及び受信機チェーンがそれぞれ、信号の送受信に関連する複数のコンポーネント（例えば、プロセッサ、変調器、マルチプレクサ、復調器、デマルチプレクサ又はアンテナ）を含み得ることを理解し得る。
【００５８】
ネットワークデバイス１０２は、複数の端末デバイス（例えば、端末デバイス１１６及び端末デバイス１２２）と通信し得る。しかしながら、ネットワークデバイス１０２は、端末デバイス１１６又は１２２と同様の任意の数の端末デバイスと通信し得ることが理解され得る。例えば、端末デバイス１１６及び１２２は、携帯電話、スマートフォン、ポータブルコンピュータ、ハンドヘルド通信デバイス、ハンドヘルドコンピューティングデバイス、衛星無線装置、グローバルポジショニングシステム、ＰＤＡ、及び／又は、無線通信システム１００において通信を実行するように構成される任意の他の適切なデバイスであってよい。
【００５９】
図１に示されるように、端末デバイス１１６は、アンテナ１１２及び１１４と通信する。アンテナ１１２及び１１４は、順方向リンク１１８を用いて端末デバイス１１６に情報を送信し、逆方向リンク１２０を用いて端末デバイス１１６から情報を受信する。さらに、端末デバイス１２２は、アンテナ１０４及び１０６と通信する。アンテナ１０４及び１０６は、順方向リンク１２４を用いて端末デバイス１２２に情報を送信し、逆方向リンク１２６を用いて端末デバイス１２２から情報を受信する。
【００６０】
例えば、周波数分割複信（Ｆｒｅｑｕｅｎｃｙ  Ｄｉｖｉｓｉｏｎ  Ｄｕｐｌｅｘ、ＦＤＤ）システムでは、順方向リンク１１８及び逆方向リンク１２０は異なる帯域を使用してよく、順方向リンク１２４及び逆方向リンク１２６は異なる帯域を使用してもよい。
【００６１】
別の例として、時分割複信（Ｔｉｍｅ  Ｄｉｖｉｓｉｏｎ  Ｄｕｐｌｅｘ、ＴＤＤ）システム及び全二重（Ｆｕｌｌ  Ｄｕｐｌｅｘ）システムでは、順方向リンク１１８及び逆方向リンク１２０は同じ帯域を使用してよく、順方向リンク１２４及び逆方向リンク１２６は同じ帯域を使用してよい。
【００６２】
各アンテナ（又は、複数のアンテナを含むアンテナグループ）及び／又は通信用に設計された領域は、ネットワークデバイス１０２のセクタと称される。例えば、アンテナグループは、ネットワークデバイス１０２のカバレッジ内のセクタにおける端末デバイスと通信するように設計され得る。順方向リンク１１８及び１２４を用いて、ネットワークデバイス１０２が端末デバイス１１６及び１２２と別々に通信する手順では、ネットワークデバイス１０２の伝送アンテナはビームフォーミングを通じて順方向リンク１１８及び１２４の信号対雑音比を改善し得る。さらに、ネットワークデバイスが、ネットワークデバイスにより供給されるすべての端末デバイスに単一のアンテナを用いて信号を送信する方式と比較して、ネットワークデバイス１０２が、関連するカバレッジ内でランダムに分散される端末デバイス１１６及び１２２に対して、ビームフォーミングを通じて信号を送信する場合、隣接セル内のモバイルデバイスに対して引き起こされる干渉が少ない。
【００６３】
所与の時点で、ネットワークデバイス１０２、端末デバイス１１６又は端末デバイス１２２は、無線通信送信装置及び／又は無線通信受信装置であってよい。データを送信する場合、無線通信送信装置は、伝送用のデータをエンコードしてよい。
【００６４】
具体的には、無線通信送信装置は、チャネルを用いて無線通信受信装置に送信される特定の数のデータビットを取得（例えば、生成、別の通信装置から受信、又は、メモリに格納）してよい。データビットは、データの１つのトランスポートブロック（又は、複数のトランスポートブロック）に含まれてよく、トランスポートブロックは、複数のコードブロックを生成するためにセグメント化されてよい。
【００６５】
さらに、通信システム１００は、公衆陸上移動体ネットワーク（Ｐｕｂｌｉｃ  Ｌａｎｄ  Ｍｏｂｉｌｅ  Ｎｅｔｗｏｒｋ、ＰＬＭＮ）、Ｄ２Ｄネットワーク、Ｍ２Ｍネットワーク又は別のネットワークであってよい。図１は、簡略化された概略図の例に過ぎない。ネットワークは、図１には示されていない別のネットワークデバイスをさらに含んでよい。
【００６６】
無線通信のために通信システム１００において用いられる時間‐周波数リソースが以下で詳細に説明される。
【００６７】
本発明の本実施形態では、情報を伝送するためにネットワークデバイス及び端末デバイスにより用いられる時間領域リソースは、時間領域において複数の時間単位に分割され得る。
【００６８】
さらに、本発明の本実施形態では、複数の時間単位が連続的であってよい、又は、予め設定されたインターバルがいくつかの隣接する時間単位の間に設定される。これは本発明の本実施形態において特に限定されることではない。
【００６９】
本発明の本実施形態では、時間単位は、アップリンク情報（例えば、アップリンクデータ）及び／又はダウンリンク情報（例えば、ダウンリンクデータ）を伝送するために用いられる時間単位を含み得る。
【００７０】
本発明の本実施形態において、１つの時間単位の長さはランダムに設定されてよい。これは本発明の本実施形態において特に限定されることではない。
【００７１】
例えば、１つの時間単位は１又は複数のサブフレームを含み得る。
【００７２】
代わりに、１つの時間単位は１又は複数のスロットを含み得る。
【００７３】
代わりに、１つの時間単位は１又は複数のシンボルを含み得る。
【００７４】
代わりに、１つの時間単位は１又は複数のＴＴＩを含み得る。
【００７５】
代わりに、１つの時間単位は、１又は複数のショート伝送時間間隔（ｓｈｏｒｔ  Ｔｒａｎｓｍｉｓｓｉｏｎ  Ｔｉｍｅ  Ｉｎｔｅｒｖａｌ、ｓＴＴＩ）を含み得る。
【００７６】
本発明の本実施形態では、無線通信のために通信システム１００において用いられる時間‐周波数リソースは、時間領域において複数のＴＴＩに分割されてよい。ＴＴＩは、現在の通信システム（例えば、ＬＴＥシステム）において一般的に用いられるパラメータであり、無線リンク上での情報伝送をスケジューリングするためのスケジューリングユニットである。従来技術では、１ＴＴＩ＝１ｍｓであると通常みなされる。つまり、１つのＴＴＩは、１つのサブフレーム（ｓｕｂｆｒａｍｅ）又は２つのスロット（ｓｌｏｔ）である。ＴＴＩは、無線リソース管理（例えば、スケジューリング）における基本時間単位である。
【００７７】
通信ネットワークにおいて、レイテンシは、重要な性能指標であり、ユーザエクスペリエンスに影響を与える。通信プロトコルの開発に伴い、レイテンシに非常に大きな影響を与える物理レイヤのスケジューリング間隔がより小さくなっている。初期のＷＣＤＭＡ（登録商標）におけるスケジューリング間隔は１０ｍｓであり、高速パケットアクセス（Ｈｉｇｈ‐Ｓｐｅｅｄ  Ｐａｃｋｅｔ  Ａｃｃｅｓｓ、ＨＳＰＡ）におけるスケジューリング間隔は２ｍｓに短縮されており、ロングタームエボリューション（Ｌｏｎｇ  Ｔｅｒｍ  Ｅｖｏｌｕｔｉｏｎ、ＬＴＥ）におけるスケジューリング間隔（すなわち、ＴＴＩ）は１ｍｓに短縮されている。
【００７８】
低レイテンシサービス要件に起因して、スケジューリング間隔をさらに短縮してユーザエクスペリエンスを改善するためには、より短いＴＴＩフレーム構造が物理レイヤにおいて導入される必要がある。例えば、ＬＴＥシステムにおけるＴＴＩの長さは、１ｍｓから、１シンボル（ｓｙｍｂｏｌ）から１スロット（７つのシンボルを含む）の範囲に短縮され得る。上述したシンボルは、ＬＴＥシステムにおける直交周波数分割多重方式（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボル又は単一搬送波周波数分割多元接続（Ｓｉｎｇｌｅ  Ｃａｒｒｉｅｒ‐Ｆｒｅｑｕｅｎｃｙ  Ｄｉｖｉｓｉｏｎ  Ｍｕｌｔｉｐｌｅ  Ａｃｃｅｓｓ、ＳＣ‐ＦＤＭＡ）シンボルであってよい、又は、別の通信システムにおけるシンボルであってよい。別の例として、５Ｇの通信システムにおけるＴＴＩの長さはまた、１ｍｓよりも短い。
【００７９】
ＬＴＥシステムにおいて長さが１ｍｓであるＴＴＩに基づくデータ伝送において、データ伝送のラウンドトリップタイム（Ｒｏｕｎｄ‐Ｔｒｉｐ  Ｔｉｍｅ、ＲＴＴ）は通常８ｍｓである。長さが１ｍｓであるＴＴＩに基づく既存のスケジューリングと比較して、処理時間が相対的に短縮され、具体的には、依然として既存のＲＴＴレイテンシに準拠していることが想定される。長さが０．５ｍｓであるｓＴＴＩに基づくデータ伝送の間、データ伝送のＲＴＴは４ｍｓである。レイテンシは、長さが１ｍｓであるＴＴＩに基づくデータ伝送におけるレイテンシよりも半分に減らされ得る。そのため、ユーザエクスペリエンスが改善される。
【００８０】
長さが１ｍｓより短いＴＴＩは、ｓＴＴＩと称され得る。例えば、ＬＴＥシステムにおいて、ｓＴＴＩの長さは、１つのシンボルから７つのシンボルのうちのいずれか１つの長さと同じであってよい、又は、ｓＴＴＩの長さは、１つのシンボルから７つのシンボルのうちの少なくとも２つの異なる長さの組み合わせであってよい。例えば、１ｍｓは６つのｓＴＴＩを含み、ｓＴＴＩの長さはそれぞれ、３つのシンボル、２つのシンボル、２つのシンボル、２つのシンボル、２つのシンボル及び３つのシンボルであってよい。代わりに、１ｍｓは４つのｓＴＴＩを含み、ｓＴＴＩの長さはそれぞれ、３つのシンボル、４つのシンボル、３つのシンボル及び４つのシンボルであってよい、又は、他の異なる長さの組み合わせであってもよい。
【００８１】
さらに、アップリンクｓＴＴＩ長は、ダウンリンクｓＴＴＩ長と同じであってよい。例えば、アップリンクｓＴＴＩ長及びダウンリンクｓＴＴＩ長はそれぞれ２つのシンボルである。
【００８２】
代わりに、アップリンクｓＴＴＩ長は、ダウンリンクｓＴＴＩ長より大きくてよい。例えば、アップリンクｓＴＴＩ長は７つのシンボルであり、ダウンリンクｓＴＴＩ長は２つのシンボルである。
【００８３】
代わりに、アップリンクｓＴＴＩ長は、ダウンリンクｓＴＴＩ長より短くてよい。例えば、アップリンクｓＴＴＩ長は４つのシンボルであり、ダウンリンクｓＴＴＩ長は１つのサブフレームである。
【００８４】
ＴＴＩの長さが１サブフレーム又は１ｍｓよりも短いデータパケットは、ショートＴＴＩデータパケットと称される。ショートＴＴＩデータ伝送は、周波数領域において連続的に又は不連続に実行され得る。後方互換性を考慮して、長さが１ｍｓであるＴＴＩに基づくデータ伝送及びｓＴＴＩに基づくデータ伝送の両方がシステムにおいて共存し得ることに留意されたい。
【００８５】
本発明の本実施形態では、従来技術（例えば、ＬＴＥシステム）において特定されるＴＴＩ（例えば、長さが１ｍｓである、又は、１ｍｓより長いＴＴＩ）及びｓＴＴＩはまとめてＴＴＩと称され得る。さらに、本発明の本実施形態では、ＴＴＩの長さが実際の要件に基づいて変化してよい。
【００８６】
上記で挙げられた時間単位の構造は説明のための例に過ぎず、本発明の本実施形態において特に限定されるものではないことを理解されたい。時間単位の構造は、実際の要件に基づいてランダムに変更されてよい。例えば、ｓＴＴＩをサポートしていないＬＴＥシステムについて、１つの時間単位は１つのサブフレーム（Ｓｕｂｆｒａｍｅ）であってよい。別の例として、ｓＴＴＩをサポートするＬＴＥシステムについて、１つの時間単位は１つのｓＴＴＩを含んでよく、１つの時間単位は１つのスロット（Ｓｌｏｔ）を含んでよく、１つの時間単位は１又は複数（例えば、７より小さい正の整数の数又は６より小さい正の整数の数）のシンボルを含んでよく、又は、１つの時間単位は１つのサブフレームであってよい。
【００８７】
１つの時間単位が少なくとも１つのシンボルを含む場合、少なくとも１つのシンボルのうちのいずれか１つが完全なシンボルであってよい、又は、シンボルの一部であってよいことを理解されたい。シンボルの一部は、シンボルのいくつかの時間領域リソースが、情報を送信するためにデバイスにより占有されているが、シンボルの残りの部分は、情報を送信するためには用いられていない、つまり、アイドルとして予約されていることを意味する。
【００８８】
本発明の本実施形態では、時間単位の情報伝送のために用いられる長さ（つまり、情報伝送の持続時間）は、１ｍｓであってよい、又は、１ｍｓより短くてよいことに留意されたい。
【００８９】
本発明の本実施形態では、通信システム１００において用いられる伝送リソースにおける周波数領域リソース（つまり、スペクトルリソース）は、認可されたリソースであってよい。つまり、通信システム１００において用いられるリソースにおける周波数領域リソースは、認可された帯域に属し得る。
【００９０】
代わりに、本発明の本実施形態では、通信システム１００において用いられるリソース（伝送リソース又は時間‐周波数リソース）における周波数領域リソース（つまり、スペクトルリソース）は、認可されていない帯域（つまり、認可されていないリソース）に属し得る。
【００９１】
認可されていないリソースは、通信デバイスにより共有され得るリソースであってよい。
【００９２】
認可されていない帯域におけるリソースの共有は、帯域を共有する複数のデバイスが基本的な共存要件を満たすことを保証すべく、伝送電力のインデックス及び帯域外漏洩などに対する制限のみが特定のスペクトルの使用のために設定されることを意味する。オペレータは、認可されていない帯域リソースを用いてネットワーク容量の開放を実施できるが、認可されていない帯域リソース上の異なる領域及び異なるスペクトルについての規制上の要件に準拠する必要がある。通常、これらの要件は、公共システム、例えば、レーダを保護するために、及び、複数のシステムが適正に共存し、できるだけ互いにほとんど悪影響を与えないことを保証するために規格化されており、伝送電力制限、帯域外漏洩インデックス、及び、屋内及び屋外での使用制限を含む。さらに、いくつかの領域はいくつかの追加的な共存ポリシなどをさらに有する。例えば、通信デバイスは、競合方式又はリスニング方式、例えば、リッスン・ビフォー・トーク（ＬＢＴ、Ｌｉｓｔｅｎ  Ｂｅｆｏｒｅ  Ｔａｌｋ）において特定される方式で時間‐周波数リソースを用いることができる。
【００９３】
さらに、本発明の本実施形態では、通信システム１００における通信デバイスは、認可されたスペクトルリソースを用いて無線通信をさらに実行してよい。つまり、本発明の本実施形態における通信システム１００は、認可された帯域を用いることができる通信システムである。
【００９４】
本発明の本実施形態では、２つの伝送方式がアップリンク伝送に用いられる。具体的には、一方はスケジューリングベースの伝送方式であり、他方はスケジューリングフリーベースの伝送方式である。２つの伝送方式が以下で簡潔に説明される。
【００９５】
スケジューリングベースのアップリンク伝送方式
【００９６】
具体的には、端末デバイスのアップリンク伝送は、ネットワークデバイスによりスケジューリングされる必要がある。スケジューリングベースのアップリンク伝送（Ｓｃｈｅｄｕｌｅｄ  ＵｐＬｉｎｋ、ＳＵＬ）方式は、ＳＵＬ伝送方式とも称される。具体的に、アップリンク伝送を実行する（又は、アップリンクデータを伝送する）前に、端末デバイスは、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）上でネットワークデバイスにスケジューリング要求（Ｓｃｈｅｄｕｌｉｎｇ  Ｒｅｑｕｅｓｔ、ＳＲ）を送信する必要がある。ＳＲをネットワークが受信した後に、ネットワークデバイスは、スケジューリング情報（つまり、アップリンクグラント（ＵｐＬｉｎｋ  Ｇｒａｎｔ、ＵＬ  Ｇｒａｎｔ）情報）を端末デバイスに送信することで、端末デバイスは、スケジューリング情報により示されるアップリンクリソースに基づいてアップリンク伝送を実行する。そのようなスケジューリングベースの伝送方式は高い信頼性を有するが、比較的高い伝送遅延を引き起こす。
【００９７】
本発明の本実施形態では、ネットワークデバイスのスケジューリングに基づいてＳＵＬ伝送方式で情報を送信するために用いられるＳＵＬ無線リソースは、ＳＵＬ物理制御アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）とも称され、ＳＵＬ  ＰＵＳＣＨはまた、１ｍｓより短いｓＴＴＩに対応するｓＰＵＳＣＨを含む。
【００９８】
スケジューリングフリーベースのアップリンク伝送方式
【００９９】
具体的には、端末デバイスのアップリンク伝送は、ネットワークデバイスによりスケジューリングされる必要はない。そのようなスケジューリングフリーベースのアップリンク伝送方式は、グラントフリーアップリンク（Ｇｒａｎｔ  ｆｒｅｅ  ＵｐＬｉｎｋ、ＧＵＬ）伝送方式と称され得る、又は、自律アップリンク（Ａｕｔｏｎｏｍｏｕｓ  ＵＬ、ＡＵＬ）伝送方式と称され得る。要するに、ネットワークデバイスは、半持続的な方式で、端末デバイスにＧＵＬリソースを割り当てる。アップリンク伝送を実行する場合、端末デバイスは、ネットワークデバイスにスケジューリング要求ＳＲを送信して、ネットワークデバイスがＵＬグラント情報を送信するのを待つ必要はなく、ＧＵＬリソースを用いてアップリンク伝送を直接実行し得ることで伝送遅延を減らす。
【０１００】
以下では、本発明の本実施形態におけるＧＵＬ伝送方式を詳細に説明する。
【０１０１】
本発明の本実施形態では、ＧＵＬ伝送方式は、端末デバイスがＧＵＬ無線リソースを用いてデータを伝送することであってよい。ＧＵＬ無線リソースは、端末デバイスに対してのみネットワークデバイスにより割り当てられ、別の端末デバイスには割り当てられないリソースであってよい。代わりに、端末デバイスのサービス伝送が予期されないので、アップリンクサービスがない場合、端末デバイスは、ＧＵＬ無線リソースを占有しなくてよい。この場合、リソースの利用効率を改善するために、ネットワークデバイスは、端末デバイスを含む複数の端末デバイスにＧＵＬ無線リソースを割り当て得ることで、複数の端末デバイスは、統計的多重化方式でリソースを共有する。これは本発明の本実施形態において特に限定されることではない。さらに、本発明の本実施形態では、端末デバイスがアップリンク伝送を実行する必要があるとネットワークデバイスが判定した後に、ＧＵＬ無線リソースが、ネットワークデバイスにより端末デバイスに割り当てられてよい。代わりに、例えば、ネットワークデバイスにより供給されるセルに端末デバイスがアクセスする場合に、ＧＵＬ無線リソースが端末デバイスに割り当てられてよい。代わりに、例えば、ネットワークデバイスが、競合を通じて、通信システムにより提供される認可されていない時間‐周波数リソースを取得した場合に、競合を通じて取得され、かつ、端末デバイスに割り当てられた認可されていない時間‐周波数リソースの一部又はすべてにおいて、ＧＵＬ無線リソースが判定されてよい。これは本願の本実施形態において特に限定されることではない。
【０１０２】
ＧＵＬ無線リソースは、ネットワークデバイスにより端末デバイスに割り当てられる、又は、ネットワークデバイスによりアクティブ化されるすべての利用可能なＧＵＬ無線リソースのサブセットである。利用可能なＧＵＬ無線リソースは、利用可能なＧＵＬ時間領域リソース及び利用可能なＧＵＬ周波数領域リソースに対応する。利用可能なＧＵＬ時間領域リソースは持続的である。具体的には、利用可能なＧＵＬ時間領域リソースは周期的であり、各ＧＵＬ期間は少なくとも１つの時間単位を含む。例えば、期間として４ｍｓが用いられる。各期間における最初の２ｍｓは、利用可能なＧＵＬ時間領域リソースであり、サブフレーム｛＃１、＃２｝、｛＃５、＃６｝、｛＃９、＃１０｝などを含む。利用可能なＧＵＬ時間領域リソースにおける任意の時間単位について、端末デバイスは、時間単位においてアップリンクデータを送信してよい、又は、時間単位においてアップリンクデータを送信しなくてよい、つまり、時間単位を占有しない。例えば、端末デバイスが、アップリンクサービスを有していない、又は、ＧＵＬ時間領域無線リソースにおける時間単位の前のＬＢＴを実行することに失敗した場合、端末デバイスは、アップリンクデータを送信することなく当該時間単位をスキップ（ｓｋｉｐ）してよい。代わりに、端末デバイスは、ＧＵＬ期間においてアップリンクデータを送信するために、ＧＵＬ期間内の任意の時間単位を占有しない、つまり、当該ＧＵＬ期間をスキップしてよい。ＧＵＬ無線リソースに対応する周波数領域リソースはまた、利用可能なＧＵＬ周波数領域リソースに含まれ、第１の時間単位に対応する利用可能なＧＵＬ周波数領域リソースに等しい又はこれより少なくてよい。これは本明細書において限定されるものではない。
【０１０３】
ＧＵＬ無線リソースは、アップリンクデータ（ＵＬ‐Ｓｈａｒｅｄ  ＣＨａｎｎｅｌ、ＵＬ‐ＳＣＨ）を伝送するためのリソースである。より具体的には、ＧＵＬ無線リソースは、物理アップリンクデータチャネル（Ｐｈｙｓｉｃａｌ  Ｕｐｌｉｎｋ  Ｓｈａｒｅｄ  Ｃｈａｎｎｅｌ、ＰＵＳＣＨ）リソースであってよく、ＧＵＬ無線リソースは、ＧＵＬ  ＰＵＳＣＨとも称される。ＧＵＬ  ＰＵＳＣＨはまた、１ｍｓより短いｓＴＴＩに対応するｓＰＵＳＣＨ（ｓｈｏｒｔ  ＰＵＳＣＨ）を含む。
【０１０４】
上述したように、利用可能なＧＵＬ無線リソースは周期的であり、その結果、ネットワークデバイスは、上位レイヤシグナリングを用いて利用可能なＧＵＬ無線リソースの期間を構成してよい。つまり、ＧＵＬ  ＰＵＳＣＨは、高レイヤシグナリングに基づいて判定される。一方、ＳＵＬ  ＰＵＳＣＨは、ＰＤＣＣＨにおけるネットワークデバイスの動的なシグナリングに基づいてネットワークデバイスによりスケジューリングされる。
【０１０５】
さらに、ネットワークデバイスによりＧＵＬ  ＰＵＳＣＨを構成することは、端末デバイスがＳＲを報告する必要はない。一方、端末デバイスにより送信されたＳＲをネットワークデバイスが受信した後のみ、ネットワークデバイスによりスケジューリングされるＳＵＬ  ＰＵＳＣＨが、ネットワークデバイスにより端末デバイスに示される。
【０１０６】
さらに、周期的で持続的なリソースである利用可能なＧＵＬリソースと比較して、ネットワークデバイスによりスケジューリングされるＳＵＬ  ＰＵＳＣＨは、一度だけ有効になり、スケジューリングされたＰＵＳＣＨは、制限時間の範囲において制限された数の時間単位に対応し、継続的に有効なわけではない。
【０１０７】
さらに、本発明の本実施形態では、限定ではなく例示を目的として、ネットワークデバイスは、ＧＵＬ無線リソースを構成するために用いられる関連するシグナリング（例えば、ＰＤＣＣＨにおける上位レイヤシグナリング及び／又は動的なシグナリング）を端末デバイスに送信し得ることで、端末デバイスは、ＧＵＬ無線リソースを判定することができる。具体的には、端末デバイスは、時間領域におけるＧＵＬ無線リソースに含まれる少なくとも１つの時間単位を判定してよい。さらに、端末デバイスは、少なくとも１つの時間単位の総数及び位置を判定してよい。
【０１０８】
さらに、本発明の本実施形態におけるＧＵＬ伝送方式では、端末デバイスは、グラントフリーアップリンク制御情報（Ｇｒａｎｔ  ｆｒｅｅ  ＵｐＬｉｎｋ  Ｃｏｎｔｒｏｌ  Ｉｎｆｏｒｍａｔｉｏｎ、Ｇ‐ＵＣＩ）を搬送して、ＧＵＬ伝送方式で送信されるアップリンクデータの関連情報を報告し、Ｇ‐ＵＣＩは、アップリンクデータに対応する制御情報である。Ｇ‐ＵＣＩは、アップリンクデータに対応するＨＡＲＱプロセスのＨＡＲＱプロセス番号に関する情報、新たなデータインジケータ（Ｎｅｗ  Ｄａｔａ  Ｉｎｄｉｃａｔｏｒ、ＮＤＩ）に関する情報、アップリンクデータに対応する冗長バージョン（Ｒｅｄｕｎｄａｎｃｙ  Ｖｅｒｓｉｏｎ、ＲＶ）に関する情報及び端末デバイスのユーザ識別子（ＵＥ  ＩＤとして示される）に関する情報内の少なくとも一部の情報を含む。アップリンクデータを取得するために、ネットワークデバイスは、まず、Ｇ‐ＵＣＩを取得して、次に、Ｇ‐ＵＣＩに基づいてＧＵＬ  ＰＵＳＣＨを復調及びデコードすることで、アップリンクデータを取得する必要がある。一方、ネットワークデバイスによりスケジューリングされたＰＵＳＣＨについては、上述した制御情報がスケジューリング情報動的ＵＬグラントに含まれているので、端末デバイスは、アップリンク伝送中に情報を搬送する必要はない。
【０１０９】
既存の通信システムでは、上述した２つの伝送方式が組み合わせて用いられ得る、又は、別々に用いられ得る。これは本発明の本実施形態において限定されることはない。
【０１１０】
本発明の実施形態におけるデータパケットは複数の説明を有し得る。データパケットは、符号化及び変調処理が実行されていないビットシーケンス、すなわち、トランスポートブロック（Ｔｒａｎｓｐｏｒｔ  Ｂｌｏｃｋ、ＴＢ）又はメディアアクセス制御（Ｍｅｄｉａ  Ａｃｃｅｓｓ  Ｃｈａｎｎｅｌ、ＭＡＣ）プロトコルデータユニットＰＤＵ（Ｐｒｏｔｏｃｏｌ  Ｄａｔａ  Ｕｎｉｔ）であってよい。代わりに、データパケットは、符号化及び変調処理が実行されるビットシーケンス（データ信号としても理解され得る）であってよい。
【０１１１】
以下では、図２から図１２を参照して、本発明の実施形態に係るデータ伝送方法を詳細に説明する。図２は、本発明の実施形態に係るデータ伝送方法の概略的な相互作用図である。
【０１１２】
Ｓ２１０において、端末デバイスは、グラントフリーアップリンクＧＵＬ伝送方式で、第１の時間単位においてネットワークデバイスに第１データパケットを送信し、第１データパケットは第１のハイブリッド自動再送要求ＨＡＲＱプロセス番号に対応し、第１データパケットは第１の新たなデータインジケーション情報に対応し、第１の新たなデータインジケーション情報は、第１データパケットが、初めて伝送されるデータパケットであるか、又は、再伝送されるデータパケットであるかを示すために用いられる。
【０１１３】
具体的には、上述したように、データパケット＃１（すなわち、第１データパケットの例）を送信する場合、端末デバイスは、ネットワークデバイスにスケジューリング要求ＳＲを送信して、ネットワークデバイスがＵＬグラント情報を送信するのを待つ必要はなく、ＧＵＬリソースを用いてアップリンク伝送を直接実行し得ることで、伝送遅延を減らす。ＧＵＬ伝送方式についての具体的に関連する説明はすでに上記で詳細に説明されている。詳細がここで再びを説明されることはない。
【０１１４】
新たなデータインジケーション情報＃１（すなわち、第１の新たなデータインジケーション情報の例）は、データパケット＃１に対応する。つまり、新たなデータインジケーション情報＃１は、データパケット＃１が、初めて伝送されるデータパケットであるか、又は、再伝送されるデータパケットであるかを示すために用いられる。新たなデータインジケーション情報＃１のサイズは１ビットであってよく、新たなデータインジケーション情報＃１の値は、「０」及び「１」という２つの状態に対応し、それらは、データパケット＃１が初めて伝送されるデータパケットである又は再伝送されるデータパケットであることを示すためにそれぞれ用いられる。
【０１１５】
データパケット＃１が、初めて伝送されるデータパケットであるか、又は、再伝送されるデータパケットであるかを示すために、新たなデータインジケーション情報＃１が用いられることに留意されたい。受信端（新たなデータインジケーション情報＃１について、受信端はネットワークデバイスである）は、新たなデータインジケーション情報＃１に基づいてしか、データパケット＃１が、初めて伝送されるデータパケットであるか、又は、再伝送されるデータパケットであるかを判定することができないが、受信端はさらに、データパケット＃１の、同じＨＡＲＱプロセス番号（すなわち、第１のＨＡＲＱプロセス番号）に対応する前のデータパケットに対応する新たなデータインジケーション情報の値に基づいて、データパケット＃１が、初めて伝送されるデータパケットであるか、又は、再伝送されるデータパケットであるかを判定する必要があり、データパケット＃１の、第１のＨＡＲＱプロセス番号に対応する前のデータパケットは、時間単位＃１（すなわち、第１の時間単位の例）の前に送信されたデータパケットである。代わりに、受信端に関して、新たなデータインジケーション情報＃１は、データパケット＃１が、初めて伝送されるデータパケットであるか、又は、再伝送されるデータパケットであるかを判定するために用いられる複数の要因のうちの１つに過ぎず、受信端はさらに、データパケット＃１が、初めて伝送されるデータパケットであるか、又は、再伝送されるデータパケットであるかを、他の情報を参照して判定する必要があるものとしても理解され得る。
【０１１６】
例えば、データパケット＃１の、第１のＨＡＲＱプロセス番号に対応する前のデータパケットに対応する新たなデータインジケーション情報の値が「０」であり、新たなデータインジケーション情報＃１の値が「１」である場合、受信端（つまり、ネットワークデバイス）は、２つの新たなデータインジケーション情報の値を比較して、データパケット＃１が、初めて伝送されるデータパケットであるか、又は、再伝送されるデータパケットであるかを判定する必要がある。より具体的には、２つの新たなデータインジケーション情報の値が異なる場合、受信端（つまり、ネットワークデバイス）は、データパケット＃１が初めて伝送されるデータパケットであると判定する、又は、２つの新たなデータインジケーション情報の値が同じである場合、受信端（つまり、ネットワークデバイス）は、データパケット＃１が再伝送されるデータパケットであると判定する。本明細書において、第２の新たなデータインジケーション情報、第３の新たなデータインジケーション情報及び第４の新たなデータインジケーション情報などにおける様々な新たなデータインジケーション情報の説明は、第１の新たなデータインジケーション情報に関する説明と同じである。簡潔の目的で、詳細がそれ以降説明されることはない。
【０１１７】
具体的には、新たなデータインジケーション情報＃１はＮＤＩ情報である。より具体的には、新たなデータインジケーション情報＃１は、端末デバイスによりネットワークデバイスに報告されるＧ‐ＵＣＩ内のＮＤＩフィールドである。
【０１１８】
本発明の本実施形態では、「データパケット＃１が初めて伝送されるデータパケットであるか、又は、再伝送されるデータパケットであるか」について複数の説明があり得る。具体的な説明は以下のとおりである。
【０１１９】
データパケット＃１が、符号化及び変調処理が実行されるビットシーケンスである場合、新たなデータインジケーション情報＃１により示されるデータパケット＃１が、初めて伝送されるデータパケットである、又は、再伝送されるデータパケットであるということは、データパケット＃１が、トランスポートブロック＃１の再伝送されるデータパケットである、又は、初めて伝送されるデータパケットであるということ、又は、データパケット＃１が、トランスポートブロック＃１の再伝送である又は初期伝送であるということを意味し、トランスポートブロック＃１は、符号化及び変調処理が実行されていないビットシーケンス（つまり、元の情報エレメント）である。具体的には、トランスポートブロック＃１は、データパケット＃１の別の前のデータパケット（区別及び理解しやすくするために、データパケット＃３として示される）に対応し、かつ、符号化及び変調処理が実行されていないトランスポートブロックである。具体的には、データパケット＃３は、トランスポートブロック＃１に対して符号化及び変調処理が実行された後に取得されるビットシーケンスである。データパケット＃１がデータパケット＃３の再伝送されるデータパケットである場合、データパケット＃１は、データパケット＃３とは異なるが、データパケット＃１及びデータパケット＃３は、同じ符号化されていないトランスポートブロック、すなわち、トランスポートブロック＃１に対応する。データパケット＃１がデータパケット＃３とは異なる初めて伝送されるデータパケットである場合、データパケット＃１は、データパケット＃３とは異なり、データパケット＃１及びデータパケット＃３は、異なる符号化されていないトランスポートブロックに対応し、データパケット＃１は、トランスポートブロック＃１とは異なるトランスポートブロックに対応する。
【０１２０】
データパケット＃３はまた、第１のＨＡＲＱプロセス番号に対応し、データパケット＃３を搬送するために用いられる時間単位は、時間の観点から時間単位＃１の前に位置する。データパケット＃１と比較すると、データパケット＃３は、第１のＨＡＲＱプロセス番号に対応する最新の前のデータパケットであってよい、又は、データパケット＃３は、同じＨＡＲＱプロセス番号に対応して、少なくとも１つのデータパケット分、データパケット＃１から間隔を空けて配置されてよい。データパケット＃１、データパケット＃３、及び、データパケット＃１とデータパケット＃３との間の少なくとも１つのデータパケットは、すべて第１のＨＡＲＱプロセス番号に対応する。
【０１２１】
データパケット＃１が、符号化及び変調が実行されていないビットシーケンスである場合、新たなデータインジケーション情報により示されるデータパケット＃１が、初めて伝送されるデータパケットである、又は、再伝送されるデータパケットであるということは、データパケット＃１が、初めて伝送されるデータパケットである、又は、データパケット＃３の再伝送されるデータパケットであるということを意味する。具体的には、データパケット＃１がデータパケット＃３の再伝送されるデータパケットである場合、データパケット＃１及びデータパケット＃３は同じデータパケットである。データパケット＃１がデータパケット＃３とは異なる初めて伝送されるデータパケットである場合、データパケット＃１は、データパケット＃３とは異なる新たなデータパケットである。
【０１２２】
同様に、以下で説明される別のデータパケット（第２データパケット、第３データパケット又は第４データパケット）の初めて伝送されるデータパケット又は再伝送されるデータパケットに関する説明は、本明細書において、「データパケット＃１が、初めて伝送されるデータパケットである、又は、再伝送されるデータパケットである」ことについての説明と同じである。簡潔の目的で、これ以降、詳細が再び説明されることはない。
【０１２３】
上述したように、ＧＵＬ伝送方式の特性に基づいて、端末デバイスが、ＧＵＬ伝送方式でネットワークデバイスにデータパケット＃１を送信する場合、ネットワークデバイスは、端末デバイスがデータパケット＃１を送信したことを知らず、端末デバイスは、ＧＵＬ伝送方式で送信されたデータパケット＃１の関連情報を報告するために、データパケット＃１に対応するＧ‐ＵＣＩを送信するかもしれない。
【０１２４】
そのため、本発明の本実施形態では、新たなデータインジケーション情報＃１は、データパケット＃１に対応するＧ‐ＵＣＩに保持されてよく、データパケット＃１が、初めて伝送されるデータパケットであるか、又は、再伝送されるデータパケットであるかを示すために用いられる。つまり、新たなデータインジケーション情報＃１は、データパケット＃１に対応するＧ‐ＵＣＩ内のフィールドである。
【０１２５】
さらに、Ｇ‐ＵＣＩは、アップリンクデータに対応するＨＡＲＱプロセスのＨＡＲＱプロセス番号に関する情報、アップリンクデータに対応する冗長バージョン（Ｒｅｄｕｎｄａｎｃｙ  Ｖｅｒｓｉｏｎ、ＲＶ）に関する情報、端末デバイスのユーザ識別子（ＵＥ  ＩＤとして示される）に関する情報のうちの少なくとも一部の情報をさらに含み、その結果、ネットワークデバイスは、Ｇ‐ＵＣＩに基づいてデータパケット＃１を取得する。
【０１２６】
限定ではなく例示を目的として、新たなデータインジケーション情報＃１は、代わりに、アップリンク伝送に関連する他の情報において保持されてよい。本発明の本実施形態はこれに限定されるものではない。
【０１２７】
さらに、Ｓ２１０において、ネットワークデバイスは、データパケット＃１の受信を試みるために、データパケット＃１をブラインド検出する。
【０１２８】
より具体的には、ネットワークデバイスによりデータパケット＃１を受信する３つの事例がある。
【０１２９】
１．ネットワークデバイスは、データパケット＃１を検出しており、かつ、データパケット＃１の受信に成功する。
【０１３０】
２．ネットワークデバイスは、データパケット＃１を検出しており、データパケット＃１の受信に成功していない。例えば、ネットワークデバイスは、データパケット＃１を検出しているが、データパケット＃１の復調及びデコードに失敗する。
【０１３１】
３．ネットワークデバイスはデータパケット＃１を検出していない。
【０１３２】
上述した第２事例及び第３事例は両方とも、ネットワークデバイスがデータパケット＃１の受信に失敗したものと理解され得る。
【０１３３】
本発明の本実施形態において、「ネットワークデバイスがデータパケット＃１を検出している、又は、データパケット＃１を検出していない」ということは、「ネットワークデバイスが、データパケット＃１の存在を検出している、又は、データパケット＃１の存在を検出していない」ということを意味する、つまり、「ネットワークデバイスが、データパケット＃１を保持するＧＵＬ  ＰＵＳＣＨの存在を検出している、又は、データパケット＃１を保持するＧＵＬ  ＰＵＳＣＨの存在を検出していない」ということを意味することを理解されたい。「ネットワークデバイスがデータパケット＃１を検出している」ということは、端末デバイスがＧＵＬ  ＰＵＳＣＨの存在を検出している（つまり、端末デバイスがＧＵＬ  ＰＵＳＣＨを送信したことを検出している）ことを意味し、「ネットワークデバイスがデータパケット＃１を検出していない」ということは、ネットワークデバイスが、ＧＵＬ  ＰＵＳＣＨの存在を検出していない（つまり、端末デバイスがＧＵＬ  ＰＵＳＣＨを送信したことを検出していない）ことを意味する。
【０１３４】
具体的には、ネットワークデバイスは、ＧＵＬ  ＰＵＳＣＨに対応する復調参照信号（ＤｅＭｏｄｕｌａｔｉｏｎ  Ｒｅｆｅｒｅｎｃｅ  Ｓｉｇｎａｌ、ＤＭＲＳ）又はＧＵＬ  ＰＵＳＣＨをスケジューリングするために用いられるＧ‐ＵＣＩを検出することによりＧＵＬ  ＰＵＳＣＨの存在を判定する。
【０１３５】
例えば、ネットワークデバイスが、ＧＵＬ  ＰＵＳＣＨに対応するＤＭＲＳをブラインド検出する、又は、ＧＵＬ  ＰＵＳＣＨをスケジューリングするために用いられるＧ‐ＵＣＩをブラインド検出する場合、ＧＵＬ  ＰＵＳＣＨが検出されたと判断され得、そうでない場合、ＧＵＬ  ＰＵＳＣＨは検出されない。
【０１３６】
さらに、本発明の本実施形態において「ネットワークデバイスがデータパケット＃１を検出していない」ということはまた、「ネットワークデバイスが、データパケット＃１を検出又は復調し終えるのに十分な時間がない、つまり、受信時間シーケンス又は復調性能の観点から、データパケット＃１を検出又は復調し終える前に、ネットワークデバイスが命令情報＃１を送信した」ことを意味する。
【０１３７】
具体的には、ネットワークデバイスによりデータパケット＃１を復調する際にレイテンシがある。データパケット＃１を復調し終える前に、ネットワークデバイスが、第１のＨＡＲＱプロセス番号を用いて、次のデータパケットを送信するように端末デバイスをスケジューリングするための命令情報＃１を送信する場合、ネットワークデバイスは、命令情報＃１を送信するときにデータパケット＃１の存在を知らない。ネットワークデバイスが、データパケット＃１を検出又は復調し終えるのに十分な時間がない場合というのは、時間単位＃１が、命令情報＃１を搬送する時間単位よりも後であること、又は、時間単位＃１は、命令情報＃１を搬送する時間単位よりも前であるが、時間単位＃１と命令情報＃１を搬送する時間単位との間の時間間隔が、（ネットワークデバイスの復調レイテンシに対応する）予め設定された時間間隔より短いことを含む。
【０１３８】
例えば、ネットワークデバイスによりデータパケットの初期伝送又は再伝送をスケジューリングする際のレイテンシは４ｍｓである。端末デバイスが、ネットワークデバイスの復調性能に基づいて、サブフレーム＃ｎ＋２（すなわち、時間単位＃１）のＧＵＬ  ＰＵＳＣＨ上で、新たなデータインジケーション情報＃１に対応するデータパケット＃１を送信する場合、ネットワークデバイスは、早くてもサブフレーム＃ｎ＋６において、端末デバイスをスケジューリングして、データパケット＃１に対する初期伝送又は再伝送を実行できる。ネットワークデバイスが、サブフレーム＃ｎ＋４（すなわち、命令情報＃１を搬送する時間単位）において、命令情報＃１、及び、データパケット＃１の次のデータパケットに対応する新たなデータインジケーション情報を送信する場合、端末デバイスをスケジューリングして新たなデータパケットに対する初期伝送を実行するためには、ネットワークデバイスが、サブフレーム＃ｎ＋４の時点では、サブフレーム＃ｎ＋２内のデータパケット＃１（つまり、データパケット＃１を保持するＧＵＬ  ＰＵＳＣＨ）を復調し終えていないので、新たなデータインジケーション情報＃２は、新たなデータインジケーション情報＃１と比較して反転されない、つまり、ネットワークデバイスはデータパケット＃１を検出していない。
【０１３９】
以下では、上述した３つの事例におけるネットワークデバイスの関連する動作を詳細に説明する。
【０１４０】
説明しやすくするために、本発明の本実施形態において、「ネットワークデバイスが、データパケット＃１を検出している、又は、データパケット＃１を検出していない」ということは、以下では、「ネットワークデバイスが、データパケット＃１の存在を検出している、又は、データパケット＃１の存在を検出していない」ということとして、まとめて説明される。
【０１４１】
Ｓ２２０において、ネットワークデバイスは、第１命令情報を送信し、第１命令情報は、第２の時間単位において第２データパケットを送信するよう端末デバイスに命令するために用いられ、第２データパケットは第１のＨＡＲＱプロセス番号に対応し、第２の時間単位は、時間の観点から第１の時間単位の後に位置し、第２データパケットは、ネットワークデバイスにより送信される第２の新たなデータインジケーション情報に対応し、第２の新たなデータインジケーション情報は、第２データパケットが、初めて伝送されるデータパケットであるか、又は、再伝送されるデータパケットであるかを示すために用いられる。
【０１４２】
そのため、端末デバイスは、第１命令情報を受信する。
【０１４３】
具体的には、ネットワークデバイスが、同じＨＡＲＱプロセス番号（すなわち、第１のＨＡＲＱプロセス番号）を用いて、アップリンクデータを送信するように端末デバイスを、あるスケジューリング方式でスケジューリングする必要がある場合、ネットワークデバイスは、命令情報＃１（すなわち、第１命令情報の例）を端末デバイスに送信し、命令情報＃１は、時間単位＃２（すなわち、第２の時間単位の例）において、第１のＨＡＲＱプロセス番号に対応するデータパケット＃２（すなわち、第２データパケットの例）を送信するよう端末デバイスに命令するために用いられる。
【０１４４】
つまり、命令情報＃１は、スケジューリングベースの情報である。具体的には、命令情報＃１は、データパケット＃１に対応するスケジューリング情報であってよい。
【０１４５】
オプションで、命令情報＃１は、ＵＬグラント情報であってよい。例えば、命令情報＃１は、動的なＵＬグラント情報である。
【０１４６】
オプションで、命令情報＃１は、ＵＬグラント情報内のいくつかのフィールドであってよい。具体的には、命令情報＃１は、ＵＬグラント情報内のデータスケジューリングのために用いられるビットフィールド又はビット（第２の新たなデータインジケーション情報を除く）であってよい。より具体的には、命令情報＃１は、ＵＬグラント情報内の、第２の新たなデータインジケーション情報以外の他の情報を含んでよい。
【０１４７】
命令情報＃１が、時間単位＃２においてデータパケット＃２を送信するよう端末デバイスに命令するために用いられるということは、データパケット＃２に対応する伝送フォーマット（区別及び理解しやすくするために、伝送フォーマット＃２として示される）を用いて、データパケット＃２を送信するよう端末デバイスに命令することを意味することに留意されたい。つまり、命令情報＃１は、伝送フォーマット＃２を示すために用いられる。
【０１４８】
具体的には、伝送フォーマット＃２は、データパケット＃２を伝送するために用いられる無線リソース、データパケット＃２の生成フォーマット、データパケット＃２のパイロットフォーマット及びデータパケット＃２のフィードバックフォーマットのうちの少なくとも１つを含む。
【０１４９】
データパケット＃２を伝送するために用いられる無線リソースは、データパケット＃２を保持するＰＵＳＣＨに対応する（時間単位＃１を含む）時間領域リソース、及び、データパケット＃２を保持するＰＵＳＣＨに対応する周波数領域リソースのうちの少なくとも一方を含む。
【０１５０】
データパケット＃２の生成フォーマットは、例えば、変調及び符号化方式（ＭＣＳ）及びトランスポートブロックサイズ（Ｔｒａｎｓｐｏｒｔ  Ｂｌｏｃｋ  Ｓｉｚｅ、ＴＢＳ）のうちの少なくとも１つを含む変調及び符号化を通じて、端末デバイスがデータパケット＃２を生成する方式を含む。
【０１５１】
データパケット＃２のパイロットフォーマットは、端末デバイスがパイロットシーケンス、例えば、データパケット＃２が位置するＰＵＳＣＨに対応するＤＭＲＳのシーケンス情報を送信する方式を含む。
【０１５２】
データパケット＃２のフィードバックフォーマットは、端末デバイスがフィードバック情報を送信する方式を含み、例えば、ダウンリンクＨＡＲＱ‐ＡＣＫ情報をフィードバックするか否か、及び、チャネル状態情報（Ｃｈａｎｎｅｌ  Ｓｔａｔｅ  Ｉｎｆｏｒｍａｔｉｏｎ、ＣＳＩ）をフィードバックするか否かのうちの少なくとも１つを含む。
【０１５３】
命令情報＃１を搬送する時間単位は、時間の観点から時間単位＃１の前又は後に位置し得ることに留意されたい。
【０１５４】
データパケット＃２は、時間単位＃１の後に送信するようにネットワークデバイスが端末デバイスをスケジューリングし、かつ、第１のＨＡＲＱプロセス番号に対応する次のデータパケットであることを理解されたい。
【０１５５】
オプションで、データパケット＃２は、時間単位＃１の後に送信するようにネットワークデバイスが端末デバイスをスケジューリングし、かつ、第１のＨＡＲＱプロセス番号に対応する第１データパケット又は最新のデータパケットである。
【０１５６】
つまり、データパケット＃２は、時間単位＃１の後に第１のＨＡＲＱプロセス番号を用いて送信するようにネットワークデバイスが端末デバイスをスケジューリングする第１データパケット又は最新のデータパケットである。
【０１５７】
つまり、データパケット＃１は、時間単位＃２の前に端末デバイスにより送信され、かつ、第１のＨＡＲＱプロセス番号に対応する最新のデータパケットである。
【０１５８】
限定ではなく例示を目的として、データパケット＃２は、時間単位＃１の後に送信するように、ネットワークデバイスが端末デバイスをスケジューリングし、かつ、第１のＨＡＲＱプロセス番号に対応するＮ番目のデータパケットであってよく、Ｎは、１より大きい整数である。この場合、時間単位＃１の後に送信され、かつ、第１のＨＡＲＱプロセス番号に対応する（Ｎ−１）個のデータパケットのそれぞれは、新たなデータインジケーション情報の同じ値に対応する。
【０１５９】
新たなデータインジケーション情報＃１と同様に、新たなデータインジケーション情報＃２（すなわち、第２の新たなデータインジケーション情報の例）のサイズも１ビットであってよく、新たなデータインジケーション情報＃２の値は、「０」及び「１」という２つの状態に対応し、データパケット＃２が初めて伝送されるデータパケットである又は再伝送されるデータパケットであることを示すためにそれぞれ用いられる。さらに、新たなデータインジケーション情報＃１のサイズは、新たなデータインジケーション情報＃２のサイズと同じである。
【０１６０】
新たなデータインジケーション情報＃２は、命令情報＃１内に保持され得る。つまり、新たなデータインジケーション情報＃２は、命令情報＃１内のフィールドである。
【０１６１】
新たなデータインジケーション情報＃２及び命令情報＃１は、同じ情報内に保持されてよく、新たなデータインジケーション情報＃２及び命令情報＃１は、情報内の異なるフィールドに対応する。例えば、新たなデータインジケーション情報＃２及び命令情報＃１は、動的なＵＬグラント情報内に保持される。代わりに、新たなデータインジケーション情報＃２及び命令情報＃１は、異なる情報内に保持されてよい。これは本発明の本実施形態において限定されることはない。
【０１６２】
さらに、新たなデータインジケーション情報＃２は、代わりに、ダウンリンク伝送に関連する他の情報内に保持されてよい。本発明の本実施形態は、これに限定されるものではない。
【０１６３】
新たなデータインジケーション情報＃２を搬送するダウンリンク時間単位は、時間単位＃１よりも前であってよい、又は、時間単位＃１よりも後であってもよいことを理解されたい。これは本明細書において限定されるものではない。
【０１６４】
同様に、命令情報＃１を搬送するダウンリンク時間単位は、時間単位＃１よりも前であってよい、又は、時間単位＃１よりも後であってもよい。これは、本明細書において限定されるものではない。
【０１６５】
具体的には、新たなデータインジケーション情報＃２はＮＤＩ情報である。より具体的には、新たなデータインジケーション情報＃２はＵＬグラントにおけるＮＤＩフィールドである。
【０１６６】
オプションで、方法は、
端末デバイスにより、ネットワークデバイスに第１の新たなデータインジケーション情報を送信する段階をさらに含む。
【０１６７】
さらに、いくつかの事例では、ネットワークデバイスは、新たなデータインジケーション情報＃１に基づいて、新たなデータインジケーション情報＃２を判定してよい。
【０１６８】
具体的には、本発明の本実施形態では、ネットワークデバイスは、データパケット＃１の受信状態と新たなデータインジケーション情報＃１とに基づいて新たなデータインジケーション情報＃２を判定してよい、又は、データパケット＃３の受信状態と、データパケット＃３に対応する新たなデータインジケーション情報（区別及び理解しやすくするために、新たなデータインジケーション情報＃３として示される）とに基づいて新たなデータインジケーション情報＃２を判定してよい。新たなデータインジケーション情報＃３は、データパケット＃１が、初めて伝送されるデータパケットである、又は、再伝送されるデータパケットであることを示すために用いられ、特定の状況は、ネットワークデバイスによるデータパケット＃１の受信状態（すなわち、上述した３つの事例）に依存する。以下では、上述した３つの事例において、ネットワークデバイスが新たなデータインジケーション情報＃２を判定する手順を詳細に別々に説明する。
【０１６９】
事例１
【０１７０】
オプションで、ネットワークデバイスがデータパケット＃１を検出した場合、ネットワークデバイスは、データパケット＃１の受信状態と新たなデータインジケーション情報＃１とに基づいて新たなデータインジケーション情報＃２を判定する。
【０１７１】
この場合、端末デバイスは、データパケット＃１の存在を検出することができる。データパケット＃１の受信に成功したか否かを判定する場合、ネットワークデバイスは、新たなデータインジケーション情報＃１に基づいて、新たなデータインジケーション情報＃２を判定してよい。
【０１７２】
事例１−１
【０１７３】
オプションで、ネットワークデバイスがデータパケット＃１を検出して、ネットワークデバイスがデータパケット＃１の受信に成功した場合、新たなデータインジケーション情報＃２の値は、新たなデータインジケーション情報＃１の値とは異なる。
【０１７４】
具体的には、ネットワークデバイスは、データパケット＃１を受信できただけでなく、データパケット＃１の復調及びデコードにも成功する。この場合、ネットワークデバイスは、データパケット＃１及び新たなデータインジケーション情報＃１に基づいて、新たなデータインジケーション情報＃２を判定するだけでなく、新たなデータインジケーション情報＃２の値が新たなデータインジケーション情報＃１の値とは異なると判定する。
【０１７５】
事例１−２
【０１７６】
オプションで、ネットワークデバイスがデータパケット＃１を検出しており、ネットワークデバイスがデータパケット＃１の受信に成功しなかった場合、新たなデータインジケーション情報＃２の値は、新たなデータインジケーション情報＃１の値と同じである。
【０１７７】
つまり、ネットワークデバイスは、データパケット＃１の存在を検出することはできたが、データパケット＃１を正しく受信することはできていない。例えば、ネットワークデバイスは、データパケット＃１を受信することはできたが、データパケット＃１の復調及びデコードに失敗する。
【０１７８】
この場合、ネットワークデバイスは、データパケット＃１及び新たなデータインジケーション情報＃１に基づいて、新たなデータインジケーション情報＃２を判定するだけでなく、新たなデータインジケーション情報＃２の値が新たなデータインジケーション情報＃１の値と同じであると判定する。
【０１７９】
事例２
【０１８０】
オプションで、ネットワークデバイスがデータパケット＃１を検出していない場合、ネットワークデバイスは、データパケット＃３の受信状態と新たなデータインジケーション情報＃３とに基づいて新たなデータインジケーション情報＃２を判定する。
【０１８１】
具体的には、ネットワークデバイスは、端末デバイスがデータパケット＃１を送信したことを知らず（つまり、ネットワークデバイスは、データパケット＃１の存在を知らない）、ネットワークデバイスは、データパケット＃３の受信状態と新たなデータインジケーション情報＃３とに基づいて、新たなデータインジケーション情報＃２を判定し得る。
【０１８２】
ネットワークデバイスは、データパケット＃３の受信状態と新たなデータインジケーション情報＃３とに基づいて、新たなデータインジケーション情報＃２を判定することができるので、ネットワークデバイスは、データパケット＃３の存在を確実に知ることができる。データパケット＃３が、ネットワークデバイスによりスケジューリングされるデータパケットである場合、端末デバイスがデータパケット＃３を送信することが予想される時間単位において、ネットワークデバイスは、データパケット＃３を受信することを理解されたい。そのため、ネットワークデバイスは、ネットワークデバイスがデータパケット＃３、及び、データパケット＃３に対応する新たなデータインジケーション情報＃３の受信に成功したか否かを確実に知ることができる。データパケット＃３が、ＧＵＬ伝送方式で端末デバイスにより送信されたデータパケットである場合、ネットワークデバイスは、（例えば、Ｇ‐ＵＣＩを検出することを通じて）データパケット＃３の存在を検出することができ、また、対応する新たなデータインジケーション情報＃３（例えば、新たなデータインジケーション情報＃３はＧ‐ＵＣＩに含まれている）を知る。
【０１８３】
データパケット＃３が、ＧＵＬ伝送方式で端末デバイスにより送信されたデータパケットである場合、新たなデータインジケーション情報＃３は、端末デバイスにより送信され、ネットワークデバイスが、データパケット＃３の受信状態と新たなデータインジケーション情報＃３とに基づいて、新たなデータインジケーション情報＃２を判定する手順は、以下のとおりである。
【０１８４】
ネットワークデバイスが、データパケット＃３の受信に失敗した場合、新たなデータインジケーション情報＃２の値は、新たなデータインジケーション情報＃３の値と同じであり、新たなデータインジケーション情報＃２の値は、新たなデータインジケーション情報＃１の値と同じである、又は、
ネットワークデバイスが、データパケット＃３の受信に成功した場合、新たなデータインジケーション情報＃２の値は、新たなデータインジケーション情報＃３の値とは異なり、新たなデータインジケーション情報＃２の値は、新たなデータインジケーション情報＃１の値と同じである。
【０１８５】
データパケット＃３が、ネットワークデバイスにより端末デバイスに対してスケジューリングされたデータパケットである場合、新たなデータインジケーション情報＃３が、ネットワークデバイスにより送信され、ネットワークデバイスが、データパケット＃３の受信状態と新たなデータインジケーション情報＃３とに基づいて、新たなデータインジケーション情報＃２を判定する手順は、以下のとおりである。
【０１８６】
ネットワークデバイスがデータパケット＃３を検出しており、データパケット＃３の受信に成功しなかった場合、新たなデータインジケーション情報＃２の値は、新たなデータインジケーション情報＃３の値と同じであり、新たなデータインジケーション情報＃２の値は、新たなデータインジケーション情報＃１の値と同じある、又は、
ネットワークデバイスが、データパケット＃３の受信に成功した場合、新たなデータインジケーション情報＃２の値は、新たなデータインジケーション情報＃３の値とは異なり、新たなデータインジケーション情報＃２の値は、新たなデータインジケーション情報＃１の値と同じである。
【０１８７】
具体的には、新たなデータインジケーション情報＃３はＮＤＩ情報である。より具体的には、データパケット＃３が、送信するようにネットワークデバイスが端末デバイスをスケジューリングするデータパケットである場合、新たなデータインジケーション情報＃３は、ＵＬグラントにおけるＮＤＩフィールドである。データパケット＃３が、ＧＵＬ伝送方式で端末デバイスにより送信されるデータパケットである場合、新たなデータインジケーション情報＃３は、端末デバイスによりネットワークデバイスに報告されるＧ‐ＵＣＩ内のＮＤＩフィールドである。
【０１８８】
そのため、端末デバイスが新たなデータインジケーション情報＃１及び新たなデータインジケーション情報＃２を取得した後に、
Ｓ２３０において、端末デバイスは、第１データパケットに対してバッファリング処理を実行する、又は、第１の新たなデータインジケーション情報の値及び第２の新たなデータインジケーション情報の値に基づいて、第２データパケットを送信し、第２データパケットは第１データパケットの再伝送されるデータパケットである、又は、第２データパケットは、第１データパケットとは異なる初めて伝送されるデータパケットである。
【０１８９】
つまり、端末デバイスは、新たなデータインジケーション情報＃１の値が新たなデータインジケーション情報＃２の値と同じであるか否かに基づいて、データパケット＃２を送信する。
【０１９０】
つまり、端末デバイスは、新たなデータインジケーション情報＃２の値と比較して、新たなデータインジケーション情報＃１の値が反転されているか否かに基づいて、データパケット＃２を送信する。
【０１９１】
新たなデータインジケーション情報＃１の値が、新たなデータインジケーション情報＃２の値とは異なる、ということは、新たなデータインジケーション情報＃１の値と比較して、新たなデータインジケーション情報＃２の値が反転されている、とも称されることを理解されたい。新たなデータインジケーション情報＃１の値が新たなデータインジケーション情報＃２の値と同じである、ということは、新たなデータインジケーション情報＃１の値と比較して、新たなデータインジケーション情報＃２の値が反転されていない、とも称される。同様に、２つ新たなデータインジケーション情報間の上述した反転関係（具体的には、２つの新たなデータインジケーション情報の反転／非反転状況と同じ／異なる値との間の対応関係）は、任意の２つの新たなデータインジケーション情報、例えば、新たなデータインジケーション情報＃１の値と新たなデータインジケーション情報＃３の値との間の反転関係、又は、新たなデータインジケーション情報＃２の値と新たなデータインジケーション情報＃３の値との間の反転関係に適用可能であってよい。
【０１９２】
具体的には、新たなデータインジケーション情報＃１のサイズ及び新たなデータインジケーション情報＃２のサイズが、それぞれ「０」及び「１」という２つの状態に対応する１ビットであることが想定される。新たなデータインジケーション情報＃１の値が「０」であり、新たなデータインジケーション情報＃２の値が「１」である場合、又は、新たなデータインジケーション情報＃１の値が「１」であり、新たなデータインジケーション情報＃２の値が「０」である場合、新たなデータインジケーション情報＃１の値は、新たなデータインジケーション情報＃２の値とは異なる。つまり、新たなデータインジケーション情報＃１の値と比較して、新たなデータインジケーション情報＃２の値は反転されている。新たなデータインジケーション情報＃１の値が「０」であり、新たなデータインジケーション情報＃２の値が「０」である場合、又は、新たなデータインジケーション情報＃１の値が「１」であり、新たなデータインジケーション情報＃２の値が「１」である場合、新たなデータインジケーション情報＃１の値は、新たなデータインジケーション情報＃２の値と同じである、つまり、新たなデータインジケーション情報＃１の値と比較して、新たなデータインジケーション情報＃２の値は反転されていない。
【０１９３】
説明しやすくするために、以下では、本発明の本実施形態は、「新たなデータインジケーション情報＃１及び新たなデータインジケーション情報＃２の値が同じである又は異なる」という表現を用いて一様に説明される。
【０１９４】
本発明の本実施形態では、３つの事例、すなわち、事例Ａ、事例Ｂ及び事例Ｃがあり、これらの事例において、端末デバイスは、新たなデータインジケーション情報＃１の値及び新たなデータインジケーション情報＃２の値に基づいて、データパケット＃１又はデータパケット＃２を処理する。
【０１９５】
事例Ａ
【０１９６】
新たなデータインジケーション情報＃１の値が、新たなデータインジケーション情報＃２の値と同じである場合、端末デバイスは、データパケット＃１の再伝送されるデータパケットを送信する。つまり、データパケット＃２は、データパケット＃１の再伝送されるデータパケットである。
【０１９７】
つまり、新たなデータインジケーション情報＃１の値と比較して、新たなデータインジケーション情報＃２の値が反転されていない場合、端末デバイスは、データパケット＃１の再伝送されるデータパケットを送信する。つまり、データパケット＃２は、データパケット＃１の再伝送されるデータパケットである。
【０１９８】
ネットワークデバイスについて、新たなデータインジケーション情報＃１の値と新たなデータインジケーション情報＃２の値との間の関係は、事例１−２及び事例２における新たなデータインジケーション情報＃１の値と新たなデータインジケーション情報＃２の値との間の関係、すなわち、ネットワークデバイスがデータパケット＃１の受信に失敗した場合の上述した２つのタイプの新たなデータインジケーション情報間の関係に対応し得る。
【０１９９】
事例Ｂ
【０２００】
新たなデータインジケーション情報＃１の値が新たなデータインジケーション情報＃２の値とは異なる場合、端末デバイスは、データパケット＃１とは異なる初めて伝送されるデータパケットを送信する。つまり、データパケット＃２は、データパケット＃１とは異なる初めて伝送されるデータパケットである。
【０２０１】
つまり、新たなデータインジケーション情報＃１の値と比較して、新たなデータインジケーション情報＃２が反転されている値である場合、端末デバイスは、データパケット＃１とは異なる初めて伝送されるデータパケットを送信する。つまり、データパケット＃２は、データパケット＃１とは異なる初めて伝送されるデータパケットである。
【０２０２】
ネットワークデバイスについて、新たなデータインジケーション情報＃１の値と新たなデータインジケーション情報＃２の値との間の関係は、事例１−１における新たなデータインジケーション情報＃１の値と新たなデータインジケーション情報＃２の値との間の関係、すなわち、ネットワークデバイスがデータパケット＃１の受信に成功した場合の上述した２つのタイプの新たなデータインジケーション情報間の関係に対応し得る。
【０２０３】
事例Ｃ
【０２０４】
新たなデータインジケーション情報＃１の値が、新たなデータインジケーション情報＃２の値と同じである場合、端末デバイスは、バッファ内にデータパケット＃１を保持する。
【０２０５】
つまり、端末デバイスは、第１のＨＡＲＱプロセス番号に対応するＨＡＲＱバッファ内にデータパケット＃１を保持する、又は、当該ＨＡＲＱバッファ内のデータパケット＃１を消去しない。
【０２０６】
事例Ａと同様に、ネットワークデバイスについて、新たなデータインジケーション情報＃１の値と新たなデータインジケーション情報＃２の値との間の関係は、事例１−２及び事例２における新たなデータインジケーション情報＃１の値と新たなデータインジケーション情報＃２の値との間の関係、すなわち、ネットワークデバイスがデータパケット＃１の受信に失敗した場合の上述した２つのタイプの新たなデータインジケーション情報間の関係に対応し得る。
【０２０７】
事例Ａ及び事例Ｃは共存し得ることに留意されたい。具体的には、端末デバイスは、データパケット＃１の再伝送されるデータパケットを送信し、端末デバイスは、バッファ内にデータパケット＃１を保持してもよい。
【０２０８】
本発明の本実施形態では、オプションで、方法は、
端末デバイスにより、新たなデータインジケーション情報＃１の値及び新たなデータインジケーション情報＃２の値に基づいて、ネットワークデバイスによるデータパケット＃１の受信状態を判定する段階をさらに含む。
【０２０９】
オプションで、データパケット＃１の受信状態は、肯定応答ＡＣＫ又は否定応答ＮＡＣＫを含む。
【０２１０】
オプションで、方法は、
端末デバイスにより、新たなデータインジケーション情報＃１の値及び新たなデータインジケーション情報＃２の値に基づいて、ネットワークデバイスがデータパケット＃１を検出していないと判定する段階をさらに含む。
【０２１１】
具体的には、新たなデータインジケーション情報＃１の値が新たなデータインジケーション情報＃２の値と同じである場合、端末デバイスは、ネットワークデバイスがデータパケット＃１を検出しており、データパケット＃１の受信状態がＮＡＣＫであると判定する、又は、端末デバイスは、ネットワークデバイスがデータパケット＃１を検出していないと判定する、又は、新たなデータインジケーション情報＃１の値が新たなデータインジケーション情報＃２の値とは異なる場合、端末デバイスは、ネットワークデバイスがデータパケット＃１を検出しており、データパケット＃１の受信状態がＡＣＫであると判定する。ネットワークデバイスについて、ネットワークデバイスがデータパケット＃１の受信に失敗した（ネットワークデバイスが、データパケット＃１を検出したが、データパケット＃１の復調及びデコードに失敗した、又は、ネットワークデバイスがデータパケット＃１を検出していない）場合、ネットワークデバイスは、新たなデータインジケーション情報＃２の値が、新たなデータインジケーション情報＃１の値と同じであると判定する。一方、新たなデータインジケーション情報＃２の値が新たなデータインジケーション情報＃１の値と同じであると、端末デバイスが判定した場合、端末デバイスは、ネットワークデバイスが、データパケット＃１を正しく受信していないと判断する、具体的には、ネットワークデバイスが、データパケット＃１を受信し、データパケット＃１の受信状態がＮＡＣＫであると判断する、又は、ネットワークデバイスがデータパケット＃１を検出していないと判断し、その結果、端末デバイスは、端末デバイスが、バッファ内にデータパケット＃１を保持する、又は、データパケット＃１の再伝送されるデータパケットを送信する必要があると判定することができる。
【０２１２】
同様に、ネットワークデバイスがデータパケット＃１の受信に成功した場合、ネットワークデバイスは、新たなデータインジケーション情報＃２の値が新たなデータインジケーション情報＃１の値とは異なると判定する。新たなデータインジケーション情報＃２の値が新たなデータインジケーション情報＃１の値とは異なると端末デバイスが判定した場合、端末デバイスは、データパケット＃１とは異なる再伝送されるデータパケットを端末デバイスが送信する必要があると判定でき、そのため、ネットワークデバイスがデータパケット＃１を正しく受信したことを判断する、つまり、ネットワークデバイスによるデータパケット＃１の受信状態がＡＣＫであると判断することで、端末デバイスは、データパケット＃１とは異なる初めて伝送されるデータパケットを送信し得る。
【０２１３】
以下では、図３及び図４を参照して、本発明の実施形態に係るデータ伝送手順を詳細に説明する。
【０２１４】
図３は、本発明の実施形態に係るデータ伝送手順におけるネットワークデバイス及び端末デバイスの動作の概略図である。
【０２１５】
図３に示されるように、端末デバイスは、サブフレーム＃ｎにおいて、第１のＨＡＲＱプロセス番号（すなわち、ＨＡＲＱプロセス番号＃Ｈ０）に対応するデータパケット＃３を送信し、データパケット＃３に対応する新たなデータインジケーション情報＃３の値は、「０」である（すなわち、図３に示されるＮＤＩ＃３＝０である）。ネットワークデバイスは、データパケット＃３を正しく受信し、ＨＡＲＱフィードバック情報を用いて、ネットワークデバイスによるデータパケット＃３の受信状態がＡＣＫであることを示す。ＨＡＲＱフィードバック情報を受信した後に、端末デバイスは、サブフレーム＃ｎ＋８（すなわち、時間単位＃１）において、ＧＵＬ伝送方式で、ＨＡＲＱプロセス番号＃Ｈ０に対応するデータパケット＃１を送信し、データパケット＃１は、データパケット＃３とは異なる初めて伝送されるデータパケットであり、データパケット＃１に対応する新たなデータインジケーション情報＃１の値は、「１」である（すなわち、図３に示されるＮＤＩ＃１＝１である）。ネットワークデバイスは、データパケット＃１を検出することができない。さらに、ネットワークデバイスは、ＨＡＲＱプロセス番号＃Ｈ０を用いてサブフレーム＃ｎ＋１６（すなわち、時間単位＃２）においてデータパケット＃２を送信するように端末デバイスを、命令情報＃１を用いてサブフレーム＃ｎ＋１２においてスケジューリングする。
【０２１６】
この場合、ネットワークデバイスは、データパケット＃１を検出していない（具体的には、図３のサブフレーム＃８に示される「×」は、ネットワークデバイスがデータパケット＃１を検出していないことを示す）ので、ネットワークデバイスは、データパケット＃３及び対応する新たなデータインジケーション情報＃３に基づいて新たなデータインジケーション情報＃２を判定する。具体的には、ネットワークデバイスは、データパケット＃２がデータパケット＃３の初めて伝送されるデータパケットであると判定することで、新たなデータインジケーション情報＃２の値が、「１」である（すなわち、図３に示されるＮＤＩ＃２＝１である）と判定する。端末デバイスが新たなデータインジケーション情報＃２を受信した後に、端末デバイスは、新たなデータインジケーション情報＃２の値を新たなデータインジケーション情報＃１の値と比較して、新たなデータインジケーション情報＃２の値が、新たなデータインジケーション情報＃１の値と同じであると判定する。この場合、端末デバイスは、ネットワークデバイスがデータパケット＃１の受信に失敗した（つまり、ネットワークデバイスによるデータパケット＃１の受信状態がＮＡＣＫである、又は、データパケット＃１が検出されなかった）と判断することで、端末デバイスは、データパケット＃１の再伝送されるデータパケットを送信する、又は、バッファ内にデータパケット＃１を保持する。
【０２１７】
図４は、本発明の実施形態に係るデータ伝送手順におけるネットワークデバイス及び端末デバイスの動作の別の概略図である。
【０２１８】
図４に示されるように、端末デバイスは、サブフレーム＃ｎにおいて、第１のＨＡＲＱプロセス番号（すなわち、ＨＡＲＱプロセス番号＃Ｈ０）に対応するデータパケット＃３を送信し、データパケット＃３に対応する新たなデータインジケーション情報＃３の値は、「０」である（すなわち、図４に示されるＮＤＩ＃３＝０である）。ネットワークデバイスは、データパケット＃３を正しく受信し、ＨＡＲＱフィードバック情報を用いて、ネットワークデバイスによるデータパケット＃３の受信状態がＡＣＫであることを示す。ＨＡＲＱフィードバック情報を受信した後に、端末デバイスは、サブフレーム＃ｎ＋８（すなわち、時間単位＃１）において、ＧＵＬ伝送方式で、ＨＡＲＱプロセス番号＃Ｈ０に対応するデータパケット＃１を送信し、データパケット＃１は、データパケット＃３とは異なる初めて伝送されるデータパケットであり、データパケット＃１に対応する新たなデータインジケーション情報＃１の値は、「１」である（すなわち、図４に示されるＮＤＩ＃１＝１である）。ネットワークデバイスは、データパケット＃１の受信に成功する。さらに、ネットワークデバイスは、ＨＡＲＱプロセス番号＃Ｈ０を用いてサブフレーム＃ｎ＋１６（すなわち、時間単位＃２）においてデータパケット＃２を送信するように端末デバイスを、命令情報＃１を用いてサブフレーム＃ｎ＋１２においてスケジューリングする。
【０２１９】
この場合、ネットワークデバイスは、データパケット＃１の受信に成功したので、ネットワークデバイスは、データパケット＃１及び対応する新たなデータインジケーション情報＃１に基づいて新たなデータインジケーション情報＃２を判定する。具体的には、ネットワークデバイスは、データパケット＃２が、データパケット＃１とは異なる初めて伝送されるデータパケットであると判定することで、新たなデータインジケーション情報＃２の値が「０」であり（すなわち、図４に示されるＮＤＩ＃２＝０であり）、かつ、新たなデータインジケーション情報＃１の値とは異なると判定する。端末デバイスが新たなデータインジケーション情報＃２を受信した後に、端末デバイスは、新たなデータインジケーション情報＃２の値を新たなデータインジケーション情報＃１の値と比較して、新たなデータインジケーション情報＃２の値が、新たなデータインジケーション情報＃１の値とは異なると判定する。この場合、端末デバイスは、ネットワークデバイスが、データパケット＃１の受信に成功した（つまり、受信状態がＮＡＣＫである）と判断することで、端末デバイスは、データパケット＃１とは異なる初めて伝送されるデータパケットを送信する。
【０２２０】
従来技術では、端末デバイスは、新たなデータインジケーション情報＃１の値と新たなデータインジケーション情報＃２の値との間の関係に基づいて、データパケットを処理していないが、（新たなデータインジケーション情報＃２の値を考慮することなく）命令情報＃１の命令に従って新たなデータパケットを常に送信している。結果として、特に事例１では、データパケット＃１の損失が引き起こされる。
【０２２１】
そのため、本発明の本実施形態におけるデータ伝送方法によれば、第１のＨＡＲＱプロセス番号に対応する第２データパケットを送信するよう端末デバイスに命令するために用いられる第１命令情報を受信した後に、端末デバイスは、第１データパケットに対してバッファリング処理を実行する、又は、第２データパケットに対応する第２の新たなデータインジケーション情報の値と、ＧＵＬ伝送方式で端末デバイスにより送信される第１データパケットに対応する第１の新たなデータインジケーション情報の値とに基づいて、第２データパケットの伝送タイプを判定して、第２データパケットを送信し、第２データパケットは、第１データパケットの再伝送されるデータパケットである、又は、第２データパケットは、第１データパケットとは異なる初めて伝送されるデータパケットである。特に、ネットワークデバイスが第１データパケットを検出していない場合、かつ、ネットワークデバイスが、第１命令情報を用いて、第１のＨＡＲＱプロセス番号に対応する初めて伝送されるデータパケットを伝送するよう端末デバイスに命令した場合、端末デバイスは、もはや第１命令情報に従って初めて伝送されるデータパケットを伝送することはないが、第１データパケットの再伝送されるデータパケットを送信し、もはやバッファ内の第１データパケットを消去することはないが、第１データパケットをバッファ内に保持する。そのため、第１データパケットの損失が低減され、データ伝送の信頼性が改善され、システムの柔軟性も改善される。
【０２２２】
オプションで、端末デバイスが、グラントフリーアップリンクＧＵＬ伝送方式で、第１の時間単位においてネットワークデバイスに第１データパケットを送信する前に、方法は、
端末デバイスにより、ネットワークデバイスにより送信された制御情報を受信する段階であって、制御情報は第４の新たなデータインジケーション情報を含み、ＧＵＬ伝送方式で情報を送信するために端末デバイスをアクティブ化又は再アクティブ化するのに制御情報が用いられる場合、第４の新たなデータインジケーション情報の値は第１のプリセット値である、段階と、
端末デバイスにより、制御情報に基づいて、ＧＵＬ伝送方式に対応する半持続的な時間領域リソースを判定する段階であって、第１の時間単位は、半持続的な時間領域リソースに属する、段階と
をさらに含む。
【０２２３】
具体的には、新たなデータインジケーション情報＃４（すなわち、第４の新たなデータインジケーション情報の例）のサイズは１ビットであってよく、新たなデータインジケーション情報＃１の値は「０」及び「１」という２つの状態に対応し、第１のプリセット値は「０」又は「１」であってよい。例えば、ＧＵＬ伝送方式で情報を送信するために端末デバイスをアクティブ化又は再アクティブ化するのに制御情報が用いられる場合、第１のプリセット値は「０」である。別の例として、ＧＵＬ伝送方式で情報を送信するために端末デバイスをアクティブ化又は再アクティブ化するのに制御情報が用いられる場合、第１のプリセット値は「１」である。具体的には、新たなデータインジケーション情報＃４はＮＤＩ情報である。より具体的には、新たなデータインジケーション情報＃４は、制御情報内のＮＤＩフィールドである。
【０２２４】
本発明の本実施形態では、制御情報は、ＧＵＬ伝送方式で情報を送信するために端末デバイスをアクティブ化（Ａｃｔｉｖａｔｅ）又は再アクティブ化（Ｒｅａｃｔｉｖａｔｅ）するのに用いられる。制御情報は、ＧＵＬ伝送方式に対応する半持続的な時間領域リソースを構成するために用いられるものとしても理解され得る。制御情報は、端末デバイスがＧＵＬ伝送方式で半持続的な時間領域リソース上で情報を送信することを可能（ｅｎａｂｌｅ）にするために用いられるものとしても理解され得る。つまり、端末デバイスは、制御情報を受信した後のみ、ＧＵＬ伝送方式で、半持続的な時間領域リソース上で情報を送信することを開始できる。そのため、半持続的な時間領域リソース内の時間単位＃１を用いてＧＵＬ伝送方式でデータパケット＃１を送信するために、端末デバイスは、制御情報に基づいて半持続的な時間領域リソースを判定してよい。
【０２２５】
半持続的な時間領域リソースは、持続的な時間領域リソースであってよい。具体的には、端末デバイスが制御情報を受信し、制御情報に基づいてＧＵＬ伝送方式で情報を送信するために端末デバイスをアクティブ化又は再アクティブ化すると、ＧＵＬ伝送方式に対応する半持続的な時間領域リソースが持続する。つまり、端末デバイスが制御情報を受信してから比較的長い期間が経過したとしても、再アクティベーション用の制御情報の次の部分が再び受信された場合に、又は、これ以上ＧＵＬ伝送方式で情報を送信しないよう端末デバイスに命令するための非アクティベーション用の制御情報を受信した場合に、新たな半持続的な時間領域リソースが構成されるまで、ＧＵＬ伝送方式に対応する時間領域リソースは依然として存在する。比較により、ＵＬグラント情報に基づく動的なスケジューリングは、制限された数の時間単位においてのみ有効である。
【０２２６】
ここで、半持続的な時間領域リソースは、上述した利用可能なＧＵＬ無線リソースであることを理解されたい。
【０２２７】
オプションで、半持続的な時間領域リソースは、周期的な時間領域リソースであってよい。各期間は、１つの時間単位を含んでよい、又は、少なくとも２つの時間単位を含んでよい、又は、期間内のすべての時間単位を含んでよい。例えば、期間として４ｍｓが用いられ、制御情報を用いてアクティブ化又は再アクティブ化される半持続的な時間領域リソースが各期間における最初の２ｍｓである場合、半持続的な時間領域リソースは、サブフレーム｛＃１、＃２｝、｛＃５、＃６｝、｛＃９、＃１０｝...｛＃４Ｋ＋１、＃４Ｋ＋２｝、...、などを含み、Ｋは、正の整数である、又は、制御情報を用いてアクティブ化又は再アクティブ化される半持続的な時間領域リソースが各期間における最初の１ｍｓである場合、半持続的な時間領域リソースは、サブフレーム｛＃１｝、｛＃５｝、｛＃９｝、...、｛＃４Ｋ＋１｝、...、などを含む。期間として１ｍｓが用いられ、制御情報を用いてアクティブ化又は再アクティブ化される半持続的な時間領域リソースが各期間における１ｍｓである場合、半持続的な時間領域リソースは、サブフレーム｛＃１｝、｛＃２｝、｛＃３｝、...、｛＃Ｋ｝、...、などを含む。
【０２２８】
オプションで、期間は、上位レイヤシグナリングを用いてネットワークデバイスにより構成される期間である。代わりに、期間は、予め定められた値、例えば、１ｍｓであってよい。
【０２２９】
限定ではなく例示を目的として、半持続的な時間領域リソースは、代わりに、持続性機能を満たす非周期的な時間領域リソースであってよい。
【０２３０】
以前に、ＧＵＬ伝送方式で情報を送信するように端末デバイスがアクティブ化されている場合、制御情報は、ＧＵＬをアクティブ化するために用いられることを理解されたい。制御情報を受信した後に、端末デバイスは、半持続的な時間領域リソース内の少なくとも１つのランダムな時間単位において、ＧＵＬ伝送方式での情報の送信を開始してよい。ＧＵＬ伝送方式で情報を送信するように端末デバイスが前にアクティブ化されている場合、制御情報が、ＧＵＬを再アクティブ化するために用いられる。この場合、制御情報は、（以前のＧＵＬ伝送において用いられたものとは異なる）更新された半持続的な時間領域リソースを用いるように端末デバイスを構成するために用いられ、端末デバイスは、更新された半持続的な時間領域リソース内の少なくとも１つのランダムな時間単位において、ＧＵＬ伝送方式での情報の送信を開始してよい。
【０２３１】
オプションで、アクティベーション又は再アクティベーションは、端末デバイスが、ＧＵＬ伝送に用いられ得るすべてのＨＡＲＱプロセス番号を用いてＧＵＬ伝送方式で情報を送信するためにアクティブ化又は再アクティブ化され得ることを意味する。具体的には、ＧＵＬ伝送に用いられ得るすべてのＨＡＲＱプロセス番号は予め定められていてよい、又は、上位レイヤシグナリングを用いてネットワークデバイスにより構成されてよい。
【０２３２】
オプションで、アクティベーション又は再アクティベーションは、端末デバイスが、少なくとも１つの特定のＨＡＲＱプロセス番号を用いてＧＵＬ伝送方式で情報を送信するためにアクティブ化又は再アクティブ化され得ることを意味する。具体的には、少なくとも１つの特定のＨＡＲＱプロセス番号は、制御情報により示される。
【０２３３】
制御情報は、新たなデータインジケーション情報＃４を含むだけでなく、他の情報、例えば、端末デバイスの電力調整（Ｔｒａｎｓｍｉｓｓｉｏｎ  Ｐｏｗｅｒ  Ｃｏｎｔｒｏｌ、ＴＰＣ）を示すために用いられるフィールド、及び、周波数領域リソース割り当て（Ｒｅｓｏｕｒｃｅ  Ａｌｌｏｃａｔｉｏｎ、ＲＡ）を示すために用いられるフィールドのうちの少なくとも一方も含むことに留意されたい。
【０２３４】
これに応じて、ＧＵＬ伝送方式で情報を送信するために端末デバイスをアクティブ化又は再アクティブ化するのに制御情報が用いられる場合、新たなデータインジケーション情報＃４の値がプリセット値であるだけでなく、他の情報の値も予め設定されていてよい。例えば、ＴＰＣフィールドのプリセット値は、すべて「０」の状態にあり、ＲＡフィールドのプリセット値は、すべて「０」の状態にある。上述した新たなデータインジケーション＃４を含む少なくとも１つのフィールドが、少なくとも１つのフィールドに対応するプリセット値である場合、制御情報は、ＧＵＬ伝送方式で情報を送信するために端末デバイスをアクティブ化又は再アクティブ化するのに用いられることを理解されたい。
【０２３５】
制御情報は、ＧＵＬ伝送方式に対応する半持続的な時間領域リソースをアクティブ化又は再アクティブ化するために用いられるだけでなく、ＧＵＬ伝送方式に対応する他の情報を構成するためにも用いられてよいことをさらに留意されたい。
【０２３６】
例えば、ＧＵＬ伝送方式に対応する他の情報は、ＧＵＬ伝送方式で送信されるアップリンクデータパケットに対応する周波数領域リソース、生成フォーマット、パイロットフォーマット及びフィードバックフォーマットのうちの少なくとも１つを含む。アップリンクデータパケットに対応する生成フォーマットは、端末デバイスが変調及び符号化を通じてアップリンクデータパケットを生成する方式を含み、例えば、変調及び符号化方式（ＭＣＳ）及びＴＢＳのうちの少なくとも一方を含み、アップリンクデータパケットに対応するパイロットフォーマットは、端末デバイスがパイロットシーケンス、例えば、アップリンクデータパケットが位置するＰＵＳＣＨに対応するＤＭＲＳのシーケンス情報を送信する方式を含み、アップリンクデータパケットのフィードバックフォーマットは、端末デバイスがフィードバック情報を送信する方式を含み、例えば、ダウンリンクＨＡＲＱ‐ＡＣＫ情報をフィードバックするか否か、及び、ＣＳＩ情報をフィードバックするか否かのうちの少なくとも一方を含む。
【０２３７】
本発明の本実施形態では、制御情報は、半持続的なＵＬグラント情報であってよい（区別及び理解しやすくするために、半持続的なＵＬグラント情報＃１として示される）。さらに、命令情報＃１（つまり、動的なＵＬグラント情報）から、制御情報（つまり、半持続的なＵＬグラント情報＃１）を区別するために、２つのタイプの情報に対して、異なるスクランブリングが実行される。具体的には、制御情報（つまり、半持続的なＵＬグラント情報＃１）は、ＲＮＴＩ＃１（すなわち、第１ＲＮＴＩの例）を用いてスクランブルされ、命令情報＃１は、ＲＮＴＩ＃２（すなわち、第２ＲＮＴＩの例）を用いてスクランブルされており、ＲＮＴＩ＃１はＲＮＴＩ＃２とは異なる。例えば、ＲＮＴＩ＃１は、半持続的スケジューリング（Ｓｅｍｉ‐Ｐｅｒｓｉｓｔｅｎｔ  Ｓｃｈｅｄｕｌｉｎｇ、ＳＰＳ）Ｃ‐ＲＮＴＩ、ＧＵＬ  Ｃ‐ＲＮＴＩ、又は、Ｇ‐ＲＮＴＩであってよく、ＲＮＴＩ＃２は、Ｃ‐ＲＮＴＩであってよい。
【０２３８】
オプションで、端末デバイスが、グラントフリーアップリンクＧＵＬ伝送方式で、第１の時間単位においてネットワークデバイスに第１データパケットを送信する前に、方法は、
端末デバイスにより、ネットワークデバイスにより送信された制御情報を受信する段階であって、制御情報は第４の新たなデータインジケーション情報を含み、ＧＵＬ伝送方式で情報を送信するために端末デバイスをアクティブ化又は再アクティブ化するのに制御情報が用いられる場合、第４の新たなデータインジケーション情報の値は第１のプリセット値である、段階と、
第１の新たなデータインジケーション情報を判定する場合、端末デバイスにより、第４の新たなデータインジケーション情報を無視する段階と
をさらに含む。
【０２３９】
具体的には、新たなデータインジケーション情報＃４の値が第１のプリセット値である場合、（データパケット＃１を含む）アップリンクデータパケットは、初めて伝送されるデータパケットであることも示す。データパケット＃１について、新たなデータインジケーション情報＃１は、（以下に説明されるように）データパケット＃１とデータパケット＃３との間の伝送関係、及び、データパケット＃３に対応する新たなデータインジケーション情報＃３に基づいて判定され、プリセット値ではない。そのため、新たなデータインジケーション情報＃１により示されるデータパケットの初期伝送又は再伝送は、新たなデータインジケーション情報＃４により示されるデータパケットの初期伝送又は再伝送との一貫性がないかもしれない。そのため、新たなデータインジケーション情報＃１を判定する場合、端末デバイスは、新たなデータインジケーション情報＃４を無視する。つまり、端末デバイスは、制御情報内に保持される新たなデータインジケーション情報＃４に基づいて、新たなデータインジケーション情報＃１を判定しない。しかしながら、端末デバイスは、ＧＵＬ伝送方式に対応し、かつ、制御情報内に保持される他の情報（アップリンクデータパケットの周波数領域リソース、生成フォーマット、パイロットフォーマット及びフィードバックフォーマットのうちの少なくとも１つ）に基づいてデータパケット＃１を送信する。
【０２４０】
オプションで、第４データパケットの再伝送されるデータパケットをスケジューリングするために制御情報が用いられる場合、第４の新たなデータインジケーション情報の値は第２のプリセット値であり、第４データパケットは、ＧＵＬ伝送方式で端末デバイスにより送信されるデータパケットであり、第２のプリセット値は第１のプリセット値とは異なる。
【０２４１】
つまり、新たなデータインジケーション情報＃４は、２つの値、すなわち、ここでは上述した第１のプリセット値及び第２のプリセット値を有する。新たなデータインジケーション情報＃４の異なる値は、制御情報の異なる機能に対応する。具体的には、新たなデータインジケーション情報＃４の値が第１のプリセット値である場合、制御情報は、ＧＵＬ伝送方式で情報を送信するために端末デバイスをアクティブ化又は再アクティブ化するのに用いられ、データインジケーション情報＃４の値が第２のプリセット値である場合、制御情報は、データパケット＃４（すなわち、第４データパケットの例）の再伝送されるデータパケットをスケジューリングするために用いられ（つまり、制御情報は、再伝送されるデータパケットをスケジューリングするために用いられる、又は、制御情報は、データパケット＃４を再伝送するよう端末デバイスに命令するために用いられる）、つまり、制御情報は、データパケット＃４の再伝送されるデータパケットを送信するように端末デバイスをスケジューリングするのに用いられる。具体的には、新たなデータインジケーション情報＃１の値は、「０」及び「１」という２つの状態に対応する。第１のプリセット値が「０」である場合、第２のプリセット値は、「１」である、又は、第１のプリセット値が「１」である場合、第２のプリセット値は、「０」である。
【０２４２】
オプションで、制御情報が、データパケット＃４の再伝送されるデータパケットを送信するように端末デバイスをスケジューリングするために用いられる場合、新たなデータインジケーション＃４が第２のプリセット値に対応することに加えて、制御情報は、プリセット値に対応する別のフィールド、例えば、上述したＴＰＣフィールド及びＲＡフィールドのうちの少なくとも一方をさらに含む。制御情報が、再伝送をスケジューリングするために用いられる場合、制御情報内の別のフィールドに対応するプリセット値は、制御情報がアクティベーション又は再アクティベーションのために用いられる場合の制御情報に含まれる別のフィールドと同じであり得る、又は、当該別のフィールドとは異なり得る。
【０２４３】
新たなデータインジケーション情報＃４の値が第２のプリセット値であるので、端末デバイスは、新たなデータインジケーション情報＃４の値に基づいて、端末デバイスがデータパケット＃４の再伝送されるデータパケットを送信する必要があると直接判定することができる。しかしながら、上述した新たなデータインジケーション情報＃２について、新たなデータインジケーション情報＃２の値が予め設定されていないが、ネットワークデバイスによるデータパケット＃１の受信状態に関連しているので、新たなデータインジケーション情報＃２の値は、前のデータパケットに対応する新たなデータインジケーション情報の値（すなわち新たなデータインジケーション情報＃１の値又は新たなデータインジケーション情報＃３の値）に基づいて判定され、端末デバイスについて、「新たなデータインジケーション情報＃１の値及び新たなデータインジケーション情報＃２の値に基づいて、端末デバイスが再伝送されるデータパケット又は初めて伝送されるデータパケットを送信する」場合、端末デバイスは、新たなデータインジケーション情報＃２のみに基づいて、初めて伝送されるデータパケットを送信するか、又は、再伝送されるデータパケットを送信するかを判定できない。
【０２４４】
本発明の本実施形態では、ネットワークデバイスによるアップリンクデータパケットの受信状態は、代わりに、半持続的なＵＬグラント情報及び動的なＵＬグラント情報に加えて、ＨＡＲＱフィードバック情報を用いて示され得る。アップリンクデータパケットは、ＳＵＬ伝送方式で送信されてよい、又は、ＧＵＬ伝送方式で送信されてよい。
【０２４５】
ＨＡＲＱフィードバック情報に基づくインジケーション方式では、ＨＡＲＱフィードバック情報は、ＨＡＲＱプロセス番号に対応する前のアップリンク伝送（つまり、ＨＡＲＱプロセス番号に対応する前のデータパケット）が、ネットワークデバイスにより正しく受信されたが、ＨＡＲＱプロセス番号を用いて初期伝送又は再伝送を実行するように端末デバイスをスケジューリングするために、ネットワークデバイスにより用いられるスケジューリング情報を含でいないかを示すために用いられるインジケーション情報を含む。
【０２４６】
オプションで、ＨＡＲＱフィードバック情報は、少なくとも１つのＴＴＩにおけるＨＡＲＱプロセスに対応する受信状態を含み、少なくとも１つのＴＴＩは、予め定められた時間的な関連性、又は、ＨＡＲＱフィードバック情報が位置するＴＴＩとの、ネットワークデバイスにより示される時間的な関連性を有する。具体的には、ＨＡＲＱフィードバック情報は、ＰＨＩＣＨチャネル及び対応するＨＡＲＱフィードバック方式を用いる。例えば、ＴＴＩ＃ｎにおけるＨＡＲＱプロセスの受信状態は、ＴＴＩ＃ｎ＋ｋ（ｋ＞０）におけるＨＡＲＱフィードバック情報を用いて示される。
【０２４７】
オプションで、ＨＡＲＱフィードバック情報は、ＨＡＲＱプロセスセット（少なくとも１つのＨＡＲＱプロセスを含み、かつ、第１のＨＡＲＱプロセス番号に対応するＨＡＲＱプロセスを含む）内の各ＨＡＲＱプロセスの受信状態を含む。ＨＡＲＱプロセスセットは、ネットワークデバイスにより構成されてよい、又は、予め定められてよい又は固定されてよい。具体的には、ＨＡＲＱフィードバック情報は、ビットマップ（ｂｉｔ  ｍａｐ）方式でＨＡＲＱプロセスセット内の各ＨＡＲＱプロセスの受信状態を示す。この場合、ＨＡＲＱフィードバック情報は、グラントフリーダウンリンク制御情報（Ｇｒａｎｔｆｒｅｅ‐Ｄｏｗｎｌｉｎｋ  Ｃｏｎｔｒｏｌ  Ｉｎｆｏｒｍａｔｉｏｎ、Ｇ‐ＤＣＩ）とも称される。
【０２４８】
オプションで、ＡＣＫは、二進法の「１」で表され、ＮＡＣＫは、二進法の「０」で表される。例えば、ＨＡＲＱプロセスセットに含まれる（ＨＡＲＱプロセス番号で表される）ＨＡＲＱプロセスは、｛＃０、＃１、＃２、＃３｝であるときに、＃０及び＃１が正しく受信され、＃２及び＃３が誤って受信された場合、Ｇ‐ＤＣＩに含まれるビットマップは｛１、１、０、０｝である。Ｇ‐ＤＣＩを受信した後に、端末デバイスは、ＧＵＬ伝送方式で初期伝送又は再伝送を実行してよい。例えば、ＨＡＲＱプロセス番号に対応する受信状態がＡＣＫであることをＧ‐ＤＣＩが示す場合、ＧＵＬ伝送方式での次のデータ伝送中に、端末デバイスは、ＨＡＲＱプロセス番号を用いて新たなデータパケットを伝送してよい、又は、ＨＡＲＱプロセス番号に対応する受信状態がＮＡＣＫであることをＧ‐ＤＣＩが示す場合、ＧＵＬ伝送方式での次のデータ伝送中に、端末デバイスは、ＨＡＲＱプロセス番号を用いて、前のアップリンク伝送に対応するデータパケットを再伝送してよい。
【０２４９】
上述では、本発明の本実施形態におけるＧＵＬ伝送方式に関連する内容（具体的には、ＧＵＬ伝送方式の伝送フォーマット＃１を構成するために用いられる半持続的なＵＬグラント情報＃１、及び、半持続的なＵＬグラント情報をスクランブルするために用いられるＲＮＴＩ＃１など）を説明した。以下では、上述した事例Ａにおけるデータパケット＃１の再伝送されるデータパケットを端末デバイスが送信する特定の事例を説明する。
【０２５０】
本発明の本実施形態では、データパケット＃１の再伝送されるデータパケットを端末デバイスが送信する特定の事例はまた、事例Ａ−１及び事例Ａ−２という２つの事例を含む。
【０２５１】
事例Ａ−１
【０２５２】
オプションで、第１の新たなデータインジケーション情報の値が第２の新たなデータインジケーション情報の値と同じである場合、端末デバイスが第２データパケットを送信することであって、第２データパケットは、第１データパケットの再伝送されるデータパケットである、送信することは、
端末デバイスにより、第１命令情報に従って、第２の時間単位において第２データパケットを送信することを含む。
【０２５３】
つまり、端末デバイスは、２つの新たなデータインジケーション情報を比較して、新たなデータインジケーション情報＃２の値が、新たなデータインジケーション情報＃１の値と同じであると判定することで、端末デバイスは、データパケット＃１の再伝送されるデータパケットを送信する必要があると判定できる。この場合、端末デバイスは、命令情報＃１に従って、時間単位＃２においてデータパケット＃１の再伝送されるデータパケットを直接送信してよい。つまり、端末デバイスは、データパケット＃２に対応する伝送フォーマット＃２を用いて、命令情報＃１に従ってデータパケット＃１の再伝送されるデータパケットを送信する。
【０２５４】
そのため、第１データパケットの再伝送されるデータパケットを送信する場合、端末デバイスは、第１命令情報の命令に従って、第２の時間単位において第１データパケットを直接再伝送し得ることで、現在のシグナリングを有効に活用しつつシグナリングオーバヘッドを減らす。
【０２５５】
限定ではなく例示を目的として、命令情報＃１に従ってデータパケット＃１を再伝送することに加えて、端末デバイスは、代わりに、命令情報＃１を無視して、他の情報又は別の伝送方式に基づいてデータパケット＃１を再伝送してよい。
【０２５６】
例えば、端末デバイスは、新たなＧＵＬ  ＰＵＳＣＨを用いてデータパケット＃１を再伝送してよく、具体的には、時間単位＃２の後であり、かつ、ＧＵＬ伝送に用いられ得る（利用可能なＧＵＬ時間領域リソースに含まれる）時間単位において、ＧＵＬ伝送方式で再伝送を実行してよい。さらに、データパケット＃１を再伝送するために用いられるＲＶバージョン番号は、データパケット＃１に対応するＲＶバージョン番号と一致しており、例えば、ＲＶ＃０であってよい。
【０２５７】
別の例として、再伝送を命令するために用いられる他の動的なＵＬグラント情報を端末デバイスが後で受信した場合、端末デバイスは、他の動的なＵＬグラント情報に従って再伝送を実行してよい。
【０２５８】
事例Ａ−２
【０２５９】
オプションで、端末デバイスが第１の新たなデータインジケーション情報の値及び第２の新たなデータインジケーション情報の値に基づいて第２データパケットを送信することは、第１の新たなデータインジケーション情報の値が第２の新たなデータインジケーション情報の値と同じである場合、かつ、第１データパケットに対応するトランスポートブロックサイズＴＢＳが第２データパケットに対応するＴＢＳと同じである場合、端末デバイスにより、第１命令情報に従って、第２の時間単位において第２データパケットを送信することを含み、第２データパケットは、第１データパケットの再伝送されるデータパケットである。
【０２６０】
データパケット＃１に対応するトランスポートブロックサイズＴＢＳ（区別及び理解しやすくするために、ＴＢＳ＃１として示される）が、データパケット＃２に対応するＴＢＳ（区別及び理解しやすくするために、ＴＢＳ＃２として示される）と同じである場合、通常、命令情報＃１に従って、データパケット＃１の再伝送されるデータパケットを送信することは、有効なデータ情報の損失を引き起こし、端末デバイスの複雑性を増大させる。これは、命令情報＃１に含まれる伝送フォーマット＃２が、データパケット＃２をスケジューリングするためにネットワークデバイスにより構成されるＴＢＳに対応するからである。
【０２６１】
本発明の本実施形態では、端末デバイスが、データパケット＃１の再伝送されるデータパケットを送信する場合、ＴＢＳ＃１とＴＢＳ＃２との間の関係は、ネットワークデバイスによるデータパケット＃１の受信状態について上述した第２事例及び第３事例に対応し得る。詳細は以下のとおりである。
【０２６２】
ネットワークデバイスがデータパケット＃１を検出しており、データパケット＃１の受信に成功しなかった場合、ＴＢＳ＃１は、ＴＢＳ＃２と全く同じである。これは、この場合、ネットワークデバイスがデータパケット＃１の存在を知っており、再伝送の組み合わせが、同じＴＢＳを有する２つのデータパケットに対してのみ実行され得るからである。そのため、ネットワークデバイスが、データパケット＃２をスケジューリングする場合、データパケット＃２に対応するＴＢＳ＃２はＴＢＳ＃１と全く同じである。
【０２６３】
ネットワークデバイスがデータパケット＃１を検出していない場合、つまり、ネットワークデバイスがデータパケット＃１の存在を検出していない場合、ネットワークデバイスがデータパケット＃３の受信に成功したものと仮定して、ネットワークデバイスは、第１のＨＡＲＱプロセス番号を用いて初めて伝送されるデータパケットを送信するように端末デバイスをスケジューリングする。この事例では、ネットワークデバイスは、データパケット＃１の存在を知らないので、ＴＢＳ＃１及びＴＢＳ＃２は、同じであり得る、又は、異なり得る。
【０２６４】
ネットワークデバイスによるデータパケット＃１の受信状態に関係なく、リソースを極めて効率的に活用するために、端末デバイスは、ネットワークデバイスの意図（具体的には、ネットワークデバイスはデータパケット＃１を検出するがデータパケット＃１の受信に成功していない、及び、ネットワークデバイスがデータパケット＃１を検出していないという上述の２つの事例）を区別する必要はない。端末デバイスがデータパケット＃１の再伝送されるデータパケットを送信する場合、ＴＢＳ＃１がＴＢＳ＃２と同じであるという条件で、端末デバイスは、時間単位＃２においてデータパケット＃１の再伝送されるデータパケットを命令情報＃１に従って送信する。一方、ＴＢＳ＃２とは異なるＴＢＳ＃１は、ネットワークデバイスがデータパケット＃１を検出していない事例に対応する。この場合、ネットワークデバイスによりスケジューリングされるリソース（つまり、伝送フォーマット＃２）は、ＴＢＳ＃２に一致するが、ＴＢＳ＃１には一致しない。端末デバイスは、ＴＢＳ＃１には一致しないリソース上でデータを送信することができるので、端末デバイスは、命令情報＃１を無視してよく、時間単位＃２において情報を送信しない。
【０２６５】
以下では、図５から図７、及び、ネットワークデバイスによるデータパケット＃１の受信状態を参照して、端末デバイスが、ＴＢＳ＃１とＴＢＳ＃２との間の関係に基づいてデータパケット＃１の再伝送されるデータパケットを送信する手順を詳細に説明する。
【０２６６】
図５は、本発明の実施形態に係るデータ伝送手順における端末デバイス及びネットワークデバイスの動作の別の概略図である。
【０２６７】
図５に示されるように、端末デバイスは、サブフレーム＃ｎにおいて、第１のＨＡＲＱプロセス番号（すなわち、ＨＡＲＱプロセス番号＃Ｈ０）に対応するデータパケット＃３を送信し、データパケット＃３に対応する新たなデータインジケーション情報＃３の値は、「０」である（すなわち、図５に示されるＮＤＩ＃３＝０である）。ネットワークデバイスは、データパケット＃３を正しく受信し、ＨＡＲＱフィードバック情報を用いて、ネットワークデバイスによるデータパケット＃３の受信状態がＡＣＫであることを示す。ＨＡＲＱフィードバック情報を受信した後に、端末デバイスは、サブフレーム＃ｎ＋８（すなわち、時間単位＃１）において、ＧＵＬ伝送方式で、ＨＡＲＱプロセス番号＃Ｈ０に対応するデータパケット＃１を送信し、データパケット＃１は、データパケット＃３とは異なる初めて伝送されるデータパケットであり、データパケット＃１に対応する新たなデータインジケーション情報＃１の値は、「１」であり（すなわち、図５に示されるＮＤＩ＃１＝１であり）、データパケット＃１に対応するＴＢＳ＃１は、１０００ビットである。ネットワークデバイスは、データパケット＃１を検出したが、データパケット＃１の復調及びデコードに失敗する。さらに、ネットワークデバイスは、ＨＡＲＱプロセス番号＃Ｈ０を用いてサブフレーム＃ｎ＋１６（すなわち、時間単位＃２）においてデータパケット＃２を送信するように端末デバイスを、命令情報＃１を用いてサブフレーム＃ｎ＋１２においてスケジューリングする。
【０２６８】
この場合、ネットワークデバイスは、新たなデータインジケーション情報＃１に基づいて新たなデータインジケーション情報＃２を判定する、つまり、ネットワークデバイスは、データパケット＃２が、データパケット＃１の再伝送されるデータパケットであると判定し、さらに、新たなデータインジケーション情報＃２の値が、「１」である（すなわち、図５に示されるＮＤＩ＃２＝１である）と判定し、ネットワークデバイスによりスケジューリングされるデータパケット＃２に対応するＴＢＳ＃２は、１０００ビットであり、かつ、ＴＢＳ＃１と同じである。
【０２６９】
端末デバイスが新たなデータインジケーション情報＃２を受信した後に、端末デバイスは、新たなデータインジケーション情報＃２の値を新たなデータインジケーション情報＃１の値と比較して、新たなデータインジケーション情報＃２の値が、新たなデータインジケーション情報＃１の値と同じであると判定する。この場合、端末デバイスは、ネットワークデバイスがデータパケット＃１の受信に失敗したと判断する。さらに、ＴＢＳ＃２＝１０００ビット＝ＴＢＳ＃１であるので、端末デバイスは、命令情報＃１に従って、サブフレーム＃ｎ＋１６においてデータパケット＃２を直接送信し得る。
【０２７０】
図６は、本発明の実施形態に係るデータ伝送手順におけるネットワークデバイス及び端末デバイスの動作の別の概略図である。
【０２７１】
図６に示されるように、端末デバイスは、サブフレーム＃ｎにおいて、ＨＡＲＱプロセス番号＃Ｈ０に対応するデータパケット＃３を送信し、データパケット＃３に対応する新たなデータインジケーション情報＃３の値は、「０」である（すなわち、図６に示されるＮＤＩ＃３＝０である）。ネットワークデバイスは、データパケット＃３を正しく受信し、ＨＡＲＱフィードバック情報を用いて、ネットワークデバイスによるデータパケット＃３の受信状態がＡＣＫであることを示す。ＨＡＲＱフィードバック情報を受信した後に、端末デバイスは、サブフレーム＃ｎ＋８（すなわち、時間単位＃１）において、ＧＵＬ伝送方式で、ＨＡＲＱプロセス番号＃Ｈ０に対応するデータパケット＃１を送信し、データパケット＃１は、データパケット＃３とは異なる初めて伝送されるデータパケットであり、データパケット＃１に対応する新たなデータインジケーション情報＃１の値は、「１」であり（すなわち、図６に示されるＮＤＩ＃１＝１であり）、データパケット＃１に対応するＴＢＳ＃１は、１０００ビットである。ネットワークデバイスは、データパケット＃１を検出することができない。さらに、ネットワークデバイスは、ＨＡＲＱプロセス番号＃Ｈ０を用いてサブフレーム＃ｎ＋１６（すなわち、時間単位＃２）においてデータパケット＃２を送信するように端末デバイスを、命令情報＃１を用いてサブフレーム＃ｎ＋１２においてスケジューリングする。
【０２７２】
この場合、ネットワークデバイスがデータパケット＃１を検出していないので、ネットワークデバイスは、データパケット＃３及び対応する新たなデータインジケーション情報＃３に基づいて新たなデータインジケーション情報＃２を判定する、つまり、ネットワークデバイスは、データパケット＃２がデータパケット＃３の初めて伝送されるデータパケットであると判定し、さらに、新たなデータインジケーション情報＃２の値が、「１」である（すなわち、図６に示されるＮＤＩ＃２＝１である）と判定し、ネットワークデバイスによりスケジューリングされるデータパケット＃２に対応するＴＢＳ＃２は、１０００ビットであり、かつ、ＴＢＳ＃１と同じである。
【０２７３】
端末デバイスが新たなデータインジケーション情報＃２を受信した後に、端末デバイスは、新たなデータインジケーション情報＃２の値を新たなデータインジケーション情報＃１の値と比較して、新たなデータインジケーション情報＃２の値が、新たなデータインジケーション情報＃１の値と同じであると判定する。この場合、端末デバイスは、ネットワークデバイスがデータパケット＃１の受信に失敗したと判断する。さらに、ＴＢＳ＃２＝１０００ビット＝ＴＢＳ＃１であるので、端末デバイスは、命令情報＃１に従って＃ｎ＋１６において、データパケット＃２を直接送信して、データパケット＃１の再伝送されるデータパケットを供給してよい。
【０２７４】
図７は、本発明の実施形態に係るデータ伝送手順におけるネットワークデバイス及び端末デバイスの動作の別の概略図である。
【０２７５】
図７に示されるように、端末デバイスは、サブフレーム＃ｎにおいて、ＨＡＲＱプロセス番号＃Ｈ０に対応するデータパケット＃３を送信し、データパケット＃３に対応する新たなデータインジケーション情報＃３の値は、「０」である（すなわち、図７に示されるＮＤＩ＃３＝０である）。ネットワークデバイスは、データパケット＃３を正しく受信し、ＨＡＲＱフィードバック情報を用いて、ネットワークデバイスによるデータパケット＃３の受信状態がＡＣＫであることを示す。ＨＡＲＱフィードバック情報を受信した後に、端末デバイスは、サブフレーム＃ｎ＋８（すなわち、時間単位＃１）において、ＧＵＬ伝送方式で、ＨＡＲＱプロセス番号＃Ｈ０に対応するデータパケット＃１を送信し、データパケット＃１は、データパケット＃３とは異なる初めて伝送されるデータパケットであり、データパケット＃１に対応する新たなデータインジケーション情報＃１の値は、「１」であり（すなわち、図７に示されるＮＤＩ＃１＝１であり）、データパケット＃１に対応するＴＢＳ＃１は、１０００ビットである。ネットワークデバイスは、データパケット＃１を検出することができない。さらに、ネットワークデバイスは、ＨＡＲＱプロセス番号＃Ｈ０を用いてサブフレーム＃ｎ＋１６（すなわち、時間単位＃２）においてデータパケット＃２を送信するように端末デバイスを、命令情報＃１を用いてサブフレーム＃ｎ＋１２においてスケジューリングする。
【０２７６】
この場合、ネットワークデバイスがデータパケット＃１を検出していないので、ネットワークデバイスは、データパケット＃３及び対応する新たなデータインジケーション情報＃３に基づいて新たなデータインジケーション情報＃２を判定する、つまり、ネットワークデバイスは、データパケット＃２がデータパケット＃３の初めて伝送されるデータパケットであると判定し、さらに、新たなデータインジケーション情報＃２の値が、「１」である（すなわち、図７に示されるＮＤＩ＃２＝１である）と判定し、ネットワークデバイスによりスケジューリングされるデータパケット＃２に対応するＴＢＳ＃２は、５００ビットである。
【０２７７】
端末デバイスが新たなデータインジケーション情報＃２を受信した後に、端末デバイスは、新たなデータインジケーション情報＃２の値を新たなデータインジケーション情報＃１の値と比較して、新たなデータインジケーション情報＃２の値が、新たなデータインジケーション情報＃１の値と同じであると判定する。この場合、端末デバイスは、ネットワークデバイスがデータパケット＃１の受信に失敗したと判断する。さらに、ＴＢＳ＃２がＴＢＳ＃２とは異なるので、端末デバイスは、命令情報＃１に従ってデータパケット＃２を送信せず、データ情報を送信するためにサブフレーム＃ｎ＋１６を占有しない。
【０２７８】
そのため、第１の新たなデータインジケーション情報の値が第２の新たなデータインジケーション情報の値と同じである場合、かつ、第１データパケットに対応するトランスポートブロックサイズＴＢＳが第２データパケットに対応するＴＢＳと同じである場合、端末デバイスは、第１命令情報に従って、第２の時間単位において第１データパケットの再伝送されるデータパケットを送信する。そのため、現在のシグナリングを有効に活用しつつシグナリングオーバヘッドを減らすことができるだけでなく、第１データパケットの伝送効率も効率的に改善しつつ端末デバイスの複雑性を減らすこともできる。
【０２７９】
限定ではなく例示を目的として、ＴＢＳ＃１がＴＢＳ＃２とは異なる場合、端末デバイスは、代わりに、命令情報＃１に従って、時間単位＃２においてデータパケット＃１の再伝送されるデータパケットを送信してよい。
【０２８０】
具体的には、ＴＢＳ＃１が、命令情報＃１により示されるＴＢＳ＃２より大きい場合、データパケット＃１は分割されてよく、命令情報＃１により示されるＴＢＳ＃２に基づいて伝送が実行される。ＴＢＳ＃１が、命令情報＃１により示されるＴＢＳ＃２より小さい場合、データパケット＃１、及び、上位レイヤから供給される新たなデータは、新たなデータパケットへと再構築されてよく、その結果、新たなデータパケットのＴＢＳは、命令情報＃１により示されるＴＢＳ＃２と同じであり、そして、新たなデータパケットが伝送される。さらに、再伝送の冗長バージョン（Ｒｅｄｕｎｄａｎｃｙ  Ｖｅｒｓｉｏｎ、ＲＶ）のバージョン番号は、データパケット＃１に対応するＲＶバージョン番号と一致しており、例えば、ＲＶ＃０であってよい。
【０２８１】
端末デバイスが命令情報＃１に基づいてＴＢＳ＃２を判定し得ることを理解されたい。命令情報＃１は、データパケット＃２に対応する物理リソース及び変調及び符号化方式（ＭＣＳ）を示し、ＴＢＳ＃２は、物理リソース及びＭＣＳをマッピングした後に取得され得る。
【０２８２】
端末デバイスは、データパケット＃１を構成するための構成情報（つまり、上述した制御情報）に基づいてＴＢＳ＃１を判定し得ることを理解されたい。構成情報（つまり、制御情報）は、データパケット＃１に対応する物理リソース及びＭＣＳを示すために用いられる情報を含み、ＴＢＳ＃１は、物理リソース及びＭＣＳをマッピングした後に取得され得る。代わりに、端末デバイスは、ＴＢＳ＃１を自律的に判定してよく、端末デバイスは、ＴＢＳ＃１、又は、ＴＢＳにマッピングされるために用いられる物理リソース及び／又はＭＣＳをネットワークデバイスに報告してよい。オプションで、第１の新たなデータインジケーション情報の値が第２の新たなデータインジケーション情報の値と同じである場合、端末デバイスは第１命令情報を無視する。
【０２８３】
具体的には、端末デバイスは、命令情報＃１に従うデータパケット＃２の送信を禁止又は停止する。つまり、端末デバイスは、もはや、命令情報＃１の命令に従ってデータパケット＃２のパケットアセンブリを実行することはない、又は、端末デバイスは、命令情報＃１の命令に従って、時間単位＃１においてデータパケット＃１を送信しない。
【０２８４】
本発明の本実施形態では、命令情報＃１を無視する場合、端末デバイスは、第１のＨＡＲＱプロセス番号に対応するＨＡＲＱバッファ内にデータパケット＃１を保持してよい、又は、当該ＨＡＲＱバッファ内のデータパケット＃１を消去してよい。
【０２８５】
命令情報＃１を無視する場合、端末デバイスは、他の情報に基づいて、又は、上述したような別の伝送方式でデータパケット＃１を再伝送してよく、詳細がここで再びを説明されることはないことを理解されたい。
【０２８６】
本発明の本実施形態では、端末デバイスが命令情報＃１を無視する場合、ネットワークデバイスが、データパケット＃２を送信するように端末デバイスを、命令情報＃１を用いてスケジューリングする２つの事例が考慮される必要があり、２つの事例は、ネットワークデバイスによるデータパケット＃１の受信状態について上述した第２事例及び第３事例にも対応し得る。詳細は以下のとおりである。
【０２８７】
第２事例では、具体的には、ネットワークデバイスが、データパケット＃１を検出しており、データパケット＃１の受信に失敗した場合、例えば、ネットワークデバイスが、データパケット＃１を検出したが、データパケット＃１の復調及びデコードに失敗した場合、ネットワークデバイスが、送信するように端末デバイスをスケジューリングするデータパケット＃２は、データパケット＃１の再伝送されるデータパケットである。この場合、ネットワークデバイスは、データパケット＃１の再伝送されるデータパケットを送信するために、２つの方式で、端末デバイスをスケジューリングしてよい。
【０２８８】
方式１
【０２８９】
ネットワークデバイスは、半持続的なＵＬグラント情報（区別及び理解しやすくするために、半持続的なＵＬグラント情報＃２として示される）を用いて、データパケット＃１の再伝送されるデータパケットを送信するように端末デバイスをスケジューリングする。具体的には、半持続的なＵＬグラント情報＃２内の新たなデータインジケーション情報（区別及び理解しやすくするために、新たなデータインジケーション情報＃５として示される）の値は、第２のプリセット値（例えば、半持続的なＵＬグラント情報＃２内のＮＤＩが１）であり、新たなデータインジケーション情報＃５は、データパケット＃１の再伝送されるデータパケットを送信するよう端末デバイスに命令するために用いられる。半持続的なＵＬグラント＃２の機能は、データパケット＃４の再伝送されるデータパケットをスケジューリングするために用いられる半持続的なＵＬグラント＃１の機能と同様である。半持続的なＵＬグラント＃２は、ＲＮＴＩ＃１を用いてスクランブルされる。
【０２９０】
この場合、ネットワークデバイスは、端末デバイスをスケジューリングしてデータパケット＃１を再伝送するために端末デバイスに命令情報＃１及び新たなデータインジケーション情報＃２を送信せず、端末デバイスは、命令情報＃１及び新たなデータインジケーション情報＃２を受信することはない。
【０２９１】
ネットワークデバイスが再伝送されるデータパケットを常に方式１でスケジューリングする場合、ネットワークデバイスが、データパケット＃２を送信するように端末デバイスを、命令情報＃１を用いてスケジューリングすることに関する上述の解析から分かり得るので、ネットワークデバイスがデータパケット＃１の存在を検出した場合、ネットワークデバイスは、データパケット＃１を再伝送する端末デバイスを、半持続的なＵＬグラント情報＃２を用いてスケジューリングする。そのため、第３事例に起因して、具体的には、ネットワークデバイスがデータパケット＃１の存在を検出していない（ネットワークデバイスは、命令情報＃１及び新たなデータインジケーション情報＃２を用いてスケジューリングされるデータパケット＃２が初めて伝送されるデータパケットになると予測する）ので、端末デバイスは、命令情報＃１（新たなデータインジケーション情報＃２）を確実に受信する。つまり、ネットワークデバイスがデータパケット＃１を検出していないと判定し得る。この場合、ＴＢＳ＃２がＴＢＳ＃１と同じであるという可能性が非常に低いことを考慮して、実装しやすくするために、端末デバイスは、命令情報＃１を直接無視してよい。
【０２９２】
図８は、本発明の実施形態に係るデータ伝送手順におけるネットワークデバイス及び端末デバイスの動作の別の概略図である。具体的には、図８は、第２事例におけるデータパケット＃１の再伝送されるデータパケットを送信するように、ネットワークデバイスが端末デバイスを方式１でスケジューリングする手順におけるネットワークデバイス及び端末デバイスの動作の概略図である。
【０２９３】
図８では、端末デバイスは、サブフレーム＃ｎにおいて、ＨＡＲＱプロセス番号＃Ｈ０に対応するデータパケット＃３を送信し、データパケット＃３に対応する新たなデータインジケーション情報＃３の値は、「０」である（すなわち、図８に示されるＮＤＩ＃３＝０である）。ネットワークデバイスは、データパケット＃３を正しく受信し、ＨＡＲＱフィードバック情報を用いて、ネットワークデバイスによるデータパケット＃３の受信状態がＡＣＫであることを示す。ＨＡＲＱフィードバック情報を受信した後に、端末デバイスは、サブフレーム＃ｎ＋８（すなわち、時間単位＃１）において、ＧＵＬ伝送方式で、ＨＡＲＱプロセス番号＃Ｈ０に対応するデータパケット＃１を送信し、データパケット＃１は、データパケット＃３とは異なる初めて伝送されるデータパケットであり、データパケット＃１に対応する新たなデータインジケーション情報＃１の値は、「１」であり（すなわち、図８に示されるＮＤＩ＃１＝１であり）、データパケット＃１に対応するＴＢＳ＃１は、１０００ビットである。さらに、第１のＨＡＲＱプロセス番号について、第１のＨＡＲＱプロセス番号に対応するデータパケットに対して単一の再伝送を実行するように端末デバイスをスケジューリングする場合、ネットワークデバイスは、半持続的なＵＬグラント情報＃２のみを用いる。
【０２９４】
ネットワークデバイスは、データパケット＃１を検出するが、データパケット＃１の復調及びデコードに失敗する。さらに、ネットワークデバイスは、ＨＡＲＱプロセス番号＃Ｈ０を用いてサブフレーム＃ｎ＋１６（すなわち、時間単位＃２）においてデータパケット＃１の再伝送されるデータパケットを送信するように、半持続的なＵＬグラント情報＃２を用いて、サブフレーム＃ｎ＋１２において端末デバイスをスケジューリングする。この場合、ネットワークデバイスは、データパケット＃２がデータパケット＃１の再伝送されるデータパケットであると判定し、ネットワークデバイスによりスケジューリングされるデータパケット＃２に対応するＴＢＳ＃２は、１０００ビットであり、かつ、ＴＢＳ＃１と同じである。
【０２９５】
端末デバイスが半持続的なＵＬグラント情報＃２を受信した後に、端末デバイスは、ネットワークデバイスがデータパケット＃１を検出したが、データパケット＃１の受信に成功しなかったと正しく判断する。さらに、ＴＢＳ＃２＝１０００ビット＝ＴＢＳ＃１であるので、端末デバイスは、半持続的なＵＬグラント情報＃２に基づいて、＃ｎ＋１６においてデータパケット＃１の再伝送されるデータパケットを直接送信する。
【０２９６】
方式２
【０２９７】
ネットワークデバイスは、データパケット＃１を再伝送するように端末デバイスを、命令情報＃１及び新たなデータインジケーション情報＃２を用いて、スケジューリングする。
【０２９８】
端末デバイスは、新たなデータインジケーション情報＃２の値及び新たなデータインジケーション情報＃１の値が同じであるか又は異なるかに基づいて、データパケット＃１の受信状態（受信成功又は受信失敗）を区別してよい。そのため、第２事例では、ネットワークデバイスは、方式２でデータパケット＃１の再伝送をスケジューリングしてもよい。
【０２９９】
ネットワークデバイスが再伝送されるデータパケットを常に方式２でスケジューリングする場合、第２事例では、ネットワークデバイスがデータパケット＃１の存在を検出する（しかし、データパケット＃１の受信に成功しない）ので、ネットワークデバイスはＴＢＳ＃１を取得してよい。そのため、ネットワークデバイスにより送信される命令情報＃１を用いてスケジューリングされるデータパケット＃２に対応するＴＢＳ＃２はＴＢＳ＃１と全く同じである。
【０３００】
第３事例では、具体的には、ネットワークデバイスがデータパケット＃１を検出しておらず、データパケット＃３の受信に成功しなかった場合、ネットワークデバイスは、命令情報＃１及び新たなデータインジケーション情報＃２を送信して、第１のＨＡＲＱプロセス番号を用いて、データパケット＃３とは異なる初めて伝送されるデータパケットを送信するように端末デバイスをスケジューリングすることを予期する。この場合、ネットワークデバイスは、データパケット＃１の存在を知らないので、命令情報＃１に含まれるＴＢＳ＃２及びデータパケット＃１に対するＴＢＳ＃１は、同じであり得る、又は、異なり得る。ＴＢＳ＃１がＴＢＳ＃２とは異なる場合、端末デバイスは、ネットワークデバイスがデータパケット＃１を検出していないと判定してよい。
【０３０１】
図９及び図１０は、それぞれ本発明の実施形態に係るデータ伝送手順におけるネットワークデバイス及び端末デバイスの動作の別の概略図である。具体的には、図９及び図１０は、データパケット＃１の再伝送されるデータパケットを送信するように、ネットワークデバイスが方式１及び方式２で端末デバイスをスケジューリングする手順におけるネットワークデバイス及び端末デバイスの動作についての各概略図である。
【０３０２】
図９及び図１０では、端末デバイスは、サブフレーム＃ｎにおいて、ＨＡＲＱプロセス番号＃Ｈ０に対応するデータパケット＃３を送信し、データパケット＃３に対応する新たなデータインジケーション情報＃３の値は、「０」である（すなわち、図９及び図１０に示されるＮＤＩ＃３＝０である）。ネットワークデバイスは、データパケット＃３を正しく受信し、ＨＡＲＱフィードバック情報を用いて、ネットワークデバイスによるデータパケット＃３の受信状態がＡＣＫであることを示す。ＨＡＲＱフィードバック情報を受信した後に、端末デバイスは、サブフレーム＃ｎ＋８（すなわち、時間単位＃１）において、ＧＵＬ伝送方式で、ＨＡＲＱプロセス番号＃Ｈ０に対応するデータパケット＃１を送信し、データパケット＃１は、データパケット＃３とは異なる初めて伝送されるデータパケットであり、データパケット＃１に対応する新たなデータインジケーション情報＃１の値は、「１」であり（すなわち、図９及び図１０に示されるＮＤＩ＃１＝１であり）、データパケット＃１に対応するＴＢＳ＃１は、１０００ビットである。さらに、第１のＨＡＲＱプロセス番号について、第１のＨＡＲＱプロセス番号に対応するデータパケットに対して単一の再伝送を実行するように端末デバイスをスケジューリングする場合、ネットワークデバイスは、半持続的なＵＬグラント情報＃２のみを用いる。
【０３０３】
この場合、ネットワークデバイスはデータパケット＃１を検出していない。さらに、ネットワークデバイスは、ＨＡＲＱプロセス番号＃Ｈ０を用いて、サブフレーム＃ｎ＋１６（すなわち、時間単位＃２）においてデータパケット＃１の再伝送されるデータパケットを送信するように、命令情報＃１を用いてサブフレーム＃ｎ＋１２において端末デバイスをスケジューリングする。そのため、ネットワークデバイスは、データパケット＃３及び対応する新たなデータインジケーション情報＃３に基づいて新たなデータインジケーション情報＃２を判定する、つまり、ネットワークデバイスは、データパケット＃２がデータパケット＃３の初めて伝送されるデータパケットであると判定し、さらに、新たなデータインジケーション情報＃２の値が、「１」である（すなわち、図９及び図１０に示されるＮＤＩ＃２＝１である）と判定する。図９では、ネットワークデバイスによりスケジューリングされるデータパケット＃２に対応するＴＢＳ＃２は、１０００ビットであり、かつ、ＴＢＳ＃１と同じである。図１０では、ネットワークデバイスによりスケジューリングされるデータパケット＃２に対応するＴＢＳ＃２は、５００ビットである。
【０３０４】
端末デバイスが新たなデータインジケーション情報＃２を受信した後に、端末デバイスは、新たなデータインジケーション情報＃２の値を新たなデータインジケーション情報＃１の値と比較して、新たなデータインジケーション情報＃２の値が、新たなデータインジケーション情報＃１の値と同じであると判定する。この場合、端末デバイスは、ネットワークデバイスがデータパケット＃１の受信に失敗したと判断する。この場合、命令情報＃１において示されるＴＢＳ＃２に関係なく、ネットワークデバイスは、半持続的なＵＬグラント情報＃２のみを用いて、第１のＨＡＲＱプロセス番号に対する再伝送スケジューリングを実行する。そのため、端末デバイスは、命令情報＃１を用いてネットワークデバイスにより実行されたスケジューリングがエラーであると判断し得ることで、端末デバイスは、命令情報＃１に従って、サブフレーム＃ｎ＋１６においてデータパケット＃１の再伝送されるデータパケットを送信しない、つまり、端末デバイスは命令情報＃１を無視する。
【０３０５】
この場合、ネットワークデバイスはデータパケット＃１を検出していない。さらに、ネットワークデバイスは、ＨＡＲＱプロセス番号＃Ｈ０を用いて、サブフレーム＃ｎ＋１６（すなわち、時間単位＃２）においてデータパケット＃１の再伝送されるデータパケットを送信するように、命令情報＃１を用いてサブフレーム＃ｎ＋１２において端末デバイスをスケジューリングする。そのため、ネットワークデバイスは、データパケット＃３及び対応する新たなデータインジケーション情報＃３に基づいて新たなデータインジケーション情報＃２を判定する、つまり、ネットワークデバイスは、データパケット＃２がデータパケット＃３の初めて伝送されるデータパケットであると判定し、さらに、新たなデータインジケーション情報＃２の値が、「１」である（すなわち、図９及び図１０に示されるＮＤＩ＃２＝１である）と判定する。図９では、ネットワークデバイスによりスケジューリングされるデータパケット＃２に対応するＴＢＳ＃２は、１０００ビットであり、かつ、ＴＢＳ＃１と同じである。図１０では、ネットワークデバイスによりスケジューリングされるデータパケット＃２に対応するＴＢＳ＃２は、５００ビットである。
【０３０６】
端末デバイスが新たなデータインジケーション情報＃２を受信した後に、端末デバイスは、新たなデータインジケーション情報＃２の値を新たなデータインジケーション情報＃１の値と比較して、新たなデータインジケーション情報＃２の値が、新たなデータインジケーション情報＃１の値と同じであると判定する。この場合、端末デバイスは、ネットワークデバイスがデータパケット＃１の受信に失敗したと判断する。この場合、命令情報＃１において示されるＴＢＳ＃２に関係なく、ネットワークデバイスは、半持続的なＵＬグラント情報＃２のみを用いて、第１のＨＡＲＱプロセス番号に対する再伝送スケジューリングを実行する。そのため、端末デバイスは、命令情報＃１を用いてネットワークデバイスにより実行されたスケジューリングがエラーであると判断し得ることで、端末デバイスは、命令情報＃１に従って、サブフレーム＃ｎ＋１６においてデータパケット＃１の再伝送されるデータパケットを送信しない、つまり、端末デバイスは命令情報＃１を無視する。
【０３０７】
オプションで、第１の新たなデータインジケーション情報の値が第２の新たなデータインジケーション情報の値と同じである場合、かつ、第１データパケットに対応するトランスポートブロックサイズＴＢＳが第２データパケットに対応するＴＢＳとは異なる場合、端末デバイスは、第１命令情報を無視する。
【０３０８】
つまり、データパケット＃１の再伝送されるデータパケットを送信することを判定した場合、端末デバイスは、ＴＢＳ＃２がＴＢＳ＃１とは異なる場合のみ命令情報＃１を無視する。
【０３０９】
第２事例では、具体的には、ネットワークデバイスがデータパケット＃１を検出しており、かつ、データパケット＃１の受信に失敗した場合、代わりに、方式２では、ネットワークデバイスは、具体的には、命令情報＃１及び新たなデータインジケーション情報＃２を用いて、データパケット＃１を再伝送する端末デバイスをスケジューリングしてよいことを理解されたい。この場合、ＴＢＳ＃２は、ＴＢＳ＃１と全く同じである。さらに、ネットワークデバイスは、代わりに、方式１でデータパケット＃１の検出された再伝送されるデータパケットを送信するように端末デバイスをスケジューリングしてよく、ネットワークデバイスがデータパケット＃１を検出していない場合、命令情報＃１（及び、新たなデータインジケーション情報＃２）を用いて再伝送をスケジューリングする。この場合、ＴＢＳ＃２及びＴＢＳ＃１は、同じであってよい、又は、異なっていてよい。上述した２つの方式のいずれとも関係なく、端末デバイスが命令情報＃１（及び、新たなデータインジケーション情報＃２）を受信することは、ネットワークデバイスの第２事例（ネットワークデバイスが、実際には再伝送をスケジューリングすることを目的とする）に対応してよい、又は、ネットワークデバイスの第３事例（ネットワークデバイスが、データパケット＃１を検出せず、初期伝送をスケジューリングすることを目的とする）に対応してよい。この場合、リソースを極めて効率的に活用するために、端末デバイスは、ネットワークデバイスの意図を区別する必要はなく、ＴＢＳ＃２がＴＢＳ＃１と同じである場合、図５及び図６において上述したように、データパケット＃１の再伝送されるデータパケットとしての機能を果たすために、端末デバイスは、時間単位＃２においてデータパケット＃２を、命令情報＃１に従って送信することに制限されてもよい。データパケット＃１に対応するＴＢＳ＃１は１０００ビットであり、データパケット＃２に対応するＴＢＳ＃２は１０００ビットである。ＴＢＳ＃２がＴＢＳ＃２と同じであるので、端末デバイスは、命令情報＃１に従って、サブフレーム＃ｎ＋１６（すなわち、時間単位＃２）においてデータパケット＃２を直接送信してよい。しかしながら、ＴＢＳ＃２がＴＢＳ＃１とは異なる場合、ネットワークデバイスによりスケジューリングされるリソースは、ＴＢＳ＃２に一致するが、ＴＢＳ＃１には一致しない。命令情報＃１により示されるリソース（つまり、伝送フォーマット＃２）は、マッチング方式でＴＢＳ＃１を保持することができないので、この場合、図７において上述したように、命令情報＃１は無視される。データパケット＃１に対応するＴＢＳ＃１は１０００ビットであり、データパケット＃２に対応するＴＢＳ＃２は５００ビットである。ＴＢＳ＃２がＴＢＳ＃２とは異なるので、端末デバイスは命令情報＃１を無視する、つまり、命令情報＃１に従ってデータパケット＃２を送信しない。
【０３１０】
オプションで、第１の新たなデータインジケーション情報の値が第２の新たなデータインジケーション情報の値と同じである場合、端末デバイスは、第１のＨＡＲＱプロセス番号に対応するＨＡＲＱバッファ内の第１データパケットを上位レイヤに戻す。
【０３１１】
つまり、端末デバイスは、ＨＡＲＱバッファにある元のデータ（すなわち、データパケット＃１）を消去する。具体的には、端末デバイスは、ＭＡＣレイヤパケットアセンブリを再度実行して、新たなデータ伝送を実行してよい。つまり、端末デバイスは、新たなデータパケット（区別及び理解しやすくするために、データパケット＃５として示される）をＨＡＲＱバッファ内に格納し、データパケット＃５に対して初期伝送を実行する。
【０３１２】
オプションで、第１の新たなデータインジケーション情報の値が第２の新たなデータインジケーション情報の値と同じであり、かつ、ＴＢＳ＃１がＴＢＳ＃２とは異なる場合、端末デバイスは、第１のＨＡＲＱプロセス番号に対応するＨＡＲＱバッファ内の第１データパケットを上位レイヤに戻す。
【０３１３】
端末デバイスが、第１のＨＡＲＱプロセス番号に対応する新たなデータパケット＃５に対して初期伝送を実行する場合、端末デバイスは、命令情報＃１に従って、時間単位＃２において第１のＨＡＲＱプロセス番号に対応するデータパケット＃５に対して初期伝送を実行してよい。
【０３１４】
さらに、端末デバイスは、命令情報＃１以外の他の動的なＵＬグラント情報又は新たなＧＵＬ  ＰＵＳＣＨを用いることを含む別の伝送方式で、ＨＡＲＱバッファ内のデータパケット＃４に対して初期伝送を実行してもよい。
【０３１５】
オプションで、方法は、
端末デバイスにより、第３データパケットと第１データパケットとの間の伝送関係、及び、第３データパケットに対応する第３の新たなデータインジケーション情報の値に基づいて、第１の新たなデータインジケーション情報の値を判定する段階であって、伝送関係は、第３データパケットが第１データパケットとは異なる初めて伝送されるデータパケットであること、又は、第３データパケットが第１データパケットの再伝送されるデータパケットであることを含み、第３の新たなデータインジケーション情報は、第３データパケットが、初めて伝送されるデータパケットであるか、又は、再伝送されるデータパケットであるかを示すために用いられ、第３データパケットは、ネットワークデバイスが、第３の時間単位において送信するように端末デバイスをスケジューリングするデータパケットであり、第３データパケットは第１のＨＡＲＱプロセス番号に対応し、第３の時間単位は時間の観点から第１の時間単位の前に位置する、段階をさらに含む。
【０３１６】
オプションで、端末デバイスは、第３データパケットと第１データパケットとの間の伝送関係、及び、第３データパケットに対応する第３の新たなデータインジケーション情報の値に基づいて、第１の新たなデータインジケーション情報の値を判定する。
【０３１７】
具体的には、新たなデータインジケーション情報＃１は、端末デバイスにより判定され、ネットワークデバイスに送信される。この場合、新たなデータインジケーション情報＃１の値を判定するときに、端末デバイスは、データパケット＃１と、端末デバイスにより送信される又は時間単位＃２の前にネットワークデバイスによりスケジューリングされるデータパケット（すなわち、データパケット＃３として示される第３データパケット）との間の伝送関係、及び、データパケット＃３に対応する新たなデータインジケーション情報＃３（すなわち、第３の新たなデータインジケーション情報の例）に基づいて、新たなデータインジケーション情報＃１の値を判定する必要がある。ここでのデータパケット＃３と、上述したデータパケット＃３とは同じデータパケットであることに留意されたい。同様に、ここでの新たなデータインジケーション情報＃３と、上述した新たなデータインジケーション情報＃３とはまた、同じデータパケットである。
【０３１８】
本発明の本実施形態では、新たなデータインジケーション情報＃１の値を判定する前に、端末デバイスは、データパケット＃３とデータパケット＃１との間の伝送関係を判定する必要がある。具体的な方式が以下のとおり説明され得る。
【０３１９】
例えば、端末デバイスは、データパケット＃３のＨＡＲＱ受信状態に関してネットワークデバイスによりフィードバックされるインジケーション情報に基づいて、伝送関係を判定してよく、第３データパケットは、第１データパケットとは異なる初めて伝送されるデータパケットである、又は、第３データパケットは、第１データパケットの再伝送されるデータパケットである。つまり、端末デバイスは、データパケット＃３のＨＡＲＱ受信状態に関してネットワークデバイスによりフィードバックされる情報に基づいて、ネットワークデバイスによるデータパケット＃３の受信状態を判定する。
【０３２０】
別の例として、端末デバイスは、ネットワークデバイスにより送信されたＵＬグラント情報に基づいて伝送関係を判定してよい。つまり、端末デバイスは、ネットワークデバイスにより送信されるＵＬグラント情報に基づいて、データパケット＃３に対するネットワークデバイスのＨＡＲＱ受信状態（具体的には、ネットワークデバイスがデータパケット＃３の受信に成功したか否か）を判定し得る。具体的には、ＵＬグラント情報が、データパケット＃３を再伝送するように端末デバイスをスケジューリングする場合、データパケット＃１は、データパケット＃３の再伝送されるデータパケットである、又は、ＵＬグラント情報が、データパケット＃３に対する初期伝送を実行するように端末デバイスをスケジューリングする場合、データパケット＃１は、データパケット＃３の初めて伝送されるデータパケットである。
【０３２１】
別の例として、端末デバイスは、ネットワークデバイスにより送信されるＨＡＲＱフィードバック情報に基づいて伝送関係を判定してよい。ＨＡＲＱフィードバック情報についての説明は、上述した説明と同じであり、詳細が再び説明されることはない。具体的には、ネットワークデバイスにより送信されるＨＡＲＱフィードバック情報内にあり、かつ、データパケット＃３（つまり、第１のＨＡＲＱプロセス）に対応するＨＡＲＱ受信状態がＡＣＫである場合、データパケット＃１は、データパケット＃３とは異なる初めて伝送されるデータパケットである、又は、ネットワークデバイスにより送信されるＨＡＲＱフィードバック情報内にあり、かつ、データパケット＃３（つまり、第１のＨＡＲＱプロセス）に対応するＨＡＲＱ受信状態がＮＡＣＫである場合、データパケット＃１は、データパケット＃３の再伝送されるデータパケットである。
【０３２２】
オプションで、端末デバイスが、データパケット＃３とデータパケット＃１との間の伝送関係、及び、新たなデータインジケーション情報＃３の値に基づいて、新たなデータインジケーション情報＃１の値を判定する手順は、
第１データパケットが第３データパケットの再伝送されるデータパケットである場合、端末デバイスにより、第１の新たなデータインジケーション情報の値が第３の新たなデータインジケーション情報の値と同じであると判定する手順、又は、
第１データパケットが第３データパケットとは異なる初めて伝送されるデータパケットである場合、端末デバイスにより、第１の新たなデータインジケーション情報の値が第３の新たなデータインジケーション情報の値とは異なると判定する手順
である。
【０３２３】
データパケット＃３の特性の観点から、データパケット＃３は、ネットワークデバイスによりスケジューリングされるデータパケットであってよく、具体的には、データパケット＃３は、ネットワークデバイスが、時間単位＃３（すなわち、第３の時間単位の例）において送信されるように端末デバイスをスケジューリングするデータパケットである。端末デバイスは、実際の状況又はいくつかの特別な考慮（例えば、ＬＢＴの失敗に起因して、端末デバイスがチャネルをプリエンプトしていないので、端末デバイスがデータパケット＃３の送信に成功しなかった）に基づいて、データパケット＃３を送信してもよく、又は、データパケット＃３を送信しなくてもよい。すべての事例において、端末デバイスは、データパケット＃３と新たなデータインジケーション情報＃３の値とに基づいて、新たなデータインジケーション情報＃１を判定してよい。
【０３２４】
データパケット＃３がネットワークデバイスによりスケジューリングされるデータパケットであるが、端末デバイスが、データパケット＃３を送信せずに、時間単位＃１においてデータパケット＃１を直接送信する場合、データパケット＃３及びデータパケット＃１は同じデータパケットである、つまり、データパケット＃３及びデータパケット＃１は同じ符号化されていないトランスポートブロックに対応することに留意されたい。
【０３２５】
端末デバイスによりデータパケット＃３を送信することに関して、データパケット＃３は、時間単位＃３において端末デバイスにより送信されるデータパケットであり、端末デバイスは、方式Ａ及び方式Ｂという２つの方式でデータパケット＃３を送信し得る。
【０３２６】
方式Ａ
【０３２７】
データパケット＃３は、ＧＵＬ伝送方式で端末デバイスによりネットワークデバイスに送信され、新たなデータインジケーション情報＃３は、端末デバイスによりネットワークデバイスに送信される。
【０３２８】
ここで、データパケット＃３の伝送方式は、データパケット＃１の伝送方式と同じである。詳細がここで再びを説明されることはない。
【０３２９】
この場合、端末デバイスは、データパケット＃１とＧＵＬ伝送方式で送信されるデータパケット＃３との間の伝送関係、及び、新たなデータインジケーション情報＃３の値のみに基づいて新たなデータインジケーション情報＃１の値を判定してよい。具体的には、データパケット＃３は、別の伝送方式で端末デバイスによりネットワークデバイスに送信される場合、端末デバイスは、別の伝送方式で送信されるデータパケット＃３と対応する新たなデータインジケーション情報＃３の値とに基づいて、新たなデータインジケーション情報＃２の値を判定することはしない。
【０３３０】
方式Ｂ
【０３３１】
データパケット＃３は、ネットワークデバイスのスケジューリングに基づいて、端末デバイスによりネットワークデバイスに送信され、新たなデータインジケーション情報＃３は、ネットワークデバイスにより端末デバイスに送信される。
【０３３２】
ネットワークデバイスのスケジューリングに基づく伝送方式は、ＳＵＬ伝送とも称され得る。ＳＵＬ伝送は２つの方式を含む。一方の方式は、ネットワークデバイスが、動的なＵＬグラント情報を用いてスケジューリングを実行することである。他方の方式は、ネットワークデバイスが、半持続的なＵＬグラント情報を用いてスケジューリングを実行し、半持続的なＵＬグラント情報がＲＮＴＩ＃１を用いてスクランブルされ、この方式は、半持続的なＵＬグラント情報＃１及び半持続的なＵＬグラント情報＃２を用いて再伝送をスケジューリングする方式と同様である。
【０３３３】
この場合、端末デバイスは、データパケット＃１と、ＳＵＬ伝送に基づいて送信されるデータパケット＃３との間の伝送関係、及び、対応する新たなデータインジケーション情報＃３の値のみに基づいて、新たなデータインジケーション情報＃１の値を判定してよい。具体的には、データパケット＃３は、別の伝送方式で、端末デバイスによりネットワークデバイスに送信される場合、端末デバイスは、別の伝送方式で送信されるデータパケット＃３に基づいて、新たなデータインジケーション情報＃２の値及び対応する新たなデータインジケーション情報＃３の値を判定しない。ＳＵＬ伝送に基づいて伝送されるデータパケット＃３は、端末デバイスにより実際に送信されるデータパケットのみに限定されてもよく、又は、端末デバイスにより実際に送信されるデータパケットに限定されなくてもよいことを理解されたい。例えば、データパケット＃３は、送信するようにネットワークデバイスが端末デバイスをスケジューリングしたが、端末デバイスにより実際に送信されることはないデータパケットを含んでよい。
【０３３４】
オプションで、データパケット＃３は、送信するようにネットワークデバイスが端末デバイスを時間単位＃１の前にスケジューリングし、かつ、第１のＨＡＲＱプロセス番号に対応する前のデータパケットである。
【０３３５】
オプションで、データパケット＃３は、時間単位＃１の前に端末デバイスにより送信され、かつ、第１のＨＡＲＱプロセス番号に対応する前のデータパケットである。
【０３３６】
オプションで、データパケット＃３は、時間単位＃１の前の第１のＨＡＲＱプロセス番号に対応する最新のデータパケットである。つまり、データパケット＃１は、時間単位＃３の後に端末デバイスにより送信され、かつ、第１のＨＡＲＱプロセス番号に対応する最新のデータパケットである。
【０３３７】
つまり、時間単位＃３は、第１のＨＡＲＱプロセス番号に対応し、かつ、時間の観点から時間単位＃１の前に位置する最新の時間単位である。
【０３３８】
このやり方で、データパケット＃３について、データパケット＃３が、ＧＵＬ伝送方式で端末デバイスにより送信されるか、又は、ネットワークデバイスのスケジューリングの下、端末デバイスにより送信されるかに関係なく、端末デバイスは、最新のデータパケット（後で説明しやすくするために、データパケット＃１の前のデータパケットとして示される）及び対応する新たなデータインジケーション情報に基づいて、新たなデータインジケーション情報＃２の値を判定する。
【０３３９】
代わりに、端末デバイスは、データパケット＃１とデータパケット＃１の前のデータパケットとの間の伝送関係、及び、対応する新たなデータインジケーション情報に基づいて、新たなデータインジケーション情報＃２を判定し得る、すなわち、前のデータパケットは、伝送方式が制限されることのないデータパケットであることも理解され得る。
【０３４０】
例えば、データパケット＃１の前のデータパケットが、ＧＵＬ伝送方式（すなわち、方式Ａ）で送信され、かつ、第１のＨＡＲＱプロセス番号に対応するデータパケットである場合、端末デバイスは、データパケット＃１と、ＧＵＬ伝送方式で送信された前のデータパケットとの間の伝送関係、及び、前のデータパケットに対応する新たなデータインジケーション情報の値に基づいて、新たなデータインジケーション情報＃２の値を判定する。
【０３４１】
別の例として、データパケット＃１の前のデータパケットが、ネットワークデバイスのスケジューリングに基づいており、かつ、第１のＨＡＲＱプロセスに対応するデータパケットである場合、端末デバイスは、データパケット＃１と、ネットワークデバイスのスケジューリングに基づく前のデータパケットとの間の伝送関係、及び、前のデータパケットに対応する新たなデータインジケーション情報の値に基づいて、新たなデータインジケーション情報＃２の値を判定する。オプションで、前のデータパケットは、端末デバイスにより実際に送信されるデータパケットのみに限定される。具体的には、データパケット＃１の前のデータパケットが、ネットワークデバイスのスケジューリングに基づいており、端末デバイスにより実際に送信されており、かつ、第１のＨＡＲＱプロセスに対応する場合、端末デバイスは、データパケット＃１と、ネットワークデバイスのスケジューリングに基づいており、かつ、端末デバイスにより実際に送信された前のデータパケットとの間の伝送関係、及び、前のデータパケットに対応する新たなデータインジケーション情報の値に基づいて、新たなデータインジケーション情報＃２の値を判定する。オプションで、前のデータパケットは、端末デバイスにより実際に送信されるデータパケットに限定されるものではない。例えば、前のデータパケットは、代わりに、送信するようにネットワークデバイスが端末デバイスをスケジューリングしたが、端末デバイスにより実際には送信されないデータパケットであってよい。
【０３４２】
端末デバイスが、データパケット＃３とデータパケット＃１との間の伝送関係、及び、新たなデータインジケーション情報＃３の値に基づいて、新たなデータインジケーション情報＃１の値を判定する手順が、図１１及び図１２を参照して以下で詳細に説明される。
【０３４３】
図１１は、本発明の実施形態に係るデータ伝送手順におけるネットワークデバイス及び端末デバイスの動作の別の概略図である。
【０３４４】
端末デバイスは、サブフレーム＃ｎにおいて、第１のＨＡＲＱプロセス番号（すなわち、ＨＡＲＱプロセス番号＃Ｈ０）に対応するデータパケット＃３をＧＵＬ伝送方式で送信し、データパケット＃３に対応する新たなデータインジケーション情報＃３の値は、「０」である（すなわち、図１１に示されるＮＤＩ＃３＝０である）。ネットワークデバイスは、データパケット＃３を正しく受信し、データパケット＃３に対応するＨＡＲＱフィードバック情報を用いて、ネットワークデバイスによるデータパケット＃３の受信状態がＡＣＫであることを示す。端末デバイスがＨＡＲＱフィードバック情報を受信した後に、端末デバイスは、データパケット＃３と、サブフレーム＃ｎ＋８（すなわち、時間単位＃１）において送信されるデータパケット＃１との間の伝送関係が、データパケット＃１がデータパケット＃３とは異なる初めて伝送されるデータパケットであると判定し、データパケット＃１に対応する新たなデータインジケーション情報＃１の値が、新たなデータインジケーション情報＃３の値とは異なると判定する。具体的には、新たなデータインジケーション情報＃１の値は「１」である（すなわち、図１１に示されるＮＤＩ＃１＝１である）。さらに、端末デバイスは、ＨＡＲＱプロセス番号＃Ｈ０に対応するデータパケット＃１を、ＧＵＬ伝送方式でサブフレーム＃ｎ＋８において送信する。
【０３４５】
図１２は、本発明の実施形態に係るデータ伝送手順におけるネットワークデバイス及び端末デバイスの動作のさらに別の概略図である。
【０３４６】
端末デバイスは、サブフレーム＃ｎにおいて、第１のＨＡＲＱプロセス番号（すなわち、ＨＡＲＱプロセス番号＃Ｈ０）に対応するデータパケット＃３をＳＵＬ伝送方式で（具体的には、ネットワークデバイスのスケジューリングに基づいて）送信し、データパケット＃３に対応する新たなデータインジケーション情報＃３の値は、「０」である（すなわち、図１２に示されるＮＤＩ＃３＝０である）。ネットワークデバイスは、データパケット＃３を正しく受信し、データパケット＃３に対応するＨＡＲＱフィードバック情報を用いて、ネットワークデバイスによるデータパケット＃３の受信状態がＡＣＫであることを示す。端末デバイスがＨＡＲＱフィードバック情報を受信した後に、端末デバイスは、データパケット＃３と、サブフレーム＃ｎ＋８（すなわち、時間単位＃１）において送信されるデータパケット＃１との間の伝送関係が、データパケット＃１がデータパケット＃３とは異なる初めて伝送されるデータパケットであると判定し、データパケット＃１に対応する新たなデータインジケーション情報＃１の値が新たなデータインジケーション情報＃３とは異なると判定する。具体的には、新たなデータインジケーション情報＃１の値は、「１」である（すなわち、図１２に示されるＮＤＩ＃１＝１である）。さらに、端末デバイスは、ＧＵＬ伝送方式で、サブフレーム＃ｎ＋８においてＨＡＲＱプロセス番号＃Ｈ０に対応するデータパケット＃１を送信する。
【０３４７】
結論として、端末デバイスは、データパケット＃１の前のデータパケット及び対応する新たなデータインジケーション情報に基づいて、新たなデータインジケーション情報＃２を判定し得ることが図１１及び図１２における説明からさらに分かり得る。つまり、前のデータパケットは、伝送方式が制限されることのないデータパケットである。
【０３４８】
そのため、本発明の本実施形態において提供されるデータ伝送方法によれば、第１のＨＡＲＱプロセス番号に対応する第２データパケットを送信するよう端末デバイスに命令するために用いられる第１命令情報を受信した後に、端末デバイスは、第１データパケットに対してバッファリング処理を実行する、又は、第２データパケットに対応する第２の新たなデータインジケーション情報の値と、ＧＵＬ伝送を通じて端末デバイスにより送信される第１データパケットに対応する第１の新たなデータインジケーション情報の値に基づいて、第２データパケットの伝送タイプを判定して、第２データパケットを送信し、第２データパケットは、第１データパケットの再伝送されるデータパケットである、又は、第２データパケットは、第１データパケットとは異なる初めて伝送されるデータパケットである。特に、ネットワークデバイスが第１データパケットを検出していない場合、かつ、ネットワークデバイスが、第１命令情報を用いて、第１のＨＡＲＱプロセス番号に対応する初めて伝送されるデータパケットを伝送するよう端末デバイスに命令した場合、端末デバイスは、もはや第１命令情報に従って初めて伝送されるデータパケットを伝送することはないが、第１データパケットの再伝送されるデータパケットを送信し、もはやバッファ内の第１データパケットを消去することはないが、第１データパケットをバッファ内に保持する。そのため、第１データパケットの損失が低減され、データ伝送の信頼性が改善され、システムの柔軟性も改善される。
【０３４９】
さらに、第１データパケットの再伝送されるデータパケットを送信する場合、端末デバイスは、第１命令情報の命令に従って、第２の時間単位において第１データパケットを直接再伝送し得ることで、現在のシグナリングを有効に活用しつつシグナリングオーバヘッドを減らす。
【０３５０】
さらに、第１の新たなデータインジケーション情報の値が第２の新たなデータインジケーション情報の値と同じである場合、かつ、第１データパケットに対応するトランスポートブロックサイズＴＢＳが第２データパケットに対応するＴＢＳと同じである場合、端末デバイスは、第１命令情報に従って、第２の時間単位において第１データパケットの再伝送されるデータパケットを送信する。そのため、現在のシグナリングを有効に活用しつつシグナリングオーバヘッドを減らすことができるだけでなく、第１データパケットの伝送効率も効率的に改善しつつ端末デバイスの複雑性を減らすこともできる。
【０３５１】
本発明の実施形態に係るデータ伝送方法は、図１から図１２を参照して詳細に上述されており、本発明の実施形態に係るデータ伝送装置は、図１３及び図１４を参照して以下に説明される。方法の実施形態において説明された技術的な特徴はまた、以下の装置の実施形態に適用可能である。
【０３５２】
図１３は、本発明の実施形態に係るデータ伝送装置３００の概略ブロック図である。図１３に示されるように、装置３００は、
グラントフリーアップリンクＧＵＬ伝送方式で、第１の時間単位においてネットワークデバイスに第１データパケットを送信するように構成される送信ユニット３１０であって、第１データパケットは第１のハイブリッド自動再送要求ＨＡＲＱプロセス番号に対応し、第１データパケットは第１の新たなデータインジケーション情報に対応し、第１の新たなデータインジケーション情報は、第１データパケットが、初めて伝送されるデータパケットであるか、又は、再伝送されるデータパケットであるかを示すために用いられる、送信ユニット３１０と、
ネットワークデバイスにより送信された第１命令情報を受信するように構成される受信ユニット３２０であって、第１命令情報は、第２の時間単位において第２データパケットを送信するよう装置に命令するために用いられ、第２データパケットは第１のＨＡＲＱプロセス番号に対応し、第２の時間単位は時間の観点から第１の時間単位の後に位置し、第２データパケットは、ネットワークデバイスにより送信される第２の新たなデータインジケーション情報に対応し、第２の新たなデータインジケーション情報は、第２データパケットが、初めて伝送されるデータパケットであるか、又は、再伝送されるデータパケットであるかを示すために用いられる、受信ユニット３２０と
を含み、
送信ユニット３１０は、さらに、第１データパケットに対してバッファリング処理を実行する、又は、第１の新たなデータインジケーション情報の値及び第２の新たなデータインジケーション情報の値に基づいて、第２データパケットを送信するように構成され、第２データパケットは、第１データパケットの再伝送されるデータパケットである、又は、第２データパケットは、第１データパケットとは異なる初めて伝送されるデータパケットである。
【０３５３】
そのため、本発明の本実施形態において提供されるデータ伝送装置によれば、第１のＨＡＲＱプロセス番号に対応する第２データパケットを送信するよう装置に命令するために用いられる第１命令情報を受信した後に、装置は、第１データパケットに対してバッファリング処理を実行する、又は、第２データパケットに対応する第２の新たなデータインジケーション情報の値と、ＧＵＬ伝送を通じて装置により送信される第１データパケットに対応する第１の新たなデータインジケーション情報の値とに基づいて、第２データパケットの伝送タイプを判定して、第２データパケットを送信し、第２データパケットは、第１データパケットの再伝送されるデータパケットである、又は、第２データパケットは、第１データパケットとは異なる初めて伝送されるデータパケットである。特に、ネットワークデバイスが第１データパケットを検出していない場合、かつ、ネットワークデバイスが、第１命令情報を用いて、第１のＨＡＲＱプロセス番号に対応する初めて伝送されるデータパケットを伝送するよう装置に命令した場合、装置は、第１命令情報に従って初めて伝送されるデータパケットをもはや伝送することはないが、第１データパケットの再伝送されるデータパケットを送信し、バッファ内の第１データパケットをもはや消去することはないが、バッファ内に第１データパケットを保持する。そのため、第１データパケットの損失が低減され、データ伝送の信頼性が改善され、システムの柔軟性も改善される。
【０３５４】
オプションで、送信ユニット３１０は、具体的には、
第１の新たなデータインジケーション情報の値が第２の新たなデータインジケーション情報の値と同じである場合、バッファ内に第１データパケットを保持する、又は、第２データパケットを送信するように構成され、第２データパケットは、第１データパケットの再伝送されるデータパケットである。
【０３５５】
オプションで、送信ユニット３１０は、具体的には、
第１命令情報に従って、第２の時間単位において第２データパケットを送信するように構成される。
【０３５６】
そのため、第１データパケットの再伝送されるデータパケットを送信する場合、装置は、第１命令情報の命令に従って、第２の時間単位において第１データパケットを直接再伝送し得ることで、現在のシグナリングを有効に活用しつつシグナリングオーバヘッドを減らす。
【０３５７】
オプションで、送信ユニット３１０は、具体的には、
第１の新たなデータインジケーション情報の値が第２の新たなデータインジケーション情報の値と同じである場合、かつ、第１データパケットに対応するトランスポートブロックサイズＴＢＳが第２データパケットに対応するＴＢＳと同じである場合、第１命令情報に従って、第２の時間単位において第２データパケットを送信するように構成され、第２データパケットは、第１データパケットの再伝送されるデータパケットである。
【０３５８】
そのため、第１の新たなデータインジケーション情報の値が第２の新たなデータインジケーション情報の値と同じである場合、かつ、第１データパケットに対応するトランスポートブロックサイズＴＢＳが第２データパケットに対応するＴＢＳと同じである場合、装置は、第１命令情報に従って、第２の時間単位において第１データパケットの再伝送されるデータパケットを送信する。そのため、現在のシグナリングを有効に活用しつつシグナリングオーバヘッドを減らすことができるだけでなく、第１データパケットの伝送効率も効率的に改善しつつ装置の複雑性を減らすこともできる。
【０３５９】
オプションで、装置は、
第１の新たなデータインジケーション情報の値が第２の新たなデータインジケーション情報の値と同じである場合、第１命令情報を無視するように構成される処理ユニット３３０をさらに含む。
【０３６０】
オプションで、装置は、
第１の新たなデータインジケーション情報の値が第２の新たなデータインジケーション情報の値と同じである場合、かつ、第１データパケットに対応するトランスポートブロックサイズＴＢＳが第２データパケットに対応するＴＢＳとは異なる場合、第１命令情報を無視するように構成される処理ユニット３３０をさらに含む。
【０３６１】
オプションで、送信ユニット３１０は、具体的には、
第１の新たなデータインジケーション情報の値が第２の新たなデータインジケーション情報の値とは異なる場合、第１命令情報に従って、第２の時間単位において第２データパケットを送信するように構成され、第２データパケットは、第１データパケットとは異なる初めて伝送されるデータパケットである。
【０３６２】
オプションで、装置は、
第３データパケットと第１データパケットとの間の伝送関係、及び、第３データパケットに対応する第３の新たなデータインジケーション情報の値に基づいて、第１の新たなデータインジケーション情報の値を判定するように構成される処理ユニット３３０であって、伝送関係は、第３データパケットが第１データパケットとは異なる初めて伝送されるデータパケットであること、又は、第３データパケットが第１データパケットの再伝送されるデータパケットであることを含み、第３の新たなデータインジケーション情報は、第３データパケットが、初めて伝送されるデータパケットであるか、又は、再伝送されるデータパケットであるかを示すために用いられ、第３データパケットは、ネットワークデバイスが、第３の時間単位において送信する装置をスケジューリングするデータパケットであり、第３データパケットは第１のＨＡＲＱプロセス番号に対応し、第３の時間単位は時間の観点から第１の時間単位の前に位置する、処理ユニット３３０をさらに含む。
【０３６３】
オプションで、処理ユニット３３０は、具体的には、
第１データパケットが第３データパケットの再伝送されるデータパケットである場合、第１の新たなデータインジケーション情報の値が第３の新たなデータインジケーション情報の値と同じであると判定する、又は、
第１データパケットが第３データパケットとは異なる初めて伝送されるデータパケットである場合、第１の新たなデータインジケーション情報の値が第３の新たなデータインジケーション情報の値とは異なると判定する
ように構成される。
【０３６４】
オプションで、受信ユニット３２０は、さらに、
ネットワークデバイスにより送信された制御情報を受信するように構成され、制御情報は第４の新たなデータインジケーション情報を含み、ＧＵＬ伝送方式で情報を送信するために端末デバイスをアクティブ化又は再アクティブ化するのに制御情報が用いられる場合、第４の新たなデータインジケーション情報の値は第１のプリセット値であり、装置は、
制御情報に基づいて、ＧＵＬ伝送方式に対応する半持続的な時間領域リソースを判定するように構成される処理ユニット３３０であって、第１の時間単位は、半持続的な時間領域リソースに属する、処理ユニット３３０をさらに含む。
【０３６５】
オプションで、第４データパケットの再伝送されるデータパケットをスケジューリングするために制御情報が用いられる場合、第４の新たなデータインジケーション情報の値は第２のプリセット値であり、第４データパケットは、ＧＵＬ伝送方式で装置により送信されるデータパケットであり、第２のプリセット値は第１のプリセット値とは異なる。
【０３６６】
オプションで、送信ユニット３１０は、さらに、
ネットワークデバイスに第１の新たなデータインジケーション情報を送信するように構成される。
【０３６７】
データ伝送装置３００は、上述した方法２００において説明した端末デバイスに対応してよく（例えば、データ伝送装置３００は、端末デバイスとして構成されてよい、又は、端末デバイスであってよい）、データ伝送装置３００内のモジュール又はユニットは、上述した方法２００において端末デバイスにより実行される動作又は処理手順を実行するように別々に構成されている。繰り返しを避けるために、詳細がここで再びを説明されることはない。
【０３６８】
本発明の本実施形態では、装置３００は、プロセッサ、送信機及び受信機を含んでよい。プロセッサ、送信機及び受信機は、通信可能に接続される。オプションで、装置は、メモリをさらに含み、メモリは、プロセッサに通信可能に接続される。オプションで、プロセッサ、メモリ、送信機及び受信機は、通信可能に接続されてよい。メモリは、命令を格納するように構成されてよい。プロセッサは、メモリに格納された命令を実行して、情報を送信するように送信機を制御し、又は、信号を受信するように受信機を制御するように構成される。
【０３６９】
図１３に示される装置３００内の送信ユニット３１０は、送信機に対応してよく、図１３に示される装置３００内の受信ユニット３２０は、受信機に対応してよく、図１３に示される装置３００内の処理ユニット３３０は、プロセッサに対応してよい。別の実施例では、送信機及び受信機は、同じコンポーネント、すなわち、送受信機により実装され得る。
【０３７０】
本発明の実施形態において上述した方法の実施形態は、プロセッサに適用されてよく、又は、プロセッサにより実施されてよいことに留意されたい。プロセッサは、集積回路チップであってよく、信号処理能力を有する。実装手順において、上述した方法の実施形態における段階は、プロセッサ内のハードウェア統合論理回路を用いて、又は、ソフトウェアの形式の命令を用いて実施されてよい。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）若しくは別のプログラマブル論理デバイス、個別のゲート若しくはトランジスタ論理デバイス、又は、個別のハードウェアコンポーネントであってよい。プロセッサは、本発明の実施形態において開示される方法、段階及び論理ブロック図を実施又は実行してよい。汎用プロセッサは、マイクロプロセッサであってよい、又は、プロセッサは、任意の従来のプロセッサなどであってよい。本発明の実施形態に関して開示される方法の段階は、ハードウェアデコードプロセッサを用いて直接実行及び実現されてよい、又は、デコードプロセッサ内のハードウェア及びソフトウェアモジュールの組み合わせを用いて実行及び実現されてよい。ソフトウェアモジュールは、例えば、ランダムアクセスメモリ、フラッシュメモリ、リードオンリメモリ、プログラマブルリードオンリメモリ、電気的消去可能プログラマブルメモリ又はレジスタなど、当技術分野における成熟した記憶媒体内に配置されてよい。記憶媒体はメモリに配置され、プロセッサは、メモリ内の情報を読み出して、プロセッサのハードウェアと組み合わせて、上述した方法における段階を完了する。
【０３７１】
本発明の実施形態におけるメモリは、揮発性メモリ又は不揮発性メモリであってよい、又は、揮発性メモリ及び不揮発性メモリを含んでよいことが理解され得る。不揮発性メモリは、リードオンリメモリ（Ｒｅａｄ‐Ｏｎｌｙ  Ｍｅｍｏｒｙ、ＲＯＭ）、プログラマブルリードオンリメモリ（Ｐｒｏｇｒａｍｍａｂｌｅ  ＲＯＭ、ＰＲＯＭ）、消去可能プログラマブルリードオンリメモリ（Ｅｒａｓａｂｌｅ  ＰＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、又は、フラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。例示的ではあるが限定的ではない説明を通じて、ＲＡＭの多くの形式は、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、高速シンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトランバスランダムアクセスメモリ（Ｄｉｒｅｃｔ  Ｒａｍｂｕｓ  ＲＡＭ、ＤＲ  ＲＡＭ）に用いられてよい。本明細書で説明されるシステム及び方法のメモリは、限定されるものではないが、これら及び別の適切なタイプの任意のメモリを含むことに留意されたい。
【０３７２】
図１４は、本発明の実施形態に係るデータ伝送装置４００の概略ブロック図である。図１４に示されるように、装置４００は、
端末デバイスに第１命令情報を送信するように構成される送信ユニット４１０であって、第１命令情報は、第２の時間単位において第２データパケットを送信するよう端末デバイスに命令するために用いられ、第２データパケットは、第１のＨＡＲＱプロセス番号に対応し、第２データパケットは、装置により送信される第２の新たなデータインジケーション情報に対応し、第２の新たなデータインジケーション情報は、第２データパケットが、初めて伝送されるデータパケットであるか、又は、再伝送されるデータパケットであるかを示すために用いられ、第１のＨＡＲＱプロセス番号は、第１データパケットにさらに対応し、第１データパケットは、端末デバイスにより、ＧＵＬ伝送方式で、第１の時間単位において装置に送信され、第１データパケットは第１の新たなデータインジケーション情報に対応し、第１の新たなデータインジケーション情報は、第１データパケットが、初めて伝送されるデータパケットであるか、又は、再伝送されるデータパケットであるかを示すために用いられ、第２の時間単位は時間の観点から第１の時間単位の後に位置する、送信ユニット４１０と、
端末デバイスにより送信された第２データパケットを受信するように構成される受信ユニット４２０であって、第２データパケットは、第１データパケットの再伝送されるデータパケットである、又は、第２データパケットは、第１データパケットとは異なる初めて伝送されるデータパケットである、受信ユニット４２０と
を含む。
【０３７３】
そのため、本発明の本実施形態におけるデータ伝送装置によれば、第１のＨＡＲＱプロセス番号に対応する第２データパケットを送信するよう端末デバイスに命令するために用いられる第１命令情報を装置が送信した後に、端末デバイスは、第１データパケットに対してバッファリング処理を実行する、又は、第２データパケットに対応する第２の新たなデータインジケーション情報の値と、ＧＵＬ伝送を通じて端末デバイスにより送信される第１データパケットに対応する第１の新たなデータインジケーション情報の値とに基づいて、第２データパケットのタイプを判定して、第２データパケットを送信することが可能にされてよく、第２データパケットは、第１データパケットの再伝送されるデータパケットである、又は、第２データパケットは、第１データパケットとは異なる初めて伝送されるデータパケットである。特に、装置が第１データパケットを検出していない場合、かつ、装置が、第１命令情報を用いて、第１のＨＡＲＱプロセス番号に対応する初めて伝送されるデータパケットを伝送するよう端末デバイスに命令した場合、端末デバイスは、第１命令情報に従って初めて伝送されるデータパケットをもはや伝送することはないが、第１データパケットの再伝送されるデータパケットを送信し、もはやバッファ内の第１データパケットを消去することはないが、バッファ内に第１データパケットを保持することが可能にされ得る。そのため、第１データパケットの損失が低減され、データ伝送の信頼性が改善され、システムの柔軟性も改善される。
【０３７４】
オプションで、第１の新たなデータインジケーション情報の値が第２の新たなデータインジケーション情報の値と同じである場合、第２データパケットは、第１データパケットの再伝送されるデータパケットである。
【０３７５】
オプションで、第２データパケットは、第２の時間単位において端末デバイスにより送信されるデータパケットである。
【０３７６】
オプションで、第１の新たなデータインジケーション情報の値が第２の新たなデータインジケーション情報の値と同じである場合、かつ、第１データパケットに対応するトランスポートブロックサイズＴＢＳが第２データパケットに対応するＴＢＳと同じである場合、第２データパケットは第２の時間単位において端末デバイスにより送信されるデータパケットである。
【０３７７】
オプションで、第１の新たなデータインジケーション情報の値が第２の新たなデータインジケーション情報の値とは異なる場合、第２データパケットは、第１データパケットとは異なる初めて伝送されるデータパケットである。
【０３７８】
オプションで、第１データパケットが第３データパケットの再伝送されるデータパケットである場合、第１の新たなデータインジケーション情報の値は、第３データパケットに対応する第３の新たなデータインジケーション情報の値と同じであり、第３の新たなデータインジケーション情報は、第３データパケットが、初めて伝送されるデータパケットであるか、又は、再伝送されるデータパケットであるかを示すために用いられ、第３データパケットは、装置が、第３の時間単位において送信するように端末デバイスをスケジューリングするデータパケットであり、第３データパケットは第１のＨＡＲＱプロセス番号に対応し、第３の時間単位は時間の観点から第１の時間単位の前に位置する、又は、
第１データパケットが第３データパケットとは異なる初めて伝送されるデータパケットである場合、第１の新たなデータインジケーション情報の値は、第３データパケットに対応する第３の新たなデータインジケーション情報の値とは異なり、第３の新たなデータインジケーション情報は、第３データパケットが、初めて伝送されるデータパケットであるか、又は、再伝送されるデータパケットであるかを示すために用いられ、第３データパケットは、装置が、第３の時間単位において送信するように端末デバイスをスケジューリングするデータパケットであり、第３データパケットは第１のＨＡＲＱプロセス番号に対応し、第３の時間単位は時間の観点から第１の時間単位の前に位置する。
【０３７９】
オプションで、装置は、
装置が第１データパケットを検出した場合、第１データパケットの受信状態と第１の新たなデータインジケーション情報とに基づいて、第２の新たなデータインジケーション情報を判定するように構成される処理ユニット４３０をさらに含む。
【０３８０】
オプションで、送信ユニット４１０は、さらに、
端末デバイスに制御情報を送信するように構成され、制御情報は第４の新たなデータインジケーション情報を含み、ＧＵＬ伝送方式で情報を送信するために端末デバイスをアクティブ化又は再アクティブ化するのに制御情報が用いられる場合、第４の新たなデータインジケーション情報の値は第１のプリセット値であり、第１の時間単位は、ＧＵＬ伝送方式に対応する半持続的な時間領域リソースに属する。
【０３８１】
オプションで、第４データパケットの再伝送されるデータパケットをスケジューリングするために制御情報が用いられる場合、第４の新たなデータインジケーション情報の値は第２のプリセット値であり、第４データパケットは、ＧＵＬ伝送方式で端末デバイスにより送信されるデータパケットであり、第２のプリセット値は第１のプリセット値とは異なる。
【０３８２】
オプションで、受信ユニット４１０は、さらに、
端末デバイスにより送信された第１の新たなデータインジケーション情報を受信するように構成される。
【０３８３】
データ伝送装置４００は、上述した方法２００において説明したネットワークデバイスに対応してよく（例えば、データ伝送装置４００は、ネットワークデバイスとして構成されてよい、又は、ネットワークデバイスであってよい）、データ伝送装置４００内のモジュール又はユニットは、上述した方法２００においてネットワークデバイスにより実行される動作又は処理手順を実行するように別々に構成されている。繰り返しを避けるために、詳細がここで再びを説明されることはない。
【０３８４】
本発明の本実施形態では、装置４００は、プロセッサ、送信機及び受信機を含んでよい。プロセッサ、送信機及び受信機は、通信可能に接続される。オプションで、装置は、メモリをさらに含み、メモリは、プロセッサに通信可能に接続される。オプションで、プロセッサ、メモリ、送信機及び受信機は、通信可能に接続されてよい。メモリは、命令を格納するように構成されてよい。プロセッサは、メモリに格納された命令を実行して、情報を送信するように送信機を制御し、又は、信号を受信するように受信機を制御するように構成される。
【０３８５】
図１４に示される装置４００内の送信ユニット４１０は、送信機に対応してよく、図１４に示される装置４００内の受信ユニット４２０は、受信機に対応してよく、図１４に示される装置４００内の処理ユニット４３０は、プロセッサに対応してよい。別の実施例では、送信機及び受信機は、同じコンポーネント、すなわち、送受信機により実装され得る。
【０３８６】
本発明の実施形態において上述した方法の実施形態は、プロセッサに適用されてよく、又は、プロセッサにより実施されてよいことに留意されたい。プロセッサは、集積回路チップであってよく、信号処理能力を有する。実装プロセスにおいて、上述した方法の実施形態における段階は、プロセッサ内のハードウェア統合論理回路を用いて、又は、ソフトウェア形式の命令を用いて実施されてよい。プロセッサは、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）若しくは別のプログラマブル論理デバイス、個別のゲート若しくはトランジスタ論理デバイス、又は、個別のハードウェアコンポーネントであってよい。プロセッサは、本発明の実施形態において開示される方法、段階及び論理ブロック図を実施又は実行してよい。汎用プロセッサは、マイクロプロセッサであってよい、又は、プロセッサは、任意の従来のプロセッサなどであってよい。本発明の実施形態に関して開示される方法の段階は、ハードウェアデコードプロセッサを用いて直接実行及び実現されてよい、又は、デコードプロセッサ内のハードウェア及びソフトウェアモジュールの組み合わせを用いて実行及び実現されてよい。ソフトウェアモジュールは、例えば、ランダムアクセスメモリ、フラッシュメモリ、リードオンリメモリ、プログラマブルリードオンリメモリ、電気的消去可能プログラマブルメモリ又はレジスタなど、当技術分野における成熟した記憶媒体内に配置されてよい。記憶媒体はメモリに配置され、プロセッサは、メモリ内の情報を読み出して、プロセッサのハードウェアと組み合わせて、上述した方法における段階を完了する。
【０３８７】
本発明の実施形態におけるメモリは、揮発性メモリ又は不揮発性メモリであってよい、又は、揮発性メモリ及び不揮発性メモリを含んでよいことが理解され得る。不揮発性メモリは、リードオンリメモリ（Ｒｅａｄ‐Ｏｎｌｙ  Ｍｅｍｏｒｙ、ＲＯＭ）、プログラマブルリードオンリメモリ（Ｐｒｏｇｒａｍｍａｂｌｅ  ＲＯＭ、ＰＲＯＭ）、消去可能プログラマブルリードオンリメモリ（Ｅｒａｓａｂｌｅ  ＰＲＯＭ、ＥＰＲＯＭ）、電気的消去可能プログラマブルリードオンリメモリ（Ｅｌｅｃｔｒｉｃａｌｌｙ  ＥＰＲＯＭ、ＥＥＰＲＯＭ）、又は、フラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。例示的ではあるが限定的ではない説明を通じて、ＲＡＭの多くの形式は、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、シンクロナスダイナミックランダムアクセスメモリ（Ｓｙｎｃｈｒｏｎｏｕｓ  ＤＲＡＭ、ＳＤＲＡＭ）、ダブルデータレートシンクロナスダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、高速シンクロナスダイナミックランダムアクセスメモリ（Ｅｎｈａｎｃｅｄ  ＳＤＲＡＭ、ＥＳＤＲＡＭ）、シンクリンクダイナミックランダムアクセスメモリ（Ｓｙｎｃｈｌｉｎｋ  ＤＲＡＭ、ＳＬＤＲＡＭ）及びダイレクトランバスランダムアクセスメモリ（Ｄｉｒｅｃｔ  Ｒａｍｂｕｓ  ＲＡＭ、ＤＲ  ＲＡＭ）に用いられてよい。本明細書で説明されるシステム及び方法のメモリは、限定されるものではないが、これら及び別の適切なタイプの任意のメモリを含むことに留意されたい。
【０３８８】
上述した手順のシーケンス番号は、本発明の実施形態における様々な実施形態において、実行順序を意味するものではないことを理解されたい。手順の実行順序は、機能及び手順の内部ロジックに基づいて判定されるべきであり、本発明の実施形態の実装手順に対する何らかの制限であると解釈されるべきではない。
【０３８９】
当業者であれば、本明細書で開示される実施形態を参照して説明される例におけるユニット及びアルゴリズム段階が、電子ハードウェア、又は、コンピュータソフトウェア及び電子ハードウェアの組み合わせにより実施され得ることに気付くかもしれない。機能がハードウェア又はソフトウェアにより実行かは、特定のアプリケーション及び技術的解決手段の設計制約条件に依存する。当業者であれば、異なる方法を用いて、各特定のアプリケーションに対して説明された機能を実施してよいが、当該実施が本発明の実施形態の範囲を超えると判断されるべきではない。
【０３９０】
当業者であれば、説明の利便性及び簡潔の目的で、上述で説明されたシステム、装置及びユニットの特定の操作手順については上述した方法の実施形態において対応する手順を参照することを明確に理解し得る。詳細がここで再びを説明されることはない。
【０３９１】
本発明の実施形態にいて提供されるいくつかの実施形態では、開示されるシステム、装置及び方法が他方の方式で実施され得ることを理解されたい。例えば、説明された装置の実施形態は単なる例に過ぎない。例えば、ユニット区分は、単なる論理的な機能区分に過ぎず、実際の実装では他の区分であってよい。例えば、複数のユニット又はコンポーネントは、組み合わされてよく又は別のシステムに統合されてよく、又は、いくつかの機能は、無視されてよい又は実行されなくてよい。さらに、表示又は記載される相互連結若しくは直接連結又は通信接続は、いくつかのインタフェースを用いて実装され得る。装置間又はユニット間の間接連結又は通信接続は、電子的、機械的又は他の形式で実装され得る。
【０３９２】
別個のコンポーネントとして説明されるユニットは、物理的に分離されてもされなくてもよく、ユニットとして表示されるコンポーネントは、物理ユニットであってもそうでなくてもよく、一カ所にあってよく、又は、複数のネットワークユニット上に分散されてもよい。ユニットの一部又はすべては、実施形態の解決手段の目的を実現するために実際の要件に基づいて選択されてよい。
【０３９３】
さらに、本発明の実施形態における機能ユニットは、１つの処理ユニットに統合されてよい、又は、ユニットのそれぞれが物理的に単独で存在してもよい、又は、２つ又はそれより多いユニットが１つのユニットに統合される。
【０３９４】
機能が、ソフトウェア機能ユニットの形式で実装され、独立した製品として販売又は使用される場合、当該機能は、コンピュータ可読記憶媒体に格納され得る。そのような理解に基づいて、本発明の実施形態の技術的解決手段は基本的に、又は、従来技術に対して貢献する部分は、又は、技術的解決手段のいくつかは、ソフトウェア製品の形式で実装され得る。ソフトウェア製品は、記憶媒体に格納され、本発明の実施形態において説明される方法の段階のすべて又は一部を実行するよう（パーソナルコンピュータ、サーバ又はネットワークデバイスであり得る）コンピュータデバイスに命令するためのいくつかの命令を含む。上述した記憶媒体は、ＵＳＢフラッシュドライブ、リムーバブルハードディスク、リードオンリメモリ（Ｒｅａｄ‐Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなど、プログラムコードを格納できる任意の媒体を含む。
【０３９５】
上述した説明は、本願の特定の実施例に過ぎないが、本願の保護範囲を限定することを目的とするものではない。本願において開示される技術的範囲内で当業者が考え付きやすい任意の変形又は置換は、本願の保護範囲内に含まれるものとする。そのため、本願の保護範囲は、特許請求の範囲の保護範囲に従うものとする。
【図１】
2020522183.tif 000003
【図２】
2020522183.tif 000004
【図３】
2020522183.tif 000005
【図４】
2020522183.tif 000006
【図５】
2020522183.tif 000007
【図６】
2020522183.tif 000008
【図７】
2020522183.tif 000009
【図８】
2020522183.tif 000010
【図９】
2020522183.tif 000011
【図１０】
2020522183.tif 000012
【図１１】
2020522183.tif 000013
【図１２】
2020522183.tif 000014
【図１３】
2020522183.tif 000015
【図１４】
2020522183.tif 000016
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
データ伝送方法であって、
端末デバイスにより、グラントフリーアップリンクＧＵＬ伝送方式で、第１の時間単位においてネットワークデバイスに第１データパケットを送信する段階であって、前記第１データパケットは第１のハイブリッド自動再送要求ＨＡＲＱプロセス番号に対応し、前記第１データパケットは第１の新たなデータインジケーション情報に対応し、前記第１の新たなデータインジケーション情報は、前記第１データパケットが、初めて伝送されるデータパケットであるか、又は、再伝送されるデータパケットであるかを示すために用いられる、段階と、
前記端末デバイスにより、前記ネットワークデバイスにより送信された第１命令情報を受信する段階であって、前記第１命令情報は、第２の時間単位において第２データパケットを送信するよう前記端末デバイスに命令するために用いられ、前記第２データパケットは、前記第１のＨＡＲＱプロセス番号に対応し、前記第２の時間単位は時間の観点から前記第１の時間単位の後に位置し、前記第２データパケットは、前記ネットワークデバイスにより送信される第２の新たなデータインジケーション情報に対応し、前記第２の新たなデータインジケーション情報は、前記第２データパケットが、初めて伝送されるデータパケットであるか、又は、再伝送されるデータパケットであるかを示すために用いられる、段階と、
前記端末デバイスにより、前記第１データパケットに対してバッファリング処理を実行する段階、又は、前記第１の新たなデータインジケーション情報の値及び前記第２の新たなデータインジケーション情報の値に基づいて前記第２データパケットを送信する段階であって、前記第２データパケットは、前記第１データパケットの再伝送されるデータパケットである、又は、前記第２データパケットは、前記第１データパケットとは異なる初めて伝送されるデータパケットである、段階と
を備える方法。
【請求項２】
前記端末デバイスにより、前記第１データパケットに対してバッファリング処理を前記実行する段階、又は、前記第１の新たなデータインジケーション情報の値及び前記第２の新たなデータインジケーション情報の値に基づいて前記第２データパケットを前記送信する段階は、
前記第１の新たなデータインジケーション情報の前記値が前記第２の新たなデータインジケーション情報の前記値と同じである場合、前記端末デバイスにより、前記第１データパケットをバッファ内に保持する段階、又は、前記第２データパケットを送信する段階であって、前記第２データパケットは、前記第１データパケットの再伝送されるデータパケットである、段階を有する、請求項１に記載の方法。
【請求項３】
前記端末デバイスにより、前記第１の新たなデータインジケーション情報の値及び前記第２の新たなデータインジケーション情報の値に基づいて前記第２データパケットを前記送信する段階は、
前記第１の新たなデータインジケーション情報の前記値が前記第２の新たなデータインジケーション情報の前記値と同じである場合、かつ、前記第１データパケットに対応するトランスポートブロックサイズＴＢＳが前記第２データパケットに対応するＴＢＳと同じである場合、前記端末デバイスにより、前記第１命令情報に従って、前記第２の時間単位において前記第２データパケットを送信する段階であって、前記第２データパケットは、前記第１データパケットの再伝送されるデータパケットである、段階を有する、請求項１又は２に記載の方法。
【請求項４】
前記方法は、
前記第１の新たなデータインジケーション情報の前記値が前記第２の新たなデータインジケーション情報の前記値と同じである場合、かつ、前記第１データパケットに対応するトランスポートブロックサイズＴＢＳが前記第２データパケットに対応するＴＢＳとは異なる場合、前記端末デバイスにより、前記第１命令情報を無視する段階をさらに備える、請求項１から３のいずれか一項に記載の方法。
【請求項５】
前記端末デバイスにより、前記第１の新たなデータインジケーション情報の値及び前記第２の新たなデータインジケーション情報の値に基づいて前記第２データパケットを前記送信する段階は、
前記端末デバイスにより、前記第１の新たなデータインジケーション情報の前記値が前記第２の新たなデータインジケーション情報の前記値とは異なる場合、前記第１命令情報に従って、前記第２の時間単位において前記第２データパケットを送信する段階であって、前記第２データパケットは、前記第１データパケットとは異なる初めて伝送されるデータパケットである、段階を有する、請求項１から４のいずれか一項に記載の方法。
【請求項６】
データ伝送方法であって、
ネットワークデバイスにより、端末デバイスに第１命令情報を送信する段階であって、前記第１命令情報は、第２の時間単位において第２データパケットを送信するよう前記端末デバイスに命令するために用いられ、前記第２データパケットは、第１のＨＡＲＱプロセス番号に対応し、前記第２データパケットは、前記ネットワークデバイスにより送信される第２の新たなデータインジケーション情報に対応し、前記第２の新たなデータインジケーション情報は、前記第２データパケットが、初めて伝送されるデータパケットであるか、又は、再伝送されるデータパケットであるかを示すために用いられ、前記第１のＨＡＲＱプロセス番号は、第１データパケットにさらに対応し、前記第１データパケットは、前記端末デバイスにより、ＧＵＬ伝送方式で、第１の時間単位において前記ネットワークデバイスに送信され、前記第１データパケットは第１の新たなデータインジケーション情報に対応し、前記第１の新たなデータインジケーション情報は、前記第１データパケットが、初めて伝送されるデータパケットであるか、又は、再伝送されるデータパケットであるかを示すために用いられ、前記第２の時間単位は時間の観点から前記第１の時間単位の後に位置する、段階と、
前記ネットワークデバイスにより、前記端末デバイスにより送信された前記第２データパケットを受信する段階であって、前記第２データパケットは、前記第１データパケットの再伝送されるデータパケットである、又は、前記第２データパケットは、前記第１データパケットとは異なる初めて伝送されるデータパケットである、段階と
を備える方法。
【請求項７】
前記第１の新たなデータインジケーション情報の値が前記第２の新たなデータインジケーション情報の値と同じである場合、かつ、前記第１データパケットに対応するトランスポートブロックサイズＴＢＳが前記第２データパケットに対応するＴＢＳと同じである場合、前記第２データパケットは前記第２の時間単位において前記端末デバイスにより送信されるデータパケットである、請求項６に記載の方法。
【請求項８】
前記第１の新たなデータインジケーション情報の値が前記第２の新たなデータインジケーション情報の値とは異なる場合、前記第２データパケットは、前記第１データパケットとは異なる初めて伝送されるデータパケットである、請求項６又は７に記載の方法。
【請求項９】
データ伝送装置であって、
グラントフリーアップリンクＧＵＬ伝送方式で、第１の時間単位においてネットワークデバイスに第１データパケットを送信するように構成される送信ユニットであって、前記第１データパケットは第１のハイブリッド自動再送要求ＨＡＲＱプロセス番号に対応し、前記第１データパケットは第１の新たなデータインジケーション情報に対応し、前記第１の新たなデータインジケーション情報は、前記第１データパケットが、初めて伝送されるデータパケットであるか、又は、再伝送されるデータパケットであるかを示すために用いられる、送信ユニットと、
前記ネットワークデバイスにより送信された第１命令情報を受信するように構成される受信ユニットであって、前記第１命令情報は、第２の時間単位において第２データパケットを送信するよう前記データ伝送装置に命令するために用いられ、前記第２データパケットは、前記第１のＨＡＲＱプロセス番号に対応し、前記第２の時間単位は時間の観点から前記第１の時間単位の後に位置し、前記第２データパケットは、前記ネットワークデバイスにより送信される第２の新たなデータインジケーション情報に対応し、前記第２の新たなデータインジケーション情報は、前記第２データパケットが、初めて伝送されるデータパケットであるか、又は、再伝送されるデータパケットであるかを示すために用いられる、受信ユニットと
を備え、
前記送信ユニットは、さらに、前記第１データパケットに対してバッファリング処理を実行する、又は、前記第１の新たなデータインジケーション情報の値及び前記第２の新たなデータインジケーション情報の値に基づいて前記第２データパケットを送信するように構成され、前記第２データパケットは、前記第１データパケットの再伝送されるデータパケットである、又は、前記第２データパケットは、前記第１データパケットとは異なる初めて伝送されるデータパケットである、装置。
【請求項１０】
前記送信ユニットは、具体的には、
前記第１の新たなデータインジケーション情報の前記値が前記第２の新たなデータインジケーション情報の前記値と同じである場合、前記第１データパケットをバッファ内に保持する、又は、前記第２データパケットを送信するように構成され、前記第２データパケットは、前記第１データパケットの再伝送されるデータパケットである、請求項９に記載の装置。
【請求項１１】
前記送信ユニットは、具体的には、
前記第１の新たなデータインジケーション情報の前記値が前記第２の新たなデータインジケーション情報の前記値と同じである場合、かつ、前記第１データパケットに対応するトランスポートブロックサイズＴＢＳが前記第２データパケットに対応するＴＢＳと同じである場合、前記第１命令情報に従って、前記第２の時間単位において前記第２データパケットを送信するように構成され、前記第２データパケットは、前記第１データパケットの再伝送されるデータパケットである、請求項９又は１０に記載の装置。
【請求項１２】
前記装置は、
前記第１の新たなデータインジケーション情報の前記値が前記第２の新たなデータインジケーション情報の前記値と同じである場合、かつ、前記第１データパケットに対応するトランスポートブロックサイズＴＢＳが前記第２データパケットに対応するＴＢＳとは異なる場合、前記第１命令情報を無視するように構成される処理ユニットをさらに備える、請求項９から１１のいずれか一項に記載の装置。
【請求項１３】
前記送信ユニットは、具体的には、
前記第１の新たなデータインジケーション情報の前記値が前記第２の新たなデータインジケーション情報の前記値とは異なる場合、前記第１命令情報に従って、前記第２の時間単位において前記第２データパケットを送信するように構成され、前記第２データパケットは、前記第１データパケットとは異なる初めて伝送されるデータパケットである、請求項９から１２のいずれか一項に記載の装置。
【請求項１４】
データ伝送装置であって、
端末デバイスに第１命令情報を送信するように構成される送信ユニットであって、前記第１命令情報は、第２の時間単位において第２データパケットを送信するよう前記端末デバイスに命令するために用いられ、前記第２データパケットは、第１のＨＡＲＱプロセス番号に対応し、前記第２データパケットは、前記データ伝送装置により送信される第２の新たなデータインジケーション情報に対応し、前記第２の新たなデータインジケーション情報は、前記第２データパケットが、初めて伝送されるデータパケットであるか、又は、再伝送されるデータパケットであるかを示すために用いられ、前記第１のＨＡＲＱプロセス番号は、第１データパケットにさらに対応し、前記第１データパケットは、前記端末デバイスにより、ＧＵＬ伝送方式で、第１の時間単位において前記データ伝送装置に送信され、前記第１データパケットは第１の新たなデータインジケーション情報に対応し、前記第１の新たなデータインジケーション情報は、前記第１データパケットが、初めて伝送されるデータパケットであるか、又は、再伝送されるデータパケットであるかを示すために用いられ、前記第２の時間単位は時間の観点から前記第１の時間単位の後に位置する、送信ユニットと、
前記端末デバイスにより送信された前記第２データパケットを受信するように構成される受信ユニットであって、前記第２データパケットは、前記第１データパケットの再伝送されるデータパケットである、又は、前記第２データパケットは、前記第１データパケットとは異なる初めて伝送されるデータパケットである、受信ユニットと
を備える装置。
【請求項１５】
前記第１の新たなデータインジケーション情報の値が前記第２の新たなデータインジケーション情報の値と同じである場合、かつ、前記第１データパケットに対応するトランスポートブロックサイズＴＢＳが前記第２データパケットに対応するＴＢＳと同じである場合、前記第２データパケットは前記第２の時間単位において前記端末デバイスにより送信されるデータパケットである、請求項１４に記載の装置。
【請求項１６】
前記第１の新たなデータインジケーション情報の値が前記第２の新たなデータインジケーション情報の値とは異なる場合、前記第２データパケットは、前記第１データパケットとは異なる初めて伝送されるデータパケットである、請求項１４又は１５に記載の装置。
【請求項１７】
コンピュータに、請求項１から５のいずれか一項に記載の方法を実行させるためのコンピュータプログラム。
【請求項１８】
コンピュータに、請求項６から８のいずれか一項に記載の方法を実行させるためのコンピュータプログラム。
【手続補正２】
【補正対象書類名】明細書
【補正対象項目名】００５１
【補正方法】変更
【補正の内容】
【００５１】
本発明の実施形態は、様々な通信システム、例えば、グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ（登録商標））、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム及びＬＴＥシステムのようなシステムに適用されてよく、サポートされる通信は、主に音声及びデータ通信であることを理解されたい。通常、従来の基地局は、制限された数の接続をサポートしており、実装しやすい。
【手続補正３】
【補正対象書類名】明細書
【補正対象項目名】００５４
【補正方法】変更
【補正の内容】
【００５４】
さらに、本発明の実施形態は、ネットワークデバイスに関して説明される。ネットワークデバイスは、モバイルデバイスと通信するように構成されるデバイスであってよい。ネットワークデバイスは、ＷＬＡＮにおけるアクセスポイント（ＡＣＣＥＳＳ  ＰＯＩＮＴ、ＡＰ）又はＧＳＭ（登録商標）におけるベーストランシーバ基地局（Ｂａｓｅ  Ｔｒａｎｓｃｅｉｖｅｒ  Ｓｔａｔｉｏｎ、ＢＴＳ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）であってよく、又は、ＷＣＤＭＡ（登録商標）におけるノードＢ（ＮｏｄｅＢ、ＮＢ）であってよく、又は、ＬＴＥにおける進化型ノードＢ（Ｅｖｏｌｖｅｄ  Ｎｏｄｅ  Ｂ、ｅＮＢ又はｅＮｏｄｅＢ）であってよく、又は、リレー局又はアクセスポイント又は車載デバイス、ウェアラブルデバイス、将来の５Ｇネットワークにおけるネットワークデバイス、将来の進化型ＰＬＭＮネットワークなどにおけるネットワークデバイスであってよい。
【手続補正４】
【補正対象書類名】明細書
【補正対象項目名】００９６
【補正方法】変更
【補正の内容】
【００９６】
具体的には、端末デバイスのアップリンク伝送は、ネットワークデバイスによりスケジューリングされる必要がある。スケジューリングベースのアップリンク伝送（Ｓｃｈｅｄｕｌｅｄ  ＵｐＬｉｎｋ、ＳＵＬ）方式は、ＳＵＬ伝送方式とも称される。具体的に、アップリンク伝送を実行する（又は、アップリンクデータを伝送する）前に、端末デバイスは、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）上でネットワークデバイスにスケジューリング要求（Ｓｃｈｅｄｕｌｉｎｇ  Ｒｅｑｕｅｓｔ、ＳＲ）を送信する必要がある。ＳＲをネットワークデバイスが受信した後に、ネットワークデバイスは、スケジューリング情報（つまり、アップリンクグラント（ＵｐＬｉｎｋ  Ｇｒａｎｔ、ＵＬ  Ｇｒａｎｔ）情報）を端末デバイスに送信することで、端末デバイスは、スケジューリング情報により示されるアップリンクリソースに基づいてアップリンク伝送を実行する。そのようなスケジューリングベースの伝送方式は高い信頼性を有するが、比較的高い伝送遅延を引き起こす。
【手続補正５】
【補正対象書類名】明細書
【補正対象項目名】００９７
【補正方法】変更
【補正の内容】
【００９７】
本発明の本実施形態では、ネットワークデバイスのスケジューリングに基づいてＳＵＬ伝送方式で情報を送信するために用いられるＳＵＬ無線リソースは、ＳＵＬ物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）とも称され、ＳＵＬ  ＰＵＳＣＨはまた、１ｍｓより短いｓＴＴＩに対応するｓＰＵＳＣＨを含む。
【手続補正６】
【補正対象書類名】明細書
【補正対象項目名】０１３５
【補正方法】変更
【補正の内容】
【０１３５】
例えば、ネットワークデバイスが、ＧＵＬ  ＰＵＳＣＨに対応するＤＭＲＳをブラインド検出する、又は、ＧＵＬ  ＰＵＳＣＨをスケジューリングするために用いられるＧ‐ＵＣＩをブラインド検出する場合、ＧＵＬ  ＰＵＳＣＨが検出されたと判断され得る、又は、ネットワークデバイスが、ＧＵＬ  ＰＵＳＣＨに対応するＤＭＲＳをブラインド検出していない、又は、ＧＵＬ  ＰＵＳＣＨをスケジューリングするために用いられるＧ‐ＵＣＩをブラインド検出していない場合、ＧＵＬ  ＰＵＳＣＨは検出されない。
【手続補正７】
【補正対象書類名】明細書
【補正対象項目名】０２１２
【補正方法】変更
【補正の内容】
【０２１２】
同様に、ネットワークデバイスがデータパケット＃１の受信に成功した場合、ネットワークデバイスは、新たなデータインジケーション情報＃２の値が新たなデータインジケーション情報＃１の値とは異なると判定する。新たなデータインジケーション情報＃２の値が新たなデータインジケーション情報＃１の値とは異なると端末デバイスが判定した場合、端末デバイスは、データパケット＃１とは異なる初めて伝送されるデータパケットを端末デバイスが送信する必要があると判定でき、そのため、ネットワークデバイスがデータパケット＃１を正しく受信したことを判断する、つまり、ネットワークデバイスによるデータパケット＃１の受信状態がＡＣＫであると判断することで、端末デバイスは、データパケット＃１とは異なる初めて伝送されるデータパケットを送信し得る。
【手続補正８】
【補正対象書類名】明細書
【補正対象項目名】０２１６
【補正方法】変更
【補正の内容】
【０２１６】
この場合、ネットワークデバイスは、データパケット＃１を検出していない（具体的には、図３のサブフレーム＃ｎ＋８に示される「×」は、ネットワークデバイスがデータパケット＃１を検出していないことを示す）ので、ネットワークデバイスは、データパケット＃３及び対応する新たなデータインジケーション情報＃３に基づいて新たなデータインジケーション情報＃２を判定する。具体的には、ネットワークデバイスは、データパケット＃２がデータパケット＃３の初めて伝送されるデータパケットであると判定することで、新たなデータインジケーション情報＃２の値が、「１」である（すなわち、図３に示されるＮＤＩ＃２＝１である）と判定する。端末デバイスが新たなデータインジケーション情報＃２を受信した後に、端末デバイスは、新たなデータインジケーション情報＃２の値を新たなデータインジケーション情報＃１の値と比較して、新たなデータインジケーション情報＃２の値が、新たなデータインジケーション情報＃１の値と同じであると判定する。この場合、端末デバイスは、ネットワークデバイスがデータパケット＃１の受信に失敗した（つまり、ネットワークデバイスによるデータパケット＃１の受信状態がＮＡＣＫである、又は、データパケット＃１が検出されなかった）と判断することで、端末デバイスは、データパケット＃１の再伝送されるデータパケットを送信する、又は、バッファ内にデータパケット＃１を保持する。
【手続補正９】
【補正対象書類名】明細書
【補正対象項目名】０２２３
【補正方法】変更
【補正の内容】
【０２２３】
具体的には、新たなデータインジケーション情報＃４（すなわち、第４の新たなデータインジケーション情報の例）のサイズは１ビットであってよく、新たなデータインジケーション情報＃４の値は「０」及び「１」という２つの状態に対応し、第１のプリセット値は「０」又は「１」であってよい。例えば、ＧＵＬ伝送方式で情報を送信するために端末デバイスをアクティブ化又は再アクティブ化するのに制御情報が用いられる場合、第１のプリセット値は「０」である。別の例として、ＧＵＬ伝送方式で情報を送信するために端末デバイスをアクティブ化又は再アクティブ化するのに制御情報が用いられる場合、第１のプリセット値は「１」である。具体的には、新たなデータインジケーション情報＃４はＮＤＩ情報である。より具体的には、新たなデータインジケーション情報＃４は、制御情報内のＮＤＩフィールドである。
【手続補正１０】
【補正対象書類名】明細書
【補正対象項目名】０２３４
【補正方法】変更
【補正の内容】
【０２３４】
これに応じて、ＧＵＬ伝送方式で情報を送信するために端末デバイスをアクティブ化又は再アクティブ化するのに制御情報が用いられる場合、新たなデータインジケーション情報＃４の値がプリセット値であるだけでなく、他の情報の値も予め設定されていてよい。例えば、ＴＰＣフィールドのプリセット値は、すべて「０」の状態にあり、ＲＡフィールドのプリセット値は、すべて「０」の状態にある。上述した新たなデータインジケーション情報＃４を含む少なくとも１つのフィールドが、少なくとも１つのフィールドに対応するプリセット値である場合、制御情報は、ＧＵＬ伝送方式で情報を送信するために端末デバイスをアクティブ化又は再アクティブ化するのに用いられることを理解されたい。
【手続補正１１】
【補正対象書類名】明細書
【補正対象項目名】０２４１
【補正方法】変更
【補正の内容】
【０２４１】
つまり、新たなデータインジケーション情報＃４は、２つの値、すなわち、ここでは上述した第１のプリセット値及び第２のプリセット値を有する。新たなデータインジケーション情報＃４の異なる値は、制御情報の異なる機能に対応する。具体的には、新たなデータインジケーション情報＃４の値が第１のプリセット値である場合、制御情報は、ＧＵＬ伝送方式で情報を送信するために端末デバイスをアクティブ化又は再アクティブ化するのに用いられ、新たなデータインジケーション情報＃４の値が第２のプリセット値である場合、制御情報は、データパケット＃４（すなわち、第４データパケットの例）の再伝送されるデータパケットをスケジューリングするために用いられ（つまり、制御情報は、再伝送されるデータパケットをスケジューリングするために用いられる、又は、制御情報は、データパケット＃４を再伝送するよう端末デバイスに命令するために用いられる）、つまり、制御情報は、データパケット＃４の再伝送されるデータパケットを送信するように端末デバイスをスケジューリングするのに用いられる。具体的には、新たなデータインジケーション情報＃４の値は、「０」及び「１」という２つの状態に対応する。第１のプリセット値が「０」である場合、第２のプリセット値は、「１」である、又は、第１のプリセット値が「１」である場合、第２のプリセット値は、「０」である。
【手続補正１２】
【補正対象書類名】明細書
【補正対象項目名】０２７７
【補正方法】変更
【補正の内容】
【０２７７】
端末デバイスが新たなデータインジケーション情報＃２を受信した後に、端末デバイスは、新たなデータインジケーション情報＃２の値を新たなデータインジケーション情報＃１の値と比較して、新たなデータインジケーション情報＃２の値が、新たなデータインジケーション情報＃１の値と同じであると判定する。この場合、端末デバイスは、ネットワークデバイスがデータパケット＃１の受信に失敗したと判断する。さらに、ＴＢＳ＃１がＴＢＳ＃２とは異なるので、端末デバイスは、命令情報＃１に従ってデータパケット＃２を送信せず、データ情報を送信するためにサブフレーム＃ｎ＋１６を占有しない。
【手続補正１３】
【補正対象書類名】明細書
【補正対象項目名】０２８９
【補正方法】変更
【補正の内容】
【０２８９】
ネットワークデバイスは、半持続的なＵＬグラント情報（区別及び理解しやすくするために、半持続的なＵＬグラント情報＃２として示される）を用いて、データパケット＃１の再伝送されるデータパケットを送信するように端末デバイスをスケジューリングする。具体的には、半持続的なＵＬグラント情報＃２内の新たなデータインジケーション情報（区別及び理解しやすくするために、新たなデータインジケーション情報＃５として示される）の値は、第２のプリセット値（例えば、半持続的なＵＬグラント情報＃２内のＮＤＩが１）であり、新たなデータインジケーション情報＃５は、データパケット＃１の再伝送されるデータパケットを送信するよう端末デバイスに命令するために用いられる。半持続的なＵＬグラント＃２の機能は、データパケット＃４の再伝送されるデータパケットをスケジューリングするために用いられる半持続的なＵＬグラント情報＃１の機能と同様である。半持続的なＵＬグラント情報＃２は、ＲＮＴＩ＃１を用いてスクランブルされる。
【手続補正１４】
【補正対象書類名】明細書
【補正対象項目名】０３０９
【補正方法】変更
【補正の内容】
【０３０９】
第２事例では、具体的には、ネットワークデバイスがデータパケット＃１を検出しており、かつ、データパケット＃１の受信に失敗した場合、代わりに、方式２では、ネットワークデバイスは、具体的には、命令情報＃１及び新たなデータインジケーション情報＃２を用いて、データパケット＃１を再伝送する端末デバイスをスケジューリングしてよいことを理解されたい。この場合、ＴＢＳ＃２は、ＴＢＳ＃１と全く同じである。さらに、ネットワークデバイスは、代わりに、方式１でデータパケット＃１の検出された再伝送されるデータパケットを送信するように端末デバイスをスケジューリングしてよく、ネットワークデバイスがデータパケット＃１を検出していない場合、命令情報＃１（及び、新たなデータインジケーション情報＃２）を用いて再伝送をスケジューリングする。この場合、ＴＢＳ＃２及びＴＢＳ＃１は、同じであってよい、又は、異なっていてよい。上述した２つの方式のいずれとも関係なく、端末デバイスが命令情報＃１（及び、新たなデータインジケーション情報＃２）を受信することは、ネットワークデバイスの第２事例（ネットワークデバイスが、実際には再伝送をスケジューリングすることを目的とする）に対応してよい、又は、ネットワークデバイスの第３事例（ネットワークデバイスが、データパケット＃１を検出せず、初期伝送をスケジューリングすることを目的とする）に対応してよい。この場合、リソースを極めて効率的に活用するために、端末デバイスは、ネットワークデバイスの意図を区別する必要はなく、ＴＢＳ＃２がＴＢＳ＃１と同じである場合、図５及び図６において上述したように、データパケット＃１の再伝送されるデータパケットとしての機能を果たすために、端末デバイスは、時間単位＃２においてデータパケット＃２を、命令情報＃１に従って送信することに制限されてもよい。データパケット＃１に対応するＴＢＳ＃１は１０００ビットであり、データパケット＃２に対応するＴＢＳ＃２は１０００ビットである。ＴＢＳ＃１がＴＢＳ＃２と同じであるので、端末デバイスは、命令情報＃１に従って、サブフレーム＃ｎ＋１６（すなわち、時間単位＃２）においてデータパケット＃２を直接送信してよい。しかしながら、ＴＢＳ＃２がＴＢＳ＃１とは異なる場合、ネットワークデバイスによりスケジューリングされるリソースは、ＴＢＳ＃２に一致するが、ＴＢＳ＃１には一致しない。命令情報＃１により示されるリソース（つまり、伝送フォーマット＃２）は、マッチング方式でＴＢＳ＃１を保持することができないので、この場合、図７において上述したように、命令情報＃１は無視される。データパケット＃１に対応するＴＢＳ＃１は１０００ビットであり、データパケット＃２に対応するＴＢＳ＃２は５００ビットである。ＴＢＳ＃１がＴＢＳ＃２とは異なるので、端末デバイスは命令情報＃１を無視する、つまり、命令情報＃１に従ってデータパケット＃２を送信しない。
【手続補正１５】
【補正対象書類名】明細書
【補正対象項目名】０３２０
【補正方法】変更
【補正の内容】
【０３２０】
別の例として、端末デバイスは、ネットワークデバイスにより送信されたＵＬグラント情報に基づいて伝送関係を判定してよい。つまり、端末デバイスは、ネットワークデバイスにより送信されるＵＬグラント情報に基づいて、データパケット＃３に対するネットワークデバイスのＨＡＲＱ受信状態（具体的には、ネットワークデバイスがデータパケット＃３の受信に成功したか否か）を判定し得る。具体的には、ＵＬグラント情報が、データパケット＃３を再伝送するように端末デバイスをスケジューリングする場合、データパケット＃１は、データパケット＃３の再伝送されるデータパケットである、又は、ＵＬグラント情報が、データパケット＃３に対する初期伝送を実行するように端末デバイスをスケジューリングする場合、データパケット＃１は、データパケット＃３とは異なる初めて伝送されるデータパケットである。
【手続補正１６】
【補正対象書類名】明細書
【補正対象項目名】０３２９
【補正方法】変更
【補正の内容】
【０３２９】
この場合、端末デバイスは、データパケット＃１とＧＵＬ伝送方式で送信されるデータパケット＃３との間の伝送関係、及び、新たなデータインジケーション情報＃３の値のみに基づいて新たなデータインジケーション情報＃１の値を判定してよい。具体的には、データパケット＃３は、別の伝送方式で端末デバイスによりネットワークデバイスに送信される場合、端末デバイスは、別の伝送方式で送信されるデータパケット＃３と対応する新たなデータインジケーション情報＃３の値とに基づいて、新たなデータインジケーション情報＃１の値を判定することはしない。
【手続補正１７】
【補正対象書類名】明細書
【補正対象項目名】０３３６
【補正方法】変更
【補正の内容】
【０３３６】
オプションで、データパケット＃３は、時間単位＃１の前の第１のＨＡＲＱプロセス番号に対応する最新のデータパケットである。つまり、データパケット＃３は、時間単位＃３の後に端末デバイスにより送信され、かつ、第１のＨＡＲＱプロセス番号に対応する最新のデータパケットである。
【手続補正１８】
【補正対象書類名】明細書
【補正対象項目名】０３９５
【補正方法】変更
【補正の内容】
【０３９５】
上述した説明は、本願の特定の実施例に過ぎないが、本願の保護範囲を限定することを目的とするものではない。本願において開示される技術的範囲内で当業者が考え付きやすい任意の変形又は置換は、本願の保護範囲内に含まれるものとする。そのため、本願の保護範囲は、特許請求の範囲の保護範囲に従うものとする。
［項目１］
データ伝送方法であって、
端末デバイスにより、グラントフリーアップリンクＧＵＬ伝送方式で、第１の時間単位においてネットワークデバイスに第１データパケットを送信する段階であって、上記第１データパケットは第１のハイブリッド自動再送要求ＨＡＲＱプロセス番号に対応し、上記第１データパケットは第１の新たなデータインジケーション情報に対応し、上記第１の新たなデータインジケーション情報は、上記第１データパケットが、初めて伝送されるデータパケットであるか、又は、再伝送されるデータパケットであるかを示すために用いられる、段階と、
上記端末デバイスにより、上記ネットワークデバイスにより送信された第１命令情報を受信する段階であって、上記第１命令情報は、第２の時間単位において第２データパケットを送信するよう上記端末デバイスに命令するために用いられ、上記第２データパケットは上記第１のＨＡＲＱプロセス番号に対応し、上記第２の時間単位は時間の観点から上記第１の時間単位の後に位置し、上記第２データパケットは、上記ネットワークデバイスにより送信される第２の新たなデータインジケーション情報に対応し、上記第２の新たなデータインジケーション情報は、上記第２データパケットが、初めて伝送されるデータパケットであるか、又は、再伝送されるデータパケットであるかを示すために用いられる、段階と、
上記端末デバイスにより、上記第１データパケットに対してバッファリング処理を実行する段階、又は、上記第１の新たなデータインジケーション情報の値及び上記第２の新たなデータインジケーション情報の値に基づいて上記第２データパケットを送信する段階であって、上記第２データパケットは、上記第１データパケットの再伝送されるデータパケットである、又は、上記第２データパケットは、上記第１データパケットとは異なる初めて伝送されるデータパケットである、段階と
を備える方法。
［項目２］
上記端末デバイスにより、上記第１データパケットに対してバッファリング処理を上記実行する段階、又は、上記第１の新たなデータインジケーション情報の値及び上記第２の新たなデータインジケーション情報の値に基づいて上記第２データパケットを上記送信する段階は、
上記第１の新たなデータインジケーション情報の上記値が上記第２の新たなデータインジケーション情報の上記値と同じである場合、上記端末デバイスにより、上記第１データパケットをバッファ内に保持する段階、又は、上記第２データパケットを送信する段階であって、上記第２データパケットは、上記第１データパケットの再伝送されるデータパケットである、段階を有する、項目１に記載の方法。
［項目３］
上記端末デバイスにより、上記第２データパケットを上記送信する段階であって、上記第２データパケットは、上記第１データパケットの再伝送されるデータパケットである、段階は、
上記端末デバイスにより、上記第１命令情報に従って、上記第２の時間単位において上記第２データパケットを送信する段階を有する、項目２に記載の方法。
［項目４］
上記端末デバイスにより、上記第１の新たなデータインジケーション情報の値及び上記第２の新たなデータインジケーション情報の値に基づいて上記第２データパケットを上記送信する段階は、
上記第１の新たなデータインジケーション情報の上記値が上記第２の新たなデータインジケーション情報の上記値と同じである場合、かつ、上記第１データパケットに対応するトランスポートブロックサイズＴＢＳが上記第２データパケットに対応するＴＢＳと同じである場合、上記端末デバイスにより、上記第１命令情報に従って、上記第２の時間単位において上記第２データパケットを送信する段階であって、上記第２データパケットは、上記第１データパケットの再伝送されるデータパケットである、段階を有する、項目１又は２に記載の方法。
［項目５］
上記方法は、
上記第１の新たなデータインジケーション情報の上記値が上記第２の新たなデータインジケーション情報の上記値と同じである場合、上記端末デバイスにより、上記第１命令情報を無視する段階をさらに備える、項目１又は２に記載の方法。
［項目６］
上記方法は、
上記第１の新たなデータインジケーション情報の上記値が上記第２の新たなデータインジケーション情報の上記値と同じである場合、かつ、上記第１データパケットに対応する上記トランスポートブロックサイズＴＢＳが上記第２データパケットに対応する上記ＴＢＳとは異なる場合、上記端末デバイスにより、上記第１命令情報を無視する段階をさらに備える、項目１、２又は４に記載の方法。
［項目７］
上記端末デバイスにより、上記第１の新たなデータインジケーション情報の値及び上記第２の新たなデータインジケーション情報の値に基づいて上記第２データパケットを上記送信する段階は、
上記第１の新たなデータインジケーション情報の上記値が上記第２の新たなデータインジケーション情報の上記値とは異なる場合、上記端末デバイスにより、上記第１命令情報に従って、上記第２の時間単位において上記第２データパケットを送信する段階であって、上記第２データパケットは、上記第１データパケットとは異なる初めて伝送されるデータパケットである、段階を有する、項目１から６のいずれか一項に記載の方法。
［項目８］
上記方法は、
上記端末デバイスにより、第３データパケットと上記第１データパケットとの間の伝送関係、及び、上記第３データパケットに対応する第３の新たなデータインジケーション情報の値に基づいて、上記第１の新たなデータインジケーション情報の上記値を判定する段階であって、上記伝送関係は、上記第３データパケットが上記第１データパケットとは異なる初めて伝送されるデータパケットであること、又は、上記第３データパケットが上記第１データパケットの再伝送されるデータパケットであることを有し、上記第３の新たなデータインジケーション情報は、上記第３データパケットが、初めて伝送されるデータパケットであるか、又は、再伝送されるデータパケットであるかを示すために用いられ、上記第３データパケットは、上記ネットワークデバイスが、第３の時間単位において送信するように上記端末デバイスをスケジューリングするデータパケットであり、上記第３データパケットは上記第１のＨＡＲＱプロセス番号に対応し、上記第３の時間単位は時間の観点から上記第１の時間単位の前に位置する、段階をさらに備える、項目１から７のいずれか一項に記載の方法。
［項目９］
上記端末デバイスにより、第３データパケットと上記第１データパケットとの間の伝送関係、及び、上記第３データパケットに対応する第３の新たなデータインジケーション情報の値に基づいて、上記第１の新たなデータインジケーション情報の上記値を上記判定する段階は、
上記第１データパケットが上記第３データパケットの再伝送されるデータパケットである場合、上記端末デバイスにより、上記第１の新たなデータインジケーション情報の上記値が上記第３の新たなデータインジケーション情報の上記値と同じであると判定する段階、又は、
上記第１データパケットが上記第３データパケットとは異なる初めて伝送されるデータパケットである場合、上記端末デバイスにより、上記第１の新たなデータインジケーション情報の上記値が上記第３の新たなデータインジケーション情報の上記値とは異なると判定する段階
を有する、項目８に記載の方法。
［項目１０］
端末デバイスにより、グラントフリーアップリンクＧＵＬ伝送方式で、第１の時間単位においてネットワークデバイスに第１データパケットを上記送信する段階の前に、上記方法は、
上記端末デバイスにより、上記ネットワークデバイスにより送信された制御情報を受信する段階であって、上記制御情報は第４の新たなデータインジケーション情報を有し、上記ＧＵＬ伝送方式で情報を送信するために上記端末デバイスをアクティブ化又は再アクティブ化するのに上記制御情報が用いられる場合、上記第４の新たなデータインジケーション情報の値は第１のプリセット値である、段階と、
上記端末デバイスにより、上記制御情報に基づいて、上記ＧＵＬ伝送方式に対応する半持続的な時間領域リソースを判定する段階であって、上記第１の時間単位は、上記半持続的な時間領域リソースに属する、段階と
をさらに備える、項目１から９のいずれか一項に記載の方法。
［項目１１］
第４データパケットの再伝送されるデータパケットをスケジューリングするために上記制御情報が用いられる場合、上記第４の新たなデータインジケーション情報の上記値は第２のプリセット値であり、上記第４データパケットは、上記ＧＵＬ伝送方式で上記端末デバイスにより送信されるデータパケットであり、上記第２のプリセット値は上記第１のプリセット値とは異なる、項目１０に記載の方法。
［項目１２］
上記方法は、
上記端末デバイスにより、上記ネットワークデバイスに上記第１の新たなデータインジケーション情報を送信する段階をさらに備える、項目１から１１のいずれか一項に記載の方法。
［項目１３］
データ伝送方法であって、
ネットワークデバイスにより、端末デバイスに第１命令情報を送信する段階であって、上記第１命令情報は、第２の時間単位において第２データパケットを送信するよう上記端末デバイスに命令するために用いられ、上記第２データパケットは、第１のＨＡＲＱプロセス番号に対応し、上記第２データパケットは、上記ネットワークデバイスにより送信される第２の新たなデータインジケーション情報に対応し、上記第２の新たなデータインジケーション情報は、上記第２データパケットが、初めて伝送されるデータパケットであるか、又は、再伝送されるデータパケットであるかを示すために用いられ、上記第１のＨＡＲＱプロセス番号は、第１データパケットにさらに対応し、上記第１データパケットは、上記端末デバイスにより、ＧＵＬ伝送方式で、第１の時間単位において上記ネットワークデバイスに送信され、上記第１データパケットは第１の新たなデータインジケーション情報に対応し、上記第１の新たなデータインジケーション情報は、上記第１データパケットが、初めて伝送されるデータパケットであるか、又は、再伝送されるデータパケットであるかを示すために用いられ、上記第２の時間単位は時間の観点から上記第１の時間単位の後に位置する、段階と、
上記ネットワークデバイスにより、上記端末デバイスにより送信された上記第２データパケットを受信する段階であって、上記第２データパケットは、上記第１データパケットの再伝送されるデータパケットである、又は、上記第２データパケットは、上記第１データパケットとは異なる初めて伝送されるデータパケットである、段階と
を備える方法。
［項目１４］
上記第１の新たなデータインジケーション情報の値が上記第２の新たなデータインジケーション情報の値と同じである場合、上記第２データパケットは、上記第１データパケットの再伝送されるデータパケットである、項目１３に記載の方法。
［項目１５］
上記第２データパケットは、上記第２の時間単位において上記端末デバイスにより送信されるデータパケットである、項目１４に記載の方法。
［項目１６］
上記第１の新たなデータインジケーション情報の上記値が上記第２の新たなデータインジケーション情報の上記値と同じである場合、かつ、上記第１データパケットに対応するトランスポートブロックサイズＴＢＳが上記第２データパケットに対応するＴＢＳと同じである場合、上記第２データパケットは上記第２の時間単位において上記端末デバイスにより送信されるデータパケットである、項目１３又は１４に記載の方法。
［項目１７］
上記第１の新たなデータインジケーション情報の上記値が上記第２の新たなデータインジケーション情報の上記値とは異なる場合、上記第２データパケットは、上記第１データパケットとは異なる初めて伝送されるデータパケットである、項目１３から１６のいずれか一項に記載の方法。
［項目１８］
上記第１データパケットが第３データパケットの再伝送されるデータパケットである場合、上記第１の新たなデータインジケーション情報の上記値は、上記第３データパケットに対応する第３の新たなデータインジケーション情報の値と同じであり、上記第３の新たなデータインジケーション情報は、上記第３データパケットが、初めて伝送されるデータパケットであるか、又は、再伝送されるデータパケットであるかを示すために用いられ、上記第３データパケットは、上記ネットワークデバイスが、第３の時間単位において送信するように上記端末デバイスをスケジューリングするデータパケットであり、上記第３データパケットは上記第１のＨＡＲＱプロセス番号に対応し、上記第３の時間単位は時間の観点から上記第１の時間単位の前に位置する、又は、
上記第１データパケットが第３データパケットとは異なる初めて伝送されるデータパケットである場合、上記第１の新たなデータインジケーション情報の上記値は、上記第３データパケットに対応する第３の新たなデータインジケーション情報の値とは異なり、上記第３の新たなデータインジケーション情報は、上記第３データパケットが、初めて伝送されるデータパケットであるか、又は、再伝送されるデータパケットであるかを示すために用いられ、上記第３データパケットは、上記ネットワークデバイスが、第３の時間単位において送信するように上記端末デバイスをスケジューリングするデータパケットであり、上記第３データパケットは上記第１のＨＡＲＱプロセス番号に対応し、上記第３の時間単位は時間の観点から上記第１の時間単位の前に位置する、項目１３から１７のいずれか一項に記載の方法。
［項目１９］
上記ネットワークデバイスが上記第１データパケットを検出した場合、上記ネットワークデバイスは、上記第１データパケットの受信状態と上記第１の新たなデータインジケーション情報とに基づいて、上記第２の新たなデータインジケーション情報を判定する、項目１３から１８のいずれか一項に記載の方法。
［項目２０］
上記方法は、
上記ネットワークデバイスにより、上記端末デバイスに制御情報を送信する段階であって、上記制御情報は第４の新たなデータインジケーション情報を有し、上記ＧＵＬ伝送方式で情報を送信するために上記端末デバイスをアクティブ化又は再アクティブ化するのに上記制御情報が用いられる場合、上記第４の新たなデータインジケーション情報の値は第１のプリセット値であり、上記第１の時間単位は、上記ＧＵＬ伝送方式に対応する半持続的な時間領域リソースに属する、段階をさらに備える、項目１３から１９のいずれか一項に記載の方法。
［項目２１］
第４データパケットの再伝送されるデータパケットをスケジューリングするために上記制御情報が用いられる場合、上記第４の新たなデータインジケーション情報の上記値は第２のプリセット値であり、上記第４データパケットは、上記ＧＵＬ伝送方式で上記端末デバイスにより送信されるデータパケットであり、上記第２のプリセット値は上記第１のプリセット値とは異なる、項目２０に記載の方法。
［項目２２］
上記方法は、
上記ネットワークデバイスにより、上記端末デバイスにより送信された上記第１の新たなデータインジケーション情報を受信する段階をさらに備える、項目１３から２１のいずれか一項に記載の方法。
［項目２３］
データ伝送装置であって、
グラントフリーアップリンクＧＵＬ伝送方式で、第１の時間単位においてネットワークデバイスに第１データパケットを送信するように構成される送信ユニットであって、上記第１データパケットは第１のハイブリッド自動再送要求ＨＡＲＱプロセス番号に対応し、上記第１データパケットは第１の新たなデータインジケーション情報に対応し、上記第１の新たなデータインジケーション情報は、上記第１データパケットが、初めて伝送されるデータパケットであるか、又は、再伝送されるデータパケットであるかを示すために用いられる、送信ユニットと、
上記ネットワークデバイスにより送信された第１命令情報を受信するように構成される受信ユニットであって、上記第１命令情報は、第２の時間単位において第２データパケットを送信するよう上記装置に命令するために用いられ、上記第２データパケットは、上記第１のＨＡＲＱプロセス番号に対応し、上記第２の時間単位は時間の観点から上記第１の時間単位の後に位置し、上記第２データパケットは、上記ネットワークデバイスにより送信される第２の新たなデータインジケーション情報に対応し、上記第２の新たなデータインジケーション情報は、上記第２データパケットが、初めて伝送されるデータパケットであるか、又は、再伝送されるデータパケットであるかを示すために用いられる、受信ユニットと
を備え、
上記送信ユニットは、さらに、上記第１データパケットに対してバッファリング処理を実行する、又は、上記第１の新たなデータインジケーション情報の値及び上記第２の新たなデータインジケーション情報の値に基づいて上記第２データパケットを送信するように構成され、上記第２データパケットは、上記第１データパケットの再伝送されるデータパケットである、又は、上記第２データパケットは、上記第１データパケットとは異なる初めて伝送されるデータパケットである、装置。
［項目２４］
上記送信ユニットは、具体的には、
上記第１の新たなデータインジケーション情報の上記値が上記第２の新たなデータインジケーション情報の上記値と同じである場合、上記第１データパケットをバッファ内に保持する、又は、上記第２データパケットを送信するように構成され、上記第２データパケットは、上記第１データパケットの再伝送されるデータパケットである、項目２３に記載の装置。
［項目２５］
上記送信ユニットは、具体的には、
上記第１命令情報に従って、上記第２の時間単位において上記第２データパケットを送信するように構成される、項目２４に記載の装置。
［項目２６］
上記送信ユニットは、具体的には、
上記第１の新たなデータインジケーション情報の上記値が上記第２の新たなデータインジケーション情報の上記値と同じである場合、かつ、上記第１データパケットに対応するトランスポートブロックサイズＴＢＳが上記第２データパケットに対応するＴＢＳと同じである場合、上記第１命令情報に従って、上記第２の時間単位において上記第２データパケットを送信するように構成され、上記第２データパケットは、上記第１データパケットの再伝送されるデータパケットである、項目２３又は２４に記載の装置。
［項目２７］
上記装置は、
上記第１の新たなデータインジケーション情報の上記値が上記第２の新たなデータインジケーション情報の上記値と同じである場合、上記第１命令情報を無視するように構成される処理ユニットをさらに備える、項目２３又は２４に記載の装置。
［項目２８］
上記装置は、
上記第１の新たなデータインジケーション情報の上記値が上記第２の新たなデータインジケーション情報の上記値と同じである場合、かつ、上記第１データパケットに対応する上記トランスポートブロックサイズＴＢＳが上記第２データパケットに対応する上記ＴＢＳとは異なる場合、上記第１命令情報を無視するように構成される処理ユニットをさらに備える、項目２３、２４又は２６に記載の装置。
［項目２９］
上記送信ユニットは、具体的には、
上記第１の新たなデータインジケーション情報の上記値が上記第２の新たなデータインジケーション情報の上記値とは異なる場合、上記第１命令情報に従って、上記第２の時間単位において上記第２データパケットを送信するように構成され、上記第２データパケットは、上記第１データパケットとは異なる初めて伝送されるデータパケットである、項目２３から２８のいずれか一項に記載の装置。
［項目３０］
上記装置は、
第３データパケットと上記第１データパケットとの間の伝送関係、及び、上記第３データパケットに対応する第３の新たなデータインジケーション情報の値に基づいて、上記第１の新たなデータインジケーション情報の上記値を判定するように構成される上記処理ユニットであって、上記伝送関係は、上記第３データパケットが上記第１データパケットとは異なる初めて伝送されるデータパケットであること、又は、上記第３データパケットが上記第１データパケットの再伝送されるデータパケットであることを有し、上記第３の新たなデータインジケーション情報は、上記第３データパケットが、初めて伝送されるデータパケットであるか、又は、再伝送されるデータパケットであるかを示すために用いられ、上記第３データパケットは、上記ネットワークデバイスが、第３の時間単位において送信する上記装置をスケジューリングするデータパケットであり、上記第３データパケットは上記第１のＨＡＲＱプロセス番号に対応し、上記第３の時間単位は時間の観点から上記第１の時間単位の前に位置する、処理ユニットをさらに備える、項目２３から２９のいずれか一項に記載の装置。
［項目３１］
上記処理ユニットは、具体的には、
上記第１データパケットが上記第３データパケットの再伝送されるデータパケットである場合、上記第１の新たなデータインジケーション情報の上記値が上記第３の新たなデータインジケーション情報の上記値と同じであると判定する、又は、
上記第１データパケットが上記第３データパケットとは異なる初めて伝送されるデータパケットである場合、上記第１の新たなデータインジケーション情報の上記値が上記第３の新たなデータインジケーション情報の上記値とは異なると判定する
ように構成される、項目３０に記載の装置。
［項目３２］
上記受信ユニットは、さらに、
上記ネットワークデバイスにより送信された制御情報を受信するように構成され、上記制御情報は第４の新たなデータインジケーション情報を有し、上記ＧＵＬ伝送方式で情報を送信する上記装置をアクティブ化又は再アクティブ化するのに上記制御情報が用いられる場合、上記第４の新たなデータインジケーション情報の値は第１のプリセット値であり、上記装置は、
上記制御情報に基づいて、上記ＧＵＬ伝送方式に対応する半持続的な時間領域リソースを判定するように構成される上記処理ユニットであって、上記第１の時間単位は、上記半持続的な時間領域リソースに属する、上記処理ユニットをさらに備える、項目２３から３１のいずれか一項に記載の装置。
［項目３３］
第４データパケットの再伝送されるデータパケットをスケジューリングするために上記制御情報が用いられる場合、上記第４の新たなデータインジケーション情報の上記値は第２のプリセット値であり、上記第４データパケットは、上記ＧＵＬ伝送方式で上記装置により送信されるデータパケットであり、上記第２のプリセット値は上記第１のプリセット値とは異なる、項目３２に記載の装置。
［項目３４］
上記送信ユニットは、さらに、
上記ネットワークデバイスに上記第１の新たなデータインジケーション情報を送信するように構成される、項目２３から３３のいずれか一項に記載の装置。
［項目３５］
データ伝送装置であって、
端末デバイスに第１命令情報を送信するように構成される送信ユニットであって、上記第１命令情報は、第２の時間単位において第２データパケットを送信するよう上記端末デバイスに命令するために用いられ、上記第２データパケットは、第１のＨＡＲＱプロセス番号に対応し、上記第２データパケットは、上記装置により送信される第２の新たなデータインジケーション情報に対応し、上記第２の新たなデータインジケーション情報は、上記第２データパケットが、初めて伝送されるデータパケットであるか、又は、再伝送されるデータパケットであるかを示すために用いられ、上記第１のＨＡＲＱプロセス番号は、第１データパケットにさらに対応し、上記第１データパケットは、上記端末デバイスにより、ＧＵＬ伝送方式で、第１の時間単位において上記装置に送信され、上記第１データパケットは第１の新たなデータインジケーション情報に対応し、上記第１の新たなデータインジケーション情報は、上記第１データパケットが、初めて伝送されるデータパケットであるか、又は、再伝送されるデータパケットであるかを示すために用いられ、上記第２の時間単位は時間の観点から上記第１の時間単位の後に位置する、送信ユニットと、
上記端末デバイスにより送信された上記第２データパケットを受信するように構成される受信ユニットであって、上記第２データパケットは、上記第１データパケットの再伝送されるデータパケットである、又は、上記第２データパケットは、上記第１データパケットとは異なる初めて伝送されるデータパケットである、受信ユニットと
を備える装置。
［項目３６］
上記第１の新たなデータインジケーション情報の値が上記第２の新たなデータインジケーション情報の値と同じである場合、上記第２データパケットは、上記第１データパケットの再伝送されるデータパケットである、項目３５に記載の装置。
［項目３７］
上記第２データパケットは、上記第２の時間単位において上記端末デバイスにより送信されるデータパケットである、項目３６に記載の装置。
［項目３８］
上記第１の新たなデータインジケーション情報の上記値が上記第２の新たなデータインジケーション情報の上記値と同じである場合、かつ、上記第１データパケットに対応するトランスポートブロックサイズＴＢＳが上記第２データパケットに対応するＴＢＳと同じである場合、上記第２データパケットは上記第２の時間単位において上記端末デバイスにより送信されるデータパケットである、項目３５又は３６に記載の装置。
［項目３９］
上記第１の新たなデータインジケーション情報の上記値が上記第２の新たなデータインジケーション情報の上記値とは異なる場合、上記第２データパケットは、上記第１データパケットとは異なる初めて伝送されるデータパケットである、項目３５から３８のいずれか一項に記載の装置。
［項目４０］
上記第１データパケットが第３データパケットの再伝送されるデータパケットである場合、上記第１の新たなデータインジケーション情報の上記値は、上記第３データパケットに対応する第３の新たなデータインジケーション情報の値と同じであり、上記第３の新たなデータインジケーション情報は、上記第３データパケットが、初めて伝送されるデータパケットであるか、又は、再伝送されるデータパケットであるかを示すために用いられ、上記第３データパケットは、上記装置が、第３の時間単位において送信するように上記端末デバイスをスケジューリングするデータパケットであり、上記第３データパケットは上記第１のＨＡＲＱプロセス番号に対応し、上記第３の時間単位は時間の観点から上記第１の時間単位の前に位置する、又は、
上記第１データパケットが第３データパケットとは異なる初めて伝送されるデータパケットである場合、上記第１の新たなデータインジケーション情報の上記値は、上記第３データパケットに対応する第３の新たなデータインジケーション情報の値とは異なり、上記第３の新たなデータインジケーション情報は、上記第３データパケットが、初めて伝送されるデータパケットであるか、又は、再伝送されるデータパケットであるかを示すために用いられ、上記第３データパケットは、上記装置が、第３の時間単位において送信するように上記端末デバイスをスケジューリングするデータパケットであり、上記第３データパケットは上記第１のＨＡＲＱプロセス番号に対応し、上記第３の時間単位は時間の観点から上記第１の時間単位の前に位置する、項目３５から３９のいずれか一項に記載の装置。
［項目４１］
上記装置は、
上記装置が上記第１データパケットを検出した場合、上記第１データパケットの受信状態と上記第１の新たなデータインジケーション情報とに基づいて、上記第２の新たなデータインジケーション情報を判定するように構成される処理ユニットをさらに備える、項目３５から４０のいずれか一項に記載の装置。
［項目４２］
上記送信ユニットは、さらに、
上記端末デバイスに制御情報を送信するように構成され、上記制御情報は第４の新たなデータインジケーション情報を有し、上記ＧＵＬ伝送方式で情報を送信するために上記端末デバイスをアクティブ化又は再アクティブ化するのに上記制御情報が用いられる場合、上記第４の新たなデータインジケーション情報の値は第１のプリセット値であり、上記第１の時間単位は、上記ＧＵＬ伝送方式に対応する半持続的な時間領域リソースに属する、項目４１に記載の装置。
［項目４３］
第４データパケットの再伝送されるデータパケットをスケジューリングするために上記制御情報が用いられる場合、上記第４の新たなデータインジケーション情報の上記値は第２のプリセット値であり、上記第４データパケットは、上記ＧＵＬ伝送方式で上記端末デバイスにより送信されるデータパケットであり、上記第２のプリセット値は上記第１のプリセット値とは異なる、項目４２に記載の装置。
［項目４４］
上記受信ユニットは、さらに、
上記端末デバイスにより送信された上記第１の新たなデータインジケーション情報を受信するように構成される、項目３５から４３のいずれか一項に記載の装置。
【国際調査報告】
2020522183.tif 000017
2020522183.tif 000018
2020522183.tif 000019
2020522183.tif 000020
2020522183.tif 000021
2020522183.tif 000022